(57)【要約】所定の展開形状からなる金属平板を折り曲げて形成した端子一体型のコイル（１）、（４）を所定の位置関係を有して複数個配置したコイル群と、これらのコイル群をその内部に埋設した磁性体（７）とからなり、例えばコイル群を構成する複数のコイル（１）、（４）の中心軸が平行になるようにコイルを並べるとともに、複数のコイル（１）、（４）のうちから少なくとも一つ選択されたコイルの中心点と、選択されたコイル以外のコイルの中心点とが段違いになるように配置することで、全体が薄型で、かつ高周波帯域で大電流の作動が可能な多連チョークコイルを実現できる。
2004055841.tif 000002
【特許請求の範囲】
【請求項１】
あらかじめ設定した展開形状からなる金属平板を折り曲げて形成した端子一体型のコイルを設定された位置関係を有して複数個配置したコイル群と、前記コイル群をその内部に埋設した磁性体とからなることを特徴とする多連チョークコイル。
【請求項２】
前記コイル群は、前記コイル群を構成する複数の前記コイルの中心軸が平行になるように前記コイルを並べるとともに、複数の前記コイルのうちから少なくとも一つ選択されたコイルの中心点と、前記選択されたコイル以外のコイルの中心点とが段違いになるように配置されていることを特徴とする請求項１に記載の多連チョークコイル。
【請求項３】
前記コイル群のうちから少なくとも一つ選択されたコイルの中心点と、前記選択されたコイル以外の複数の前記コイルのうちから少なくとも一つ選択されたコイルの中心点との距離を変化させて所定のインダクタンス値を得ることを特徴とする請求項２に記載の多連チョークコイル。
【請求項４】
前記コイル群のうちから少なくとも一つ選択されたコイルの中心点と、前記選択されたコイル以外の複数の前記コイルのうちから少なくとも一つ選択されたコイルの中心点との高さ位置を変えて所定のインダクタンス値を得ることを特徴とする請求項２に記載の多連チョークコイル。
【請求項５】
前記コイル群のうちから少なくとも一つ選択されたコイルと、前記選択されたコイルの両隣のコイルとがＶ字状または逆Ｖ字状に配置されており、前記選択されたコイルに電流を流したときに生じる前記コイル内を貫く磁束の向きと、前記両隣に配置されたコイルに電流を流したときに生じる前記コイル内を貫く磁束の向きとが互いに異なる方向としたことを特徴とする請求項２に記載の多連チョークコイル。
【請求項６】
前記コイル群のうちから少なくとも一つ選択されたコイルと、前記選択されたコイルの両隣のコイルとがＶ字状または逆Ｖ字状に配置されており、前記選択されたコイルに電流を流したときに生じる磁束の向きと、前記両隣に配置されたコイルに電流を流したときに生じる磁束の向きとが同じ方向としたことを特徴とする請求項２に記載の多連チョークコイル。
【請求項７】
前記コイル群を構成する前記コイルの巻回数が（Ｎ＋０．５）ターン（ただし、Ｎは１以上の整数）からなり、前記コイル群のうちから選択されたコイルのＮターン部と前記選択されたコイルに隣接するコイルの（Ｎ＋０．５）ターン部とが積層された配置構成からなることを特徴とする請求項２に記載の多連チョークコイル。
【請求項８】
前記選択されたコイルの中心点と、前記両隣に配置されたコイルの中心点とのそれぞれの距離を変化させて所定のインダクタンス値を得ることを特徴とする請求項５または６に記載の多連チョークコイル。
【請求項９】
前記コイル群は、前記コイル群を構成する複数の前記コイルの中心点が同一平面上になるように前記コイルを配置したことを特徴とする請求項１に記載の多連チョークコイル。
【請求項１０】
複数の前記コイルのうち、隣接する２つのコイルの中心点間の距離を変化させて所定のインダクタンス値を得ることを特徴とする請求項９に記載の多連チョークコイル。
【請求項１１】
前記コイル群は、複数の前記コイルのそれぞれに電流を流したときに生じる前記コイル内の磁束の向きが交互に異なるように配置されたことを特徴とする請求項９に記載の多連チョークコイル。
【請求項１２】
前記コイル群は、複数の前記コイルのそれぞれに電流を流したときに生じる前記コイル内の磁束の向きが同じ方向となるように配置されたことを特徴とする請求項９に記載の多連チョークコイル。
【請求項１３】
前記コイル群は、前記コイル群を構成する複数の前記コイルの中心軸が平行になるように前記コイルを並べるとともに、複数の前記コイルのうちから少なくとも一つ選択されたコイルの中心点と前記選択されたコイルに隣接するコイルの中心点との距離が前記選択されたコイルの外径と前記隣接するコイルの外径との和の１／２以下で、前記選択されたコイルの少なくとも１ターン分が前記隣接するコイルとかみ合うように配置されたことを特徴とする請求項１に記載の多連チョークコイル。
【請求項１４】
前記選択されたコイルおよび前記隣接するコイルの巻回数がＮターン（ただし、Ｎは２以上の整数）からなり、前記選択されたコイルの（Ｎ−１）ターン分が前記選択されたコイルにかみ合うように配置されたことを特徴とする請求項１３に記載の多連チョークコイル。
【請求項１５】
前記選択されたコイルの外径と内径との差と、前記隣接するコイルの外径と内径との差が同一で、前記選択されたコイルの中心点と前記隣接するコイルの中心点との距離が前記選択されたコイルの外径と前記隣接するコイルの内径の和の１／２に一致するように前記コイル群が配置されたことを特徴とする請求項１３に記載の多連チョークコイル。
【請求項１６】
前記コイル群の内で少なくとも一つ選択されたコイルの中心点と前記選択されたコイルに隣接するコイルの中心点との距離を変化させて所定のインダクタンス値を得ることを特徴とする請求項１３に記載の多連チョークコイル。
【請求項１７】
前記コイル群の内で少なくとも一つ選択されたコイルに電流を流したときのコイル内の磁束の向きと、前記選択されたコイルに隣接するコイルに電流を流したときの磁束の向きとが同じ方向となるように前記コイル群を配置したことを特徴とする請求項１３に記載の多連チョークコイル。
【請求項１８】
前記コイル群の内で少なくとも一つ選択されたコイルに電流を流したときのコイル内の磁束の向きと、前記選択されたコイルに隣接するコイルに電流を流したときの磁束の向きが異なるように前記コイル群を配置したことを特徴とする請求項１３に記載の多連チョークコイル。
【請求項１９】
前記コイル群は、複数の前記コイルがすべて一直線上に配置されていることを特徴とする請求項９または１３に記載の多連チョークコイル。
【請求項２０】
複数の前記コイルのうちから選択された少なくとも一つのコイルは、一直線上に配置された複数の他のコイルからずれた位置に配置されていることを特徴とする請求項１、２、９または１３に記載の多連チョークコイル。
【請求項２１】
前記コイル群は、選択された二つ以上の入力端子と出力端子のうち少なくとも一方が同じ表面に表出するように配置されていることを特徴とする請求項１、２、９または１３に記載の多連チョークコイル。
【請求項２２】
前記コイル群は、前記コイル群を構成する複数の前記コイルを前記磁性体の内部に縦方向に埋設されていることを特徴とする請求項１に記載の多連チョークコイル。
【請求項２３】
複数の前記コイル間の間隔を変化させて所定のインダクタンス値を得ることを特徴とする請求項２２に記載の多連チョークコイル。
【請求項２４】
複数の前記コイルに電流を流したときに生じる前記コイル内の磁束の向きが同じ方向になるように前記コイル群を配置したことを特徴とする請求項２２に記載の多連チョークコイル。
【請求項２５】
複数の前記コイルに電流を流したときに生じる前記コイル内の磁束の向きが交互に異なる方向になるように前記コイル群を配置したことを特徴とする請求項２２に記載の多連チョークコイル。
【請求項２６】
複数の前記コイルの巻回数が（Ｎ＋０．５）ターン（ただし、Ｎは１以上の整数）からなり、上下に位置するそれぞれのコイルの０．５ターン部分が同一平面となる配置構成としたことを特徴とする請求項２２に記載の多連チョークコイル。
【請求項２７】
複数の前記コイルのすべての入力端子と出力端子との少なくとも一方を同じ表面に表出させたことを特徴とする請求項２２に記載の多連チョークコイル。
【請求項２８】
前記磁性体が、フェライト磁性体、フェライト磁性粉末と絶縁性樹脂との複合体、および金属磁性粉末と絶縁性樹脂との複合体のうちから選択された少なくとも１種類から形成されたことを特徴とする請求項１、２、９、１３または２２に記載の多連チョークコイル。
【請求項２９】
前記コイルの表面に絶縁膜が形成されていることを特徴とする請求項１、２、９、１３または２２に記載の多連チョークコイル。
【請求項３０】
前記コイル群は、少なくとも２つの端子がそれぞれ異なる面から表出されていることを特徴とする請求項１、２、９、１３または２２に記載の多連チョークコイル。
【請求項３１】
前記コイル群は、少なくとも１つの端子が底面とその周囲の面の少なくとも２面に渡って表出されていることを特徴とする請求項１、２、９、１３または２２に記載の多連チョークコイル。
【請求項３２】
前記コイル群は、少なくとも表面に露出する端子部分が下地層としてニッケル（Ｎｉ）またはニッケル（Ｎｉ）を含む層からなり、最上層はハンダ層またはスズ（Ｓｎ）層が形成されていることを特徴とする請求項１、２、９、１３または２２に記載の多連チョークコイル。
【請求項３３】
前記磁性体には、入力端子と出力端子の少なくとも一方を示す表示部が設けられていることを特徴とする請求項１、２、９、１３または２２に記載の多連チョークコイル。
【請求項３４】
前記磁性体が直方体形状に形成されていることを特徴とする請求項１、２、９、１３または２２に記載の多連チョークコイル。
【請求項３５】
請求項１、２、９、１３または２２に記載の多連チョークコイルを搭載したことを特徴とする電子機器。
【発明の詳細な説明】
【技術分野】  本発明は、各種電子機器に用いられる多連チョークコイルおよびそれを用いた電子機器、特に電源機器に関する。
【背景技術】  チョークコイルなどのインダクタにおいては、電子機器の小型、軽量化に対応するために小型化、薄型化が要望されている。さらに、またＣＰＵなどのＬＳＩの高速化、高集積化に対して、インダクタは高周波域で数Ａ〜数十Ａの大電流で使用することが要望されている。
従って、小型化とともに発熱を抑えるための低抵抗化と、高周波帯域において損失が小さく、かつ大電流でも直流重畳によるインダクタンス値の低下が少ないインダクタを安価に供給することが望まれている。
最近では、ＤＣ／ＤＣコンバータなどにおいては、高周波帯域で大電流化を達成するための電源回路として、マルチフェーズ方式と呼ばれる回路方式が採用されている。この回路方式は複数個のＤＣ／ＤＣコンバータを位相制御しながら、スイッチを用いて順次並列に作動させる方式である。この方式は、リップル電流の低減と、高周波帯域で大電流化を高効率で実現できる特徴を有している。
しかし、上記回路構成のみでは必ずしも高周波帯域で大電流化を実現するのに充分ではなく、このような電源回路機器に用いるチョークコイルについても小型化、高周波帯域で大電流化を実現することが要求されている。
このような課題に対して、例えば特開２００２−２４６２４２号公報に示されたチョークコイルは、ポリウレタン等の絶縁被膜を有する導線をコイル状に巻き回して形成した空芯コイルを磁性体中に埋設した構成からなる。この磁性体としては、２種類以上の樹脂材で表面を被覆した磁性材粉を用いて固めたものである。また、磁性体には折り曲げ加工された金属端子が装着されており、空芯コイルと金属端子とは溶接、ハンダあるいは導電性接着剤等で電気的に接続されている。
しかしながら、上記従来のチョークコイルの構成においては、金属端子の後付けが必要となり、直流抵抗値を小さくすることが難しい、また、上記コイルをマルチフェーズ数に応じて複数個並べると設置スペースが大きくなり、小型化が困難となる。さらに、マルチフェーズで用いる場合に、複数のコイル間のインダクタンスのばらつきのために特性を充分発揮できないという課題もある。
また、ポリウレタン等の絶縁被膜を有する導線をコイル状に巻き回して形成する空芯コイルをマルチフェーズ方式に用いる際に、複数個の空芯コイルを、例えば縦方向に一列に配置すると、全体の高さが高くなり薄型化ができない。さらに、このような空芯コイルでは、インダクタンス値を大きくするために巻回数を増やす必要があり、チョークコイル自体も大きくなるという課題もある。
【発明の開示】
本発明はこれらの課題を解決し、直流重畳特性に優れ、高周波帯域でインダクタンス値を確保しつつ、大電流で作動可能で、かつ小型化を図ることのできる多連チョークコイルを提供することを目的とする。
本発明の多連チョークコイルは、あらかじめ設定した展開形状からなる金属平板を折り曲げて形成した端子一体型のコイルを設定された位置関係を有して複数個配置したコイル群と、これらのコイル群をその内部に埋設した磁性体とからなる構成を有する。この構成により、複数の端子一体型のコイルのコイル部は絶縁性を有する磁性体中に埋設されるので、高周波帯域での特性が良好で、インダクタンス値のばらつきも小さく、かつショート発生が少なく生産性に優れた多連チョークコイルが得られる。
また、本発明の多連チョークコイルは、上記構成においてコイル群を構成する複数のコイルの中心軸が平行になるようにコイルを並べるとともに、複数のコイルのうちから少なくとも一つ選択されたコイルの中心点と、選択されたコイル以外のコイルの中心点とが段違いになるように配置された構成としてもよい。これによって小型で、高結合が可能で、かつ大電流に対応できる多連チョークコイルを実現できる。
さらに、上記構成において、コイル群のうちから少なくとも一つ選択されたコイルの中心点と、この選択されたコイル以外の複数のコイルのうちから少なくとも一つ選択されたコイルの中心点との距離を変化させて所定のインダクタンス値を得る構成としてもよい。また、コイル群のうちから少なくとも一つ選択されたコイルの中心点と、この選択されたコイル以外の複数のコイルのうちから少なくとも一つ選択されたコイルの中心点との高さ位置を変えて所定のインダクタンス値を得る構成としてもよい。この構成とすることにより、コイルのターン数が同じであってもインダクタンス値の異なる小型、低背構成の多連チョークコイルを容易に実現できる。
さらに、上記構成において、コイル群のうちから少なくとも一つ選択されたコイルと、この選択されたコイルの両隣のコイルとがＶ字状または逆Ｖ字状に配置されており、上記選択されたコイルに電流を流したときに生じるコイル内を貫く磁束の向きと、両隣に配置されたコイルに電流を流したときに生じるコイル内を貫く磁束の向きとが互いに異なる方向とした構成してもよい。このような構成とすることにより、インダクタンス値をより大きくしながら、小型の多連チョークコイルを実現できる。
さらに、上記構成において、コイル群のうちから少なくとも一つ選択されたコイルと、この選択されたコイルの両隣のコイルとがＶ字状または逆Ｖ字状に配置されており、上記選択されたコイルに電流を流したときに生じる磁束の向きと、両隣に配置されたコイルに電流を流したときに生じる磁束の向きとが同じ方向とした構成としてもよい。この構成とすることにより、直流重畳特性に優れ、かつ小型で低背構成の多連チョークコイルを実現できる。
さらに、上記構成において、コイル群を構成するコイルの巻回数が（Ｎ＋０．５）ターン（ただし、Ｎは１以上の整数）からなり、上記コイル群のうちから選択されたコイルのＮターン部とこの選択されたコイルに隣接するコイルの（Ｎ＋０．５）ターン部とが積層された配置構成としてもよい。この構成とすることにより、小型で低背構成の多連チョークコイルを実現できる。
さらに、上記構成において、選択されたコイルの中心点とその両隣に配置されたコイルの中心点とのそれぞれの距離を変化させて所定のインダクタンス値を得るようにしてもよい。このような構成とすることにより、コイルのターン数が同じであってもインダクタンス値の異なる小型の多連チョークコイルを実現できる。
また、本発明の多連チョークコイルは、上記構成においてコイル群を構成する複数のコイルの中心点が同一平面上になるようにコイルを配置した構成からなる。これによって、複数のコイル間でインダクタンス値のばらつきが小さく、低背で、大電流化と高周波化に対応できる多連チョークコイルを実現できる。
さらに、上記構成において、複数のコイルのうち、隣接する２つのコイルの中心点間の距離を変化させて所定のインダクタンス値を得るようにしてもよい。これにより、同一巻回数のコイルを使用してもインダクタンス値の異なる多連チョークコイルを容易に実現できる。
さらに、上記構成において、コイル群は複数のコイルのそれぞれに電流を流したときに生じるコイル内の磁束の向きが交互に異なるように配置してもよい。これにより、それぞれの磁束が重畳されてインダクタンス値の大きな多連チョークコイルを得ることができる。
さらに、上記構成において、コイル群は複数のコイルのそれぞれに電流を流したときに生じるコイル内の磁束の向きが同じ方向となるように配置してもよい。これにより、磁束が飽和することを抑制できるので、直流重畳特性に優れた多連チョークコイルを得ることができる。
また、本発明の多連チョークコイルは、上記構成においてコイル群を構成する複数のコイルの中心軸が平行になるようにコイルを並べるとともに、複数のコイルのうちから少なくとも一つ選択されたコイルの中心点と選択されたコイルに隣接するコイルの中心点との距離が選択されたコイルの外径と隣接するコイルの外径との和の１／２以下で、選択されたコイルの少なくとも１ターン分が隣接するコイルとかみ合うように配置された構成からなる。この構成とすることにより、小型で、高結合が可能で、かつ大電流化に対応できる多連チョークコイルを実現できる。
さらに、上記構成において、選択されたコイルおよび隣接するコイルの巻回数がＮターン（ただし、Ｎは２以上の整数）からなり、選択されたコイルの（Ｎ−１）ターン分が選択されたコイルにかみ合うように配置してもよい。これにより、小型で、高結合が可能で、かつ大電流化に対応できる多連チョークコイルを実現できる。
さらに、上記構成において、選択されたコイルの外径と内径との差と隣接するコイルの外径と内径との差が同一で、選択されたコイルの中心点と隣接するコイルの中心点との距離が選択されたコイルの外径と隣接するコイルの内径の和の１／２に一致するようにコイル群を配置してもよい。これにより、より小型で、高結合が可能で、かつ大電流化に対応できる多連チョークコイルを実現できる。
さらに、上記構成において、コイル群の内で少なくとも一つ選択されたコイルの中心点と選択されたコイルに隣接するコイルの中心点との距離を変化させて所定のインダクタンス値を得るようにしてもよい。これにより、コイルのターン数が同じであっても異なるインダクタンス値が得られるので、所定のインダクタンス値をより自由に設定することができる。
さらに、上記構成において、コイル群の内で少なくとも一つ選択されたコイルに電流を流したときのコイル内の磁束の向きと、選択されたコイルに隣接するコイルに電流を流したときの磁束の向きとが、同じ方向となるようにコイル群を配置してもよい。これにより、直流重畳特性に優れ、小型で低背構成とすることができる。
さらに、上記構成において、コイル群の内で少なくとも一つ選択されたコイルに電流を流したときのコイル内の磁束の向きと、選択されたコイルに隣接するコイルに電流を流したときの磁束の向きとが、異なるようにコイル群を配置してもよい。これにより、小型形状を保持しながらインダクタンス値をより大きくすることができる。
さらに、上記構成において、コイル群は複数のコイルをすべて一直線上に配置した構成としてもよい。このようにすれば、インダクタンス値を高精度に制御することが可能である。
さらに、上記説明した多連チョークコイルにおいて、複数のコイルのうちから選択された少なくとも一つのコイルは、一直線上に配置された複数の他のコイルからずれた位置に配置してもよい。これにより、磁性体内で複数のコイルを効率よく充填して配置することができるので多連チョークコイル全体形状をさらに小型化することが可能となる。
さらに、上記説明した多連チョークコイルにおいて、コイル群は選択された二つ以上の入力端子と出力端子のうち少なくとも一方が同じ表面に露出するように配置してもよい。これにより、半導体集積回路等との回路配置が容易となり、多連チョークコイルの実装やその確認作業を容易に行うことができる。
また、本発明の多連チョークコイルは、コイル群を構成する複数のコイルを磁性体の内部に縦方向に埋設した構成からなる。この構成とすることにより、作動領域を高周波領域にすることができ、かつインダクタンス値および直流抵抗値を小さくすることが可能で、しかも大電流に対応でき、小型化可能な多連チョークコイルを実現できる。
さらに、上記構成において、複数のコイル間の間隔を変化させて所定のインダクタンス値を得るようにしてもよい。これにより、同じターン数でもインダクタンス値を変えることができるので要望に応じたインダクタンス値を容易に実現できる。
さらに、上記構成において、複数のコイルに電流を流したときに生じるコイル内の磁束の向きが同じ方向になるようにコイル群を配置してもよい。これにより、リップル電流を小さくすることができる。
さらに、上記構成において、複数のコイルに電流を流したときに生じるコイル内の磁束の向きが交互に異なる方向になるようにコイル群を配置してもよい。これにより、直流重畳特性を改善することができる。
さらに、上記構成において、複数のコイルの巻回数が（Ｎ＋０．５）ターン（ただし、Ｎは１以上の整数）からなり、上下に位置するコイルの０．５ターン部分が同一平面となる配置構成としてもよい。これにより、全体の高さを小さくすることができる。
さらに、上記構成において、複数のコイルのすべての入力端子と出力端子との少なくとも一方を同じ表面に露出させてもよい。これにより、実装性を改善することができる。
また、上記の多連チョークコイルにおいて、磁性体がフェライト磁性体、フェライト磁性粉末と絶縁性樹脂との複合体、および金属磁性粉末と絶縁性樹脂との複合体のうちから選択された少なくとも１種類から形成されたものであってもよい。これにより、絶縁性を有する磁性体の内部にコイル群を埋設するのでショート発生等を低減でき、かつ高周波帯域に対応できる多連チョークコイルを実現できる。
また、上記の多連チョークコイルにおいて、コイルの表面に絶縁膜が形成されている構成としてもよい。これにより、コイルを構成する金属平板を折り曲げて密着させても、金属平板間でショート等が生じることがなく占積率を大きくすることもできる。
また、上記の多連チョークコイルにおいて、コイル群は少なくとも２つの端子がそれぞれ異なる面から表出されている構成としてもよい。これにより、端子の幅を広く取ることができるので放熱性を改善できる。さらに、端子部分での接続強度を大きくできるので信頼性を改善することもできる。
また、上記の多連チョークコイルにおいて、コイル群は少なくとも１つの端子が底面とその周囲の面の少なくとも２面に渡って表出されている構成としてもよい。これにより、実装密度と信頼性とを改善することができる。
また、上記の多連チョークコイルにおいて、コイル群は少なくとも表面に露出する端子部分が下地層としてニッケル（Ｎｉ）またはニッケル（Ｎｉ）を含む層からなり、最上層がハンダ層またはスズ（Ｓｎ）層が形成されていてもよい。これにより、ハンダ付けを確実に、かつ信頼性よく行うことができる。
また、上記の多連チョークコイルにおいて、磁性体には入力端子と出力端子の少なくとも一方を示す表示部が設けられていてもよい。これにより、実装作業や実装前後の検査が容易に行える。
また、上記の多連チョークコイルにおいて、磁性体が直方体形状に形成されていてもよい。これにより、自動実装を容易に行なうことができる。
また、上記の多連チョークコイルを電源機器に搭載することで、小型化と大電流での作動が可能な電源機器を実現でき、種々の電子機器の小型、薄型化を可能とすることができる。
【図面の簡単な説明】  図１は、本発明の実施例１にかかる多連チョークコイルの透視斜視図
図２は、同実施例にかかる多連チョークコイルの配線図
図３は、同実施例にかかる多連チョークコイルに用いる端子一体型コイルとなる前の打ち抜き平板の形状を示す平面図
図４は、同実施例にかかる多連チョークコイルに用いる端子一体型コイルの斜視図
図５は、同実施例にかかる多連チョークコイルの図１に示すＡ１−Ａ１線に沿った断面図
図６は、同実施例にかかる多連チョークコイルを用いるマルチフェーズ方式による電源回路の回路図
図７は、本発明の実施例２にかかる多連チョークコイルの透視斜視図
図８は、同実施例にかかる多連チョークコイルの配線図
図９は、同実施例にかかる多連チョークコイルの図７に示すＢ１−Ｂ１線に沿った断面図
図１０は、同実施例にかかる多連チョークコイルの図７に示すＢ１−Ｂ１線に沿った断面図
図１１は、同実施例にかかる多連チョークコイルにおいて、コイルの中心点間距離または高さ位置とインダクタンス値との関係を求めるための基本構成を示す図で、端子一体型コイルのコイル部と周囲の磁性体領域部の斜視図
図１２Ａは、同実施例にかかる多連チョークコイルにおいて、コイルの中心点間距離および高さ位置とインダクタンス値とのそれぞれの関係を求めるための多連チョークコイルの配置構成を示す透視斜視図
図１２Ｂは、同実施例にかかる多連チョークコイルにおいて、コイルの中心点間距離および高さ位置とインダクタンス値とのそれぞれの関係を求めるための多連チョークコイルの配置構成を示す断面図
図１３Ａは、同実施例にかかる多連チョークコイルにおいて、コイルの中心点間距離とインダクタンス値との関係を示す図
図１３Ｂは、同実施例にかかる多連チョークコイルにおいて、コイルの中心点間の高さ位置とインダクタンス値との関係を示す図
図１４は、同実施例にかかる多連チョークコイルの変形例を示す図で、一直線上に配置した複数の端子一体型コイルからずれた位置に別の端子一体型コイルを配置した構成を示す斜視図
図１５は、本発明の実施例３にかかる多連チョークコイルの透視斜視図
図１６は、同実施例にかかる多連チョークコイルの図１５に示すＢ２−Ｂ２線に沿った断面図
図１７Ａは、本発明の実施例４にかかる多連チョークコイルで、正結合構成の場合の透視斜視図
図１７Ｂは、同実施例にかかる正結合構成の多連チョークコイルの配線図
図１８は、同実施例にかかる多連チョークコイルの図１７Ａに示すＡ２−Ａ２線に沿った断面図
図１９Ａは、同実施例にかかる多連チョークコイルの図１７Ａに示すＢ３−Ｂ３線に沿った断面図
図１９Ｂは、同実施例にかかる多連チョークコイルの図１７Ａに示すＢ３−Ｂ３線に沿った断面図
図２０Ａは、同実施例にかかる多連チョークコイルで、負結合構成の場合の透視斜視図
図２０Ｂは、同実施例にかかる負結合構成の多連チョークコイルの配線図
図２１Ａは、同実施例にかかる多連チョークコイルで、２つのコイル内を貫く磁束の向きを同一とした構成の多連チョークコイルの断面図
図２１Ｂは、同実施例にかかる多連チョークコイルで、２つのコイル内を貫く磁束の向きを同一とした構成の多連チョークコイルの断面図
図２２Ａは、同実施例にかかる多連チョークコイルにおいて、コイルの中心点間距離とインダクタンス値との関係を求めるための基本構成を示す図で、端子一体型コイルのコイル部と周囲の磁性体領域部の斜視図
図２２Ｂは、同実施例にかかる多連チョークコイルにおいて、コイルの中心点間距離とインダクタンス値との関係を求めるための多連チョークコイルの配置構成を示す透視斜視図
図２２Ｃは、同実施例にかかる多連チョークコイルにおいて、コイルの中心点間距離とインダクタンス値との関係を求めるための多連チョークコイルの配置構成を示す平面図
図２２Ｄは、同実施例にかかる多連チョークコイルにおいて、コイルの中心点間距離とインダクタンス値との関係を示す図
図２３Ａは、同実施例にかかる多連チョークコイルの変形例で、３連チョークコイルを正結合構成とした場合の透視斜視図
図２３Ｂは、同変形例の正結合構成の３連チョークコイルの配線図
図２３Ｃは、同実施例にかかる多連チョークコイルの別の変形例で、３連チョークコイルを負結合構成とした場合の透視斜視図
図２３Ｄは、同変形例の負結合構成の３連チョークコイルの配線図
図２４Ａは、同実施例にかかる多連チョークコイルのさらに別の変形例で、端子一体型コイルを同一平面上でＶ字型に配置し、負結合構成とした多連チョークコイルの透視斜視図
図２４Ｂは、この別の変形例の多連チョークコイルの側面図
図２４Ｃは、この別の変形例の多連チョークコイルの配線図
図２５は、同実施例にかかる多連チョークコイルのさらにまた別の変形例で、端子一体型コイルの中心点を一直線上に配置した多連チョークコイルの断面図
図２６は、本発明の実施例５にかかる多連チョークコイルの透視斜視図
図２７は、同実施例にかかる多連チョークコイルで、端子一体型コイルを作成するための打ち抜き平板の形状を示す平面図
図２８は、同実施例にかかる多連チョークコイルで、折り曲げて端子一体型コイルとした形状を示す斜視図
図２９は、同実施例にかかる多連チョークコイルの図２６に示すＡ３−Ａ３線に沿った断面図
図３０は、同実施例にかかる多連チョークコイルの図２６に示すＢ４−Ｂ４線に沿った断面図で、正結合構成の場合を示す図
図３１は、同実施例にかかる多連チョークコイルの図２６に示すＢ４−Ｂ４線に沿った断面図で、負結合構成の場合の図
図３２Ａは、同実施例にかかる多連チョークコイルにおいて、コイルの中心点間距離と結合との関係を説明するための図で、中心点間距離Ｒ＝６ｍｍとした構成の多連チョークコイルの断面図
図３２Ｂは、同実施例にかかる多連チョークコイルにおいて、中心点間距離Ｒ＝７ｍｍとした構成の多連チョークコイルの断面図
図３２Ｃは、同実施例にかかる多連チョークコイルにおいて、中心点間距離Ｒ＝８ｍｍとした構成の多連チョークコイルの断面図
図３２Ｄは、同実施例にかかる多連チョークコイルにおいて、中心点間距離Ｒ＝０ｍｍとした構成の多連チョークコイルの断面図
図３３Ａは、本発明の実施例６にかかる多連チョークコイルのコイル部の構成を示す断面図
図３３Ｂは、同実施例にかかる多連チョークコイルで、同様にコイル部の構成を示す断面図
図３４は、同実施例にかかる多連チョークコイルで、コイル部の中心点間距離Ｓとインダクタンス値との関係を示す図
図３５は、同実施例にかかる多連チョークコイルの変形例の多連チョークコイルの断面図
図３６Ａは、同実施例にかかる多連チョークコイルの別の変形例の多連チョークコイルの透視斜視図
図３６Ｂは、上記別の変形例の多連チョークコイルに用いる端子一体型コイルの斜視図
図３６Ｃは、上記別の変形例の多連チョークコイルに用いる端子一体型コイルの斜視図
図３６Ｄは、上記別の変形例の多連チョークコイルの配線図
図３７Ａは、同実施例にかかる多連チョークコイルのさらに別の変形例の多連チョークコイルの透視斜視図
図３７Ｂは、上記さらに別の変形例の多連チョークコイルに用いる端子一体型コイルの斜視図
図３７Ｃは、上記さらに別の変形例の多連チョークコイルに用いる端子一体型コイルの斜視図
図３７Ｄは、上記さらに別の変形例の多連チョークコイルの配線図
図３８Ａは、同実施例にかかる多連チョークコイルのまたさらに別の変形例の多連チョークコイルの透視斜視図
図３８Ｂは、上記またさらに別の変形例の多連チョークコイルに用いる端子一体型コイルの斜視図
図３８Ｃは、上記またさらに別の変形例の多連チョークコイルに用いる端子一体型コイルの斜視図
図３８Ｄは、上記またさらに別の変形例の多連チョークコイルの配線図
図３９は、本発明の実施例７にかかる多連チョークコイルの外観斜視図
図４０は、本発明の実施例７にかかる多連チョークコイルの別の構成を示す外観斜視図
図４１は、本発明の実施例７にかかる多連チョークコイルのさらに別の構成を示す外観斜視図
【発明を実施するための最良の形態】  以下、図面を参照しながら本発明の実施例について詳細に説明する。なお、以下の図面においては、同じ構成要素については同じ符号を付しているので説明を省略する場合がある。
【実施例１】  図１は、本発明の実施例１の多連チョークコイルの透視斜視図である。また、図２は、この多連チョークコイルの配線図である。第一コイル１は、第一入力端子２と第一出力端子３とが一体に形成されて構成されている。第二コイル４も同様に、第二入力端子５と第二出力端子６とが一体に形成されている。第一コイル１と第二コイル４とは同方向に巻回されており、それらの巻回数はともに１．５ターンである。これによって、第一コイル１の第一入力端子２および第二コイル４の第二入力端子５から電流を流した場合、第一コイル１および第二コイル４のコイル内の磁束の向きは同一方向となる。
また、第一コイル１の中心軸と第二コイル４の中心軸とが平行で、かつ第一コイル１は上段に位置し、第二コイル４は下段に位置するように配置されている。なお、それぞれの中心軸とは、リング状のコイルの中心を通る軸線をいう。また、第一コイル１と第二コイル４とは同じ巻回数であるので、その中心点の高さ位置も異なることになる。
さらに、第一コイル１と第二コイル４とは、磁性体７の内部に埋設され、磁性体７は全体がほぼ直方体形状に形成されている。したがって、本実施例の多連チョークコイルは、全体がほぼ直方体形状となるため自動実装する際に取り扱いやすく、実装時のチャッキングミス等が生じ難くなる。
また、図３および図４は、第一コイル１と第二コイル４との作製方法と構成を説明するための図で、図３は打ち抜き平板の形状を示す平面図であり、図４はこれを折り畳んで端子一体型コイル、すなわち第一コイル１と第二コイル４とを作製した状態を示す斜視図である。
ここで、第一コイル１、第二コイル４の具体的構成について、図３および図４を用いて説明する。まず、第一コイル１と第二コイル４となる端子一体型コイルの作製方法とその構造について説明する。図３は、端子一体型コイルとなる前の打ちぬき平板の形状を示す平面図である。打ちぬき平板は、金属平板をエッチングまたは打ち抜きにより形成したリング状の３つの円弧状部３１、これらの円弧状部３１間を連接する連接部３３および二つの円弧状部から延長される２つの端部３２からなる。なお、金属平板としては、銅や銀等の低抵抗で、熱伝導率の大きな材料が主として用いられる。また、打ち抜き平板はエッチングや打ち抜き加工により形成する方法に限定されず、さらに切断加工やプレス成型加工等の加工方法で形成してもよい。
また、３つの円弧状部３１の表面には、絶縁膜５１が形成されている。この絶縁膜５１は、例えばポリイミド等の絶縁性の樹脂を塗布すれば容易に形成できる。これにより、上記の円弧状部３１を折りたたんで上下に重ねあわせてコイル部３４を形成するときに、コイル間の短絡を防止する。また、連接部３３には絶縁膜５１を設けていないので、連接部３３を折り曲げても絶縁膜５１が破れや剥離がおこることがなく、このような絶縁膜５１に起因する特性劣化を防止できる。
この打ち抜き平板の３つの円弧状部３１は、図４に示すように連接部３３にて互いに中心点が重なるように折り曲げられてコイル部３４となる。また、円弧状部３１を折り曲げることにより、２つの端部３２はコイル部３４の中心に対して放射状に設けられたものとなり、端子一体型のコイルを形成する。
これによって、第一コイル１と第二コイル４とは、コイル部３４において絶縁膜５１により絶縁処理が施されたコイル構成を実現できる。したがって、それぞれのコイル間や円弧状部３１間には隙間を設けずに積層することが可能となる。この結果、占積率の大きな多連チョークコイルを実現できる。
つぎに、磁性体７は、例えば軟性磁性体合金粉末にシリコーン樹脂を３．３重量部加えて混合し、メッシュを通して整粒粉末とした複合磁性体を用いることができる。このような複合磁性体は、軟性磁性体合金粉末の粒をシリコーン樹脂が覆う構造となっている。軟性磁性体合金粉末は、例えば水アトマイズ法にて作製した平均粒径１３μｍの鉄（Ｆｅ）−ニッケル（Ｎｉ）を５０：５０の割合とした軟性磁性体合金粉末を用いることができる。
なお、本実施例の多連チョークコイルの磁性体７は金属磁性粉末として軟性磁性体合金粉末、絶縁性樹脂としてシリコーン樹脂を用いてその複合体としたが、これに限定されることはない。例えば、フェライト磁性粉末と絶縁樹脂との複合体、あるいは上記以外の金属磁性粉末と絶縁性樹脂との複合体としてもよく、さらには複合体ではなくフェライト磁性体のみとしてもよい。金属磁性粉末を用いる場合よりも抵抗は高くなるが、抵抗が高いことで逆に渦電流の発生を防ぐことができ、高周波帯域で良好な特性を得ることができる。
また、金属磁性粉末として、その組成が鉄（Ｆｅ）、ニッケル（Ｎｉ）、コバルト（Ｃｏ）を合計で９０重量％以上含み、かつこの金属磁性粉末の充填率が６５体積％から９０体積％としたものを用いてもよい。このような磁性粉末を用いると、飽和磁束密度が高く、かつ透磁率の高い複合体からなる磁性体７を得ることができる。また、この金属磁性粉末の平均粒径を１μｍ〜１００μｍとすると、渦電流の低減にも効果的である。
このような磁性体７は絶縁性に優れるので、複数のコイル間やコイル部３４の間でのショート等を防止することができ、高信頼性の多連チョークコイルを実現できる。また、このような磁性体７を用いることで、多連チョークコイルに電流を流すことで磁性体７に発生する渦電流を抑制することもできるため、高周波帯域に対応できる多連チョークコイルを実現することもできる。さらに、この多連チョークコイルを用いて電源回路機器等を構成した場合に、他の部品等との絶縁性を保つこともできる。
図５は、図１に示す多連チョークコイルのＡ１−Ａ１線に沿った断面図を示す。端子一体型コイルと磁性体７とを用いて、図１および図５に示す多連チョークコイルを製造する方法について説明する。なお、まず、金型に磁性体７を入れ、上記端子一体型コイルを２個それぞれ設定された位置関係を有するように配置する。その後、さらに磁性体７を金型に入れてプレス成形を行う。このプレス成形時の圧力は、例えば３ｔｏｎ／ｃｍ２を加える。また、金型より取り出した後、１５０℃にて１時間程度加熱処理をして硬化させる。さらに、その後それぞれの端部３２を磁性体７の側面部から底面部まで表面にそって折り曲げ、第一入力端子２、第二入力端子５、第一出力端子３および第二出力端子６を形成する。
また、第一入力端子２、第一出力端子３、第二入力端子５および第二出力端子６が磁性体７の表面に露出する部分には、下地層５２が形成され、その下地層５２を覆うように最上層５３が形成される。下地層５２はニッケル（Ｎｉ）層が、最上層５３はハンダ層またはスズ（Ｓｎ）層が好ましい。なお、磁性体７中に埋設されているコイル部３４の表面には絶縁膜５１が形成されている。
上記のように、多連チョークコイルの表面に露出した端子には、その底面部まで含めて最上層５２としてハンダ層が形成されており、これにより多連チョークコイルを基板等により確実に実装することができる。また、端子が多連チョークコイルの側面でなく下面に折り曲げられるため、多連チョークコイルを基板等に実装する際の実装占有面積を小さくできる。さらに、端子には下地層５２としてＮｉ層が形成され、その上に最上層５３として本実施例ではハンダ層が形成されているため、Ｎｉ層の酸化を防ぎ、かつハンダ付け性を良好にできる。
例えば、従来構成の多連チョークコイルの場合、チョークコイルの片方の端子の基板等への実装が不十分な状態で使用された場合には、発熱により基板等から端子がはずれてしまう場合や、多連チョークコイルが基板等から倒立する等の現象が生じる場合もあった。しかし、本実施例の多連チョークコイルの場合には、ハンダ付け性に優れた端子領域が側面部から底面部にかけて形成されているので、このような不良発生を確実に防止することができる。
また、第一コイル１と第二コイル４とは、金属平板を打ち抜き、折り曲げて構成されているので、導線を巻いて構成されるコイルに比べて、高周波帯域で使用しても小さな直流抵抗と充分なインダクタンス値を保持し、かつ大電流を流すことが可能である。また、コイルの巻き数を多くしなくても、充分なインダクタンス値を確保できるため、小型で、低背構成の多連チョークコイルを実現できる。
さらに、第一コイル１と第二コイル４とは磁性体７の内部に埋設されており、その磁性体７は絶縁性に優れたものであるため、複数のコイル間やコイル部３４の間でのショート等の不良発生を防止できる。特に、磁性体７の金属磁性粉末の主成分として、鉄（Ｆｅ）、ニッケル（Ｎｉ）およびコバルト（Ｃｏ）のうち、少なくとも一種類以上含む材料を用いることで、大電流に対応可能な高飽和磁束密度と高透磁率を満たす磁気特性を有する磁性体７を得ることができ、大きなインダクタンス値の多連チョークコイルを実現できる。
以下、本実施例の多連チョークコイルの動作について説明する。第一コイル１と第二コイル４とは、巻き数が同数で巻き方向も同一としてある。第一入力端子２と第二入力端子５とから電流を流すと磁界が生じるが、それぞれのコイル内を貫く磁束の向きは同一方向となる。また、第一コイル１と第二コイル４とは磁気結合するように段違いに配置されている。
第一コイル１に電流を流すと磁束が生じるが、その磁束は第一コイル１のコイル内の中心を貫き、第一コイル１の外側を通り、再び第一コイル１のコイル内の中心に戻るように磁気回路を構成する。第二コイル４に電流を流した時も同様に、磁束は第二コイル４のコイル内の中心を貫き、第二コイル４の外側を通り、再び第二コイル４のコイル内の中心に戻るように磁気回路を構成する。このとき第一コイル１および第二コイル４は段違いに配置されているため、第一コイル１に電流を流すことで生じた磁気回路の磁束の中で、第二コイル４に電流を流すことで生じた磁気回路の磁束と重ねあう磁束が存在する。また、第二コイル４に電流を流した時も同様に、磁気回路の磁束の中で、第一コイル１に電流を流すことで生じた磁気回路の磁束と重ねあう磁束が存在する。
これによって、第一コイル１と第二コイル４とに結合が生じる。また、第一コイル１と第二コイル４とは段違いに配置されているため、第一コイル１で生じる磁気回路の磁束と第二コイル４で生じる磁気回路の磁束との重なりがより増大し、高結合を実現することができる。
多連チョークコイルの場合、そのインダクタンス値は第一コイル１と第二コイル４との結合にも影響を受ける。第一コイル１と第二コイル４との結合は、第一コイル１に電流を流すことで生じた磁気回路の磁束と第二コイル４に電流を流すことで生じた磁気回路の磁束との重なりの程度で変わる。この重なりは、第一コイル１や第二コイル４の配置によって変わる。そのため、第一コイル１の中心点と第二コイル４の中心点との距離を変化させれば、磁束の重なりにも変化が生じる。したがって、第一コイル１や第二コイル４のターン数を変えなくても多連チョークコイルのインダクタンス値を変化させることが可能となる。すなわち、第一コイル１の中心点と第二コイル４の中心点との距離を適当に変化させることで、所定のインダクタンス値を容易に得ることができる。
また同様に、第一コイル１の中心点と第二コイル４の中心点との高さ位置を変化させても同様に磁束の重なりに変化が生じる。したがって、この方法によっても、第一コイル１や第二コイル４のターン数を変えずに多連チョークコイルのインダクタンス値を変化させることが可能となる。特に、コイルの高さ位置を変えれば、より小型で低背構成を実現しやすくなる。
上記したように、本実施例の多連チョークコイルは小型で、高結合が可能で、かつ大電流に対応できる多連チョークコイルを実現できる。特に、本実施例の多連チョークコイルは、図６にその回路図を示すように複数個のＤＣ／ＤＣコンバータを並列に接続した構成の電源回路に用いるのが好ましい。
図６は、マルチフェーズ方式を用いた電源回路の回路図を示す。入力電力６１がスイッチング素子６２に入力され、チョークコイル６３とコンデンサ６４とで積分回路を構成し、出力には負荷６５が接続される。なお、スイッチング周波数としては、例えば５００ｋＨｚを用いる。図６に示す電源回路は、複数個のＤＣ／ＤＣコンバータを位相制御し並列に作動させることによって、より高周波で、かつ大電流化を高効率で実現できる。しかし、従来構成では、出力としてリップル電流が生じることがあった。目標とする直流電流を出力として得るためにも、このリップル電流はできるだけ小さい方がよく、リップル電流の低減化にはチョークコイル６３のインダクタンス値を大きくすることが効果的である。
一方、大電流に対応した電源回路とするためには、大電流を流した時にチョークコイル６３の磁束が飽和するのを防ぐことが必要であり、そのためにはチョークコイル６３のインダクタンス値は小さいほうが好ましい。インダクタンス値を小さくすると、チョークコイル６３の直流重畳特性を高めることができるので、より大電流に対応することができる。また、上記の電源回路が、例えばノートパソコン等の電子機器に搭載されることを想定すると、チョークコイル６３は小型であることも必要である。
そこで、本実施例の多連チョークコイルを、図６に示す電源回路のチョークコイル６３として用いると、高周波帯域で使用可能で、かつ大電流化を高効率で実現できる。また、本実施例の多連チョークコイルは、各コイルの中心点の距離や高さ位置を変化させることで所定のインダクタンス値を得ることができるため、リップル電流の抑制をする場合や大電流に対応する場合等、比較的自由に対応することができる。
なお、本実施例の多連チョークコイルは、端子一体型コイルを二連としたが、三連、四連以上としてもよい。これらの端子一体型コイルを一直線上に配置してもよい。また、直線上に配置した複数の端子一体型のコイルを二列、三列以上に平面に並べても配置してもよく、あるは積み上げた配置でもよい。さらに、コイルの巻き数は１．５ターンには限定されない。さらに、各コイルの巻き数および巻き方向を同一とする必要も特にない。
以上のように、本実施例の多連チョークコイルは、小型で、高結合が可能で、かつ大電流に対応できる多連チョークコイルを実現することができるため、携帯電話等の電子機器に搭載した場合、特に有効である。
【実施例２】  本発明の実施例２の多連チョークコイルについて、図７から図１０を参照しながら説明する。本実施例の多連チョークコイルの基本的な構成は、本発明の実施例１の多連チョークコイルと同様であるが、本実施例では端子一体型コイルを一つ増やしてＶ字状に配置したことが特徴である。
図７は、本実施例の多連チョークコイルの透視斜視図である。また、図８は、この多連チョークコイルの配線図である。第一コイル７１は、第一入力端子７２と第一出力端子７３とが一体に形成されている。第二コイル７４は、同様に第二入力端子７５と第二出力端子７６とが一体に形成されている。また、第三コイル７７も第三入力端子７８と第三出力端子７９とが一体に形成されている。それぞれのコイルは同一方向に巻回されており、巻回数はすべて１．５ターンである。これによって、第一コイル７１、第二コイル７４および第三コイル７７にそれぞれの入力端子から電流を流した場合は、第一コイル７１、第二コイル７４および第三コイル７７のコイル内を貫通する磁束の向きは同一方向となる。
また、第一コイル７１の中心軸、第二コイル７４の中心軸および第三コイル７７の中心軸が平行で、かつ、第一コイル７１および第三コイル７７は上段に位置し、第二コイル７４は下段になるように配置されている。これにより、第一コイル７１、第二コイル７４および第三コイル７７はＶ字状に配置されることになる。第一コイル７１、第二コイル７４および第三コイル７７は磁性体７の内部に埋設され、磁性体７は直方体になるよう形成されている。また、第一コイル７１、第二コイル７４および第三コイル７７は、本発明の実施例１の多連チョークコイルで用いた端子一体型コイルと同様に、金属平板を打ち抜き折り畳んで形成した端子一体型のコイルであり、その製造方法については同じであるので説明を省略する。
図９および図１０は、図７に示す本実施例の多連チョークコイルのＢ１−Ｂ１線に沿った断面図である。なお、これらの図は構成的には同一であるが、図９に示す矢印Ｃ１、Ｃ２、Ｃ３および図１０に示す矢印Ｄ１、Ｄ２、Ｄ３の一部でその向きが異なる。これらの矢印Ｃ１、Ｃ２、Ｃ３、Ｄ１、Ｄ２、Ｄ３は、第一コイル７１、第二コイル７４および第三コイル７７のコイル内を貫通する磁束の向きを示している。
図９の場合、第一コイル７１および第三コイル７７はそれぞれ第一入力端子７２、第三入力端子７８から、また第二コイル７４は第二出力端子７６から、それぞれ電流を入力した時の磁束の向きを示している。したがって、第一コイル７１と第三コイル７７とのコイル内を貫通する磁束の向きと、第二コイル７４のコイル内を貫通する磁束の向きとが逆向きとなる。この状態を正結合とよぶ。
一方、図１０の場合、第一コイル７１、第二コイル７４および第三コイル７７は、それぞれ第一入力端子７２、第二入力端子７５および第三入力端子７８から電流を入力した時の磁束の向きを示している。したがって、第一コイル７１、第二コイル７４および第三コイル７７のそれぞれのコイル内を貫通する磁束の向きが同一方向である。この状態を負結合とよぶ。
上記構成の多連チョークコイルについて、以下その動作を説明する。
図９において、第一コイル７１に電流を流すと磁束が生じるが、その磁束は第一コイル７１のコイル内の中心を貫き、第一コイル７１の外側を通り、再び第一コイル７１のコイル内の中心に戻るように磁気回路を構成する。第二コイル７４と第三コイル７７とに電流を流した時も同様に磁気回路を構成する。このとき、第一コイル７１、第二コイル７４および第三コイル７７はＶ字状に配置されているため、第一コイル７１、第二コイル７４および第三コイル７７に電流を流すことで生じた磁気回路の磁束の中で重なり合う磁束が存在する。特に、この磁束の重なりが強いのはそれぞれコイルの中心付近である。
すなわち、第一コイル７１に電流を流すことで生じる磁束の中には、第二コイル７４のコイル内の中心を貫く磁束があり、同様に第三コイル７７に電流を流すことで生じる磁束の中にも、第二コイル７７のコイル内の中心を貫く磁束がある。そして、この第二コイル７４のコイル内の中心を貫く磁束の向きと、第二コイル７４に電流を流した時の第二コイル７４のコイル内の中心を貫く磁束の向きとが同じであるため、第二コイル７４内の中心を貫く磁束が大きくなる。
また、第二コイル７４に電流を流すことで生じる磁束の中には、第一コイル７１および第三コイル７７のコイル内の中心を貫く磁束がある。そして、この第一コイル７１および第三コイル７７のコイル内の中心を貫く磁束の向きと、第一コイル７１および第三コイル７７に電流を流した時の第一コイル７１のコイル内および第三コイル７７のコイル内の中心を貫く磁束の向きとが同じであるため、第一コイル７１のコイル内のおよび第三コイル７７のコイル内の中心を貫く磁束が大きくなる。
これによって、多連チョークコイルに大きな磁界が発生することとなり、インダクタンス値がより大きくなる。したがって、この正結合の多連チョークコイルを図６に示す電源回路のチョークコイル６３として用いると、正結合の多連チョークコイルはインダクタンス値が大きいことからリップル電流を抑制し、高周波帯域で使用可能で、かつ大電流に対応できる電源回路を実現できる。
図１０に示す構成の場合、第一コイル７１に電流を流すと磁束が生じるが、その磁束は第一コイル７１のコイル内の中心を貫き、第一コイル７１の外側を通り、再び第一コイル７１のコイル内の中心に戻るように磁気回路を構成する。第二コイル７４および第三コイル７７に電流を流した時も同様に磁気回路を構成する。このとき、第一コイル７１、第二コイル７４および第三コイル７７はＶ字状に配置されているため、第一コイル７１、第二コイル７４および第三コイル７７に電流を流すことで生じた磁気回路の磁束の内で重なり合う磁束が存在する。特に、この磁束の重なりが強いのはそれぞれコイルの中心付近である。
第一コイル７１に電流を流すことで生じる磁束の中には、第二コイル７４のコイル内の中心を貫く磁束がある。同様に、第三コイル７７に電流を流すことで生じる磁束の中にも、第二コイル７４のコイル内の中心を貫く磁束がある。そして、この第二コイル７４のコイル内の中心を貫く磁束の向きと、第二コイル７４に電流を流した時の第二コイル７４のコイル内の中心を貫く磁束の向きとが反対方向であるため、第二コイル７４のコイル内の中心を貫く磁束が小さくなる。
また、第二コイル７４に電流を流すことで生じる磁束の中には、第一コイル７１および第三コイル７７のコイル内の中心を貫く磁束がある。そして、この第一コイル７１および第三コイル７７のコイル内の中心を貫く磁束の向きと、第一コイル７１および第三コイル７７に電流を流した時の第一コイル７１のコイル内および第三コイル７７のコイル内の中心を貫く磁束の向きとが異なるため、第一コイル７１のコイル内および第三コイル７７のコイル内の中心を貫く磁束が小さくなる。
この結果、多連チョークコイルに発生する磁界が小さくなり、インダクタンス値を小さくすることができる。したがって、このような負結合の多連チョークコイルを図６に示す電源回路のチョークコイル６３として用いると、インダクタンス値が小さくなるためチョークコイル６３の直流重畳特性を高めることができ、より大電流に対応できる電源回路を実現できる。
本実施例の多連チョークコイルのインダクタンス値は、第一コイル７１、第二コイル７４および第三コイル７７の結合によって影響を受ける。すなわち、第一コイル７１、第二コイル７４および第三コイル７７の結合は、第一コイル７１、第二コイル７４および第三コイル７７に電流を流すことで生じる磁気回路の磁束の重なりの程度で変わる。この重なりは、第一コイル７１、第二コイル７４および第三コイル７７の配置によって変わる。そのため、第２コイル７４を基準として、その両端のコイルである第一コイル７１の中心点と第三コイル７７の中心点との距離をそれぞれ変化させることで、磁束の重なりを変化させることができる。この磁束の重なりの変化により、第一コイル７１、第二コイル７４および第三コイル７７のターン数を変えることなく、多連チョークコイルのインダクタンス値を変化させることが可能となる。
ここで、正結合又は負結合している本実施例の多連チョークコイルの第一コイル７１の中心点と第二コイル７４の中心点との距離または高さ位置とインダクタンス値との関係を求めた結果を図１１から図１３Ｂまでに示す。
図１１は、本実施例で用いた端子一体型コイルのコイル部３４とその周囲の磁性体７の領域部分を抽出して示した透視斜視図である。磁性体７であるコアは、縦１０ｍｍ、横１０ｍｍ、高さ３．５ｍｍの直方体であり、端子一体型コイルのコイル部３４は、内径４．２ｍｍ、外形７．９ｍｍ、高さ１．７ｍｍおよび透磁率μ＝２６とした。なお、図７から図１０までにおいては、巻き数１．５ターンとしているが、上記関係についてはその巻き数を３ターンとして求めた。
また、図１２Ａと図１２Ｂとは、図１１に示す端子一体型コイルのコイル部３４を用いた場合の多連チョークコイルの配置構成の透視斜視図（図１２（Ａ））と断面図（図１２（Ｂ））である。これらは、第二コイル７４を基準とした第一コイル７１および第３コイル７７間のそれぞれの距離Ｄとインダクタンス値との関係、および第二コイル７４を基準とした第一コイル７１および第３コイル７７の高さ位置Ｈとインダクタンス値との関係をそれぞれ求めるための構成を説明する図である。
図１３Ａは、高さ位置ＨをＨ＝２．７ｍｍと一定にして、第一コイル７１の中心点と第二コイル７４の中心点との距離Ｄ（これは第三コイル７７の中心点と第二コイル７４の中心点との距離Ｄと等しい）を変化させたときのインダクタンス値Ｌを求めた結果である。この結果から、コイルを正結合の配置とした場合には、負結合の配置とした場合に比べてインダクタンス値を大きくすることができる。また、距離Ｄを変化させることで、インダクタンス値Ｌを可変できることがわかった。
図１３Ｂは、距離Ｄを一定として、高さ位置Ｈを変化させた場合のインダクタンス値Ｌとの関係を示す図である。この図からわかるように、高さ位置Ｈを変化させることで、インダクタンス値Ｌを可変できることも見出された。なお、このときには、距離ＤはＤ＝６．５ｍｍで一定とした。
これによって、第一コイル７１の中心点と第三コイル７７の中心点の位置を変えて距離Ｄ、高さ位置Ｈを変化させることで、所望のインダクタンス値Ｌを得る多連チョークコイルを実現できる。なお、本実施例では、第一コイル７１の中心点と第二コイルとの７４の中心点との距離と、第三コイル７７の中心点と第二コイル７４の中心点との距離とは同じとしたが、本発明はこれに限定されない。これらの距離はそれぞれ異なっていてもよい。また、本実施例では第一コイル７１と第三コイル７７との高さ位置を同じとしたが、必ずしも同じである必要はなく異なっていてもよい。
これらの結果から、インダクタンス値が大きくなるように第二コイル７４を基準として、第一コイル７１の中心点と第三コイル７７の中心点との距離を設計に応じた配置構成とした多連チョークコイルを、実施例１の多連チョークコイルと同様に図６に示す電源回路のチョークコイル６３に用いると、リップル電流を抑制し、高周波帯域で大電流に対応できる電源回路を実現できる。
一方、インダクタンス値を抑制するように第一コイル７１の中心点と第三コイル７７の中心点との距離を同様に設計に応じた配置構成とした多連チョークコイルを、実施例１の多連チョークコイルと同様に図６に示す電源回路のチョークコイル６３に用いると、チョークコイル６３の直流重畳特性を高めることができ、より大電流に対応できる電源回路を実現することもできる。
なお、本実施例の多連チョークコイルでは、コイルを三連としたが、四連以上として一直線上に増やしても良い。また、直線上に配置した複数の端子一体型のコイルを二列、三列以上と平面に並べても良く、積層するようにしてもよい。さらに、コイルの巻き数は１．５ターンに限定されることもない。また、各コイルの巻回数および巻回方向を同一としなくてもよい。さらに、本実施例では、各コイルの配置をＶ字状としたが、逆Ｖ字状に配置してもよい。
さらに、図１４に示すように、一直線上に設置した複数の端子一体型のコイル１２１、１２１からずれた位置に端子一体型コイル１２２を配置することもできる。これによって、磁性体７内のコイルの充填率を高め、多連チョークコイル全体をより小型化することが可能である。
以上のように、本実施例の多連チョークコイルは、小型化、高結合が可能で、大電流に対応できる多連チョークコイルを実現することができるため、携帯電話等の電子機器に用いると大きな効果を発揮する。
【実施例３】  本発明の実施例３の多連チョークコイルについて図１５と図１６を参照しながら説明する。本実施例の多連チョークコイルの基本的な構成は、実施例１の多連チョークコイルと同様である。
図１５は、本実施例の多連チョークコイルの透視斜視図である。第一コイル１３１、第二コイル１３２および第三コイル１３３は、実施例１の多連チョークコイルで用いたコイルと同様に、金属平板を打ち抜き折り畳んで形成した端子一体型のコイルからなる。それぞれのコイルの巻回数はともに２．５ターンである。
図１６は、図１５に示す多連チョークコイルのＢ２−Ｂ２線に沿った断面図である。第一コイル１３１の中心軸、第二コイル１３２の中心軸および第三コイル１３３の中心軸が平行で、かつ、第一コイル１３１および第三コイル１３３は上段に位置し、第二コイル１３２は下段になるように配置されている。また、第一コイルの端部１３４、第二コイルの端部１３５および第三コイルの端部１３６は同一平面になるように配置されている。第一コイル１３１、第二コイル１３２および第三コイル１３３のコイル部は磁性体７の内部に埋設されている。
上記構成の多連チョークコイルについて、以下その動作を説明する。
本実施例の多連チョークコイルが、コイルの結合により小型化、高結合が可能で、大電流に対応できることについては実施例１と同様である。本実施例の多連チョークコイルでは、コイルのターン数および配置に特徴をもたせることで、さらに小型、低背構成を実現することができる。
図１６に示すように、２ターン分の高さを有する第二コイル１３２の右側部分の上に、３ターン分の高さを有する第一コイル１３１の左側部分が積層されている。また、３ターン分の高さを有する第二コイル１３２の左側部分の上に、２ターン分の高さを有する第三コイル１３３の右側部分が積層されている。第一コイル１３１、第二コイル１３２および第三コイル１３３が、それぞれ２．５ターンとしてあるので、このようなコイル配置が可能となる。したがって、第一コイル１３１および第三コイル１３３を上段に、第二コイルを下段に配置する構成したときに無駄な空間を作らずに、充填度を大きくしたコイルの積層構成が容易に実現できる。これによって、さらに小型で低背構成の多連チョークコイルを実現できる。
このような多連チョークコイルを図６に示す電源回路のチョークコイル６３として用いると、設計上要求されるインダクタンス値を容易に確保しながら、小型化することができ、小型で高性能の電源回路機器を実現できる。
【実施例４】  本発明の実施例４にかかる多連チョークコイルの構成を図１７Ａ、図１７Ｂおよび図１８を用いて説明する。図１７Ａは、本実施例の多連チョークコイルの透視斜視図であり、図１７Ｂは、その配線図である。図１８は、図１７Ａに示す多連チョークコイルのＡ２−Ａ２線に沿った断面図である。
まず、端子一体型のコイル５０は実施例１の図３と図４とに示された作製方法とおなじように作製すればよいので、説明を省略する。なお、端子一体型のコイル５０の巻回数は特に整数とする必要はなく、１．５ターン、１．７５ターン等と自由に設定できる。また、コイルのサイズやインダクタンス値等に関しても同様である。本実施例では、これらのコイルを単に端子一体型コイル５０として、以下説明する。したがって、これらに接続されている端子についても、単に入力端子２０および出力端子３０として説明する。また、磁性体７も実施例１で説明した材料と同じものを同じ製造方法で作製することができるので、説明は省略する。
本実施例の多連チョークコイルは、磁性体７の中に複数の端子一体型のコイル５０を配置することによって構成されている。多連チョークコイルは、まず金型に端子一体型のコイル５０をそれぞれ所定の位置関係として配置し、端部を除く部分を磁性体７で覆いプレス成型を行なう。このプレス成型条件も実施例１と同じようにすればよいので、説明を省略する。
磁性体７から突出した端部は外層の表面へと表出され折り曲げられ、その露出部には銅や銀からなる端子の酸化の防止と半田等の接続信頼性の向上のためにニッケル（Ｎｉ）またはニッケル（Ｎｉ）を含む合金からなる下地層５２が形成される。さらに、そのＮｉまたはＮｉを含む合金の下地層５２上にハンダまたはスズ（Ｓｎ）あるいは鉛（Ｐｂ）の最上層５３が形成されている。
この表出された全ての端部は、多連チョークコイルの底面および底面に隣接する面に沿って折り曲げられて入力端子２０と出力端子３０とが形成される。これにより、実質的にリードレス構造となるのでリード付き構成の従来の多連チョークコイルに比べて高密度な実装が可能となる。上記の製造方法についても実施例１と基本的には同じである。
なお、磁性体７は直方体形状とすることが好ましいことは、実施例１の場合と同じである。これにより、自動実装のための吸着やプリント基板上への位置合せ等も容易にできるようになる。なお、実装の向きや端子の極性を表示してもよいし、面取りをしてもよい。さらに、多角形や円柱形状でも、上面が平坦形状であれば特に制約はない。
以下、磁性体７の中に埋設する複数のコイルの配置構成について説明する。本実施例では、図１７Ａに示すように、コイルのサイズ、巻数とも同じ２つのコイルを同じ平面で、かつ、それぞれのコイルの中心にて発生する磁束が逆向きに発生するように配置している。図１７Ｂはその配線図であり、それぞれの端子一体型のコイル５０、５０の入力端子２０と出力端子３０とには、それぞれ電源接続部Ｉ１、Ｉ２、Ｏ１、Ｏ２を表示してある。
以上の構成とした場合、生じる磁界がどのようになるかを説明する。図１９Ａと図１９Ｂとは、図１７Ａに示すＢ３−Ｂ３線に沿った断面図で、電流を流した際にそれぞれのコイル内を貫く磁束の向きがそれぞれ交互に異なる。したがって、それぞれのコイル内を貫通する磁束は重畳されるように磁気回路が形成されている。この結果、それぞれのコイルのインダクタンス値が大きくなる。このような磁束の結合を生ずるコイルの向きの配置は正結合構成である。
一方、図１７Ａと同じようにコイルのサイズや巻回数が同じ２つのコイルを同じ平面に配置するが、それぞれに電流を流した際にコイル内を貫く磁束の向きが同一になるように配置する多連チョークコイル構成もある。図２０Ａは、同じ巻回方向の端子一体型コイル５０を同じ平面に配置した多連チョークコイルの透視斜視図である。また、図２０Ｂはその配線図を示す。それぞれの端子一体型のコイル５０、５０の入力端子２０と出力端子３０とには、それぞれ電源接続部Ｉ１、Ｉ２、Ｏ１、Ｏ２を示してある。
図２１Ａと図２１Ｂとは、この多連チョークコイルの断面図で、電流を流した際にそれぞれのコイル内を貫く磁束がすべて同一方向である。したがって、それぞれのコイル内を貫く磁束はコイルの外側を通り元に戻るが、この場合の磁束の結合は弱く、多連チョークコイル全体で発生する磁束が打ち消し合う方向にそれぞれ磁気回路が形成されている。つまり、磁束の飽和を抑制する効果が得られる。すなわち、このコイルの配置構成は負結合である。
以上、述べたように、正結合と負結合の配置では、それぞれ異なった特性が得られる。以下、正結合をしている２つのコイルの中心点間距離Ｒとインダクタンス値Ｌとの関係、および負結合の配置をとっている場合の２つのコイルの中心点間距離Ｒとインダクタンス値Ｌとの関係を求めた結果について説明する。
図２２Ａは、一個のコイル部３４とその周囲を取り囲む磁性体７の一部とを示す透視斜視図である。コイル部３４のサイズは内径４．２ｍｍ、外径７．９ｍｍ、高さ１．７ｍｍで、その巻数は３ターンとした。また、磁性体７からなるコアは、透磁率μ＝２６、サイズが１０ｍｍ×１０ｍｍ×３．５ｍｍとし、これらから得られるインダクタンス値ＬはＬ＝０．５９５μＨである。
図２２Ｂと図２２Ｃとは、図２２Ａに示す単位構成のコイル部３４と磁性体７とを２つ同一平面上に配置した構成を示す透視斜視図と平面図である。このような構成の多連チョークコイルにおいて、正結合構成と負結合構成との構成の違いをパラメータとして、中心点間距離Ｒとインダクタンス値Ｌを比較した結果を図２２Ｄに示している。
２つのコイル５０、５０の中心点間の距離Ｒを１０ｍｍとしたとき、正結合構成ではインダクタンス値Ｌが０．５７９μＨ、負結合構成ではインダクタンス値Ｌは正結合構成のインダクタンス値Ｌの−１．４％小さい０．５７１μＨとなった。同様に、中心点間距離Ｒを９．２ｍｍとしたとき、正結合構成ではインダクタンス値Ｌが０．５８３μＨとなり、負結合構成ではそれよりも−２．７％小さい０．５６７μＨとなった。
すなわち、正結合構成においては、中心点間距離Ｒを小さくするにつれて、そのインダクタンス値Ｌは大きくなる。一方、負結合構成においては、中心点間距離Ｒを小さくするにつれて、そのインダクタンス値Ｌも小さくなる。つまり、正結合構成では、中心点間距離Ｒを小さくすればインダクタンス値Ｌを大きくすることができ、各コイルの巻回数を増やさなくても、大きなインダクタンス値を得ることができる。さらに、コイルの中心点間距離Ｒが小さいほど、インダクタンス値Ｌを大きくすることができるので、多連チョークコイルの小型化を図るうえでも好ましい。
一方、負結合構成では、コイルの中心点間距離Ｒが小さいほど、インダクタンス値Ｌも小さくなる。負結合構成においては、それぞれのコイルで発生する直流磁界成分が打ち消し合うので、大電流を流しても磁束が飽和することを防止しやすい。すなわち、負結合構成では、複数のコイルを内蔵したチョークコイルとすることで、コイル１つからなるチョークコイルを複数組み合わせて使用する場合よりも、小型化が可能であるだけでなく、直流重畳特性も大幅に改善することができる。
つぎに、３つの端子一体型のコイルを磁性体７中に配置した多連チョークコイル（以下、３連チョークコイルとよぶ）について説明する。
図２３Ａは、３つの端子一体型のコイル５０１、５０２、５０３を一直線上に配置した構成を示す透視斜視図である。なお、これらの端子一体型コイルのそれぞれを区別して、以下では右コイル５０１、中央コイル５０２および左コイル５０３とよぶ。図２３Ｂは、このような配置構成で、かつ、それぞれが正結合構成となるように配置した３連チョークコイルの配線図を示す。また、図２３Ｃは、同様に３つの端子一体型のコイル５０１、５０３、５０４を一直線上に配置し、負結合構成の３連チョークコイルの透視斜視図である。同様に、これらの端子一体型コイル５０１、５０３、５０４のそれぞれを区別して、以下では右コイル５０１、中央コイル５０４および左コイル５０３とよぶ。この構成では、中央コイル５０４も含めて、右コイル５０１と左コイル５０３ともに同じ巻回方向である。図２３Ｄは、この多連チョークコイルの配線図を示す。なお、図２３Ｂおよび図２３Ｄにおいて、入力端子２０と出力端子３０との電源接続部を、それぞれＩ１、Ｉ２、Ｉ３、Ｏ１、Ｏ２、Ｏ３と表示している。
表１は、本実施例におけるコイルの正結合構成と負結合構成との違いによる各コイルのインダクタンス値Ｌの結果を示す。
2004055841.tif 000003
表１からわかるように、３つのコイルの平均インダクタンス値は正結合構成の方が、負結合構成の配置の場合よりも大きくなる。中央コイル５０２のみをみると、負結合構成では０．５７０４μＨで、正結合構成の場合の０．５８７０μＨよりも−２．８％小さい。
以上、述べたように、３つの端子一体型のコイル５０１、５０２、５０３を用いた３連チョークコイルにおいても、２つの端子一体型のコイル５０を用いた場合と同様、正結合構成または負結合構成、あるいはコイルの中心点間距離Ｒによって、インダクタンス値Ｌを任意に調節可能であり、多連チョークコイルの使用目的に合せてインダクタンス値Ｌを設定できるので最適な設計が容易に行なえる。
なお、本実施例では、２連および３連構成について説明したが，本発明はこれに限定されない。さらに端子一体型のコイルを４連以上として、一直線上に配置してもよい。また、直線上の複数の端子一体型のコイルを並べて２列以上に配置してもよい。
しかも、一直線上に配置した複数の端子一体型のコイルからはずれた位置に、少なくとも一個の端子一体型コイルを配置してもよい。図２４Ａは、同じ巻回数の３つの端子一体型のコイル５０５、５０６、５０７を同一平面上でＶ字型に配置して、負結合構成とした多連チョークコイルの透視斜視図である。また、図２４Ｂはその側面図で、図２４Ｃは配線図である。端子一体型のコイル５０５、５０６、５０７は、それぞれ入力端子５０５２、５０６２、５０７２と出力端子５０５３、５０６３、５０７３とが同じ方向に表出するような構成としてある。このようなコイルも実施例１と同じように金属平板をエッチングまたは打ち抜き加工して作製することができる。このように、複数のコイルを交互に配置することにより、磁性体７内の端子一体型のコイル５０５、５０６、５０７の充填率を大きくでき、全体を小型化することも可能である。
また、図２３Ａに示すような構成の多連チョークコイルでは、異なる巻回数のコイルの組み合わせも可能である。例えば、図２５は、端子一体型のコイルの中心点を一直線上になるように配置した構成の多連チョークコイルの断面図である。この構成の場合、巻回数２ターンの端子一体型のコイル５０９、５１０と巻回数３ターンの端子一体型のコイル５０８とを、それぞれのコイル５０８、５０９、５１０の中心点を一直線上に並べて配置している。
このように本実施例によれば、巻回数やサイズによらず、複数のコイルを正結合構成または負結合構成とすることや、それぞれのコイルの中心点間距離を調整して磁性体７の中に埋設させることで、設計に対応して高精度にインダクタンス値を制御できるだけでなく、小型で低背構成の多連チョークコイルを実現できる。
これらの構成からなる多連チョークコイルを実施例１の図６で説明した電源回路のチョークコイルとして用いると、例えば、正結合構成の配置をとっている複数の端子一体型のコイルを内蔵した多連チョークコイルでは、大きなインダクタンス値を得ることができる。したがって、これをチョークコイル６３として用いると、リップル電流を抑制できる電源回路が可能である。
また、例えば負結合構成の配置をとっている複数の端子一体型のコイルを内蔵した多連チョークコイルでは、インダクタンス値を小さくすることが容易に行なえるので、より大電流に対応した電源回路を実現できる。なお、このような電源回路はパソコンや携帯電話などの電源回路として用いることが好ましい。
【実施例５】  図２６は、本発明の実施例５にかかる多連チョークコイルの透視斜視図である。本実施例では、端子一体型のコイルを２個用いて磁性体６０７中に埋設している。第一コイル６０１は、第一入力端子６０２と第一出力端子６０３とが一体に形成されている。第二コイル６０４は、第二入力端子６０５と第二出力端子６０６とが同様に一体に形成されている。それぞれのコイルの巻回方向は異なるが、巻回数はともに２．０ターンである。これにより、第一コイル６０１および第二コイル６０４に、それぞれの第一入力端子６０２と第二入力端子６０５とから電流を流した場合、第一コイル６０１および第二コイル６０４のそれぞれのコイル内の磁束の向きは異なる方向となる。
また、第一コイル６０１の中心軸と第二コイル６０４の中心軸とが平行で、かつ、第一コイル６０１の２ターン分で第二コイル６０４の１ターン分をかみ合わせた配置としている。第一コイル６０１と第二コイル６０４とは、磁性体６０７の内部に埋設され、磁性体６０７は直方体形状に形成されている。このような配置により、第一コイル６０１および第二コイル６０４は磁気結合することができる。
このように、本実施例の多連チョークコイルは直方体形状であるため、多連チョークコイルを自動実装する際に取り扱いやすい。
ここで、第一コイル６０１および第二コイル６０４となる端子一体型のコイルの製造方法とその具体的構成を図２７と図２８とを用いて説明する。
まず、図２７に示すように、金属平板をエッチングまたは打ち抜いて形成された２つの円弧状部６３１、この２つの円弧状部６３１をつなぐ連接部６３３および２つの円弧状部６３１の一端部から延長されたそれぞれの端部６３５からなる打ち抜き平板を作製する。なお、金属平板は銅や銀等の低抵抗で、高熱伝導性の材料であれば特に限定されない。
さらに、２つの円弧状部６３１の表面には絶縁膜６３２を形成する。これにより、打ち抜き平板の２つの円弧状部６３１を折り畳んで上下に重ね合わせて構成されるコイル部６３４において、コイルとなる円弧状部６３１間の短絡を防止できる。なお、連接部６３３の表面には絶縁膜６３２は形成しない。このように、連結部６３３を除いた領域に絶縁膜６３２を設けているので、連接部６３３を折曲しても絶縁膜６３２の破れや剥離等が発生せず、このような絶縁膜６３２に起因するコイルの特性劣化を抑制できる。
この打ち抜き平板は、図２８に示すように２つの円弧状部６３１の連接部６３３にて互いに中心点が重なるように折り曲げられて、２つの円弧状部６３１はコイル部６３４となる。また、２つの端部６３５はコイル部６３４の中心に対して放射状に設けられたものとなり、端子一体型のコイルが形成される。なお、本実施例では、第一コイル６０１と第二コイル６０４とは、第一コイル６０１の２ターン分で第二コイル６０４の１ターン分をかみ合わせる構成としているので、それぞれのコイル部６３４については円弧状部６３１の厚み分だけ隙間を設けて積層している。
このような打ち抜き平板を用いることにより、円弧状部６３１が積層されてなるコイル部６３４には絶縁膜６３２による絶縁処理が施されているため、円弧状部６３１間に隙間を設けることなく積み上げることが可能となり、占積率の高い多連チョークコイルを実現することができる。
なお、図２７および図２８では、端子一体型のコイルとして２ターンの場合を示しているが、打ち抜き平板状態で円弧状部６３１の数をさらに増加させていけば３ターン以上でも容易に作製できることは明らかである。
なお、磁性体６０７としては、実施例１で説明した材料および製造方法により作製できるので説明を省略する。
図２６に示す多連チョークコイルの製造方法についても、実施例１と同じ製造方法により作製できるので、同様に説明を省略する。
図２９は、図２６に示す多連チョークコイルのＡ３−Ａ３線に沿った断面図を示す。第一コイル６０１の第一入力端子６０２および第一出力端子６０３は、磁性体６０７の側面から底面に沿うように形成されている。また、第一入力端子６０２および第一出力端子６０３が磁性体６０７の表面に露出する部分には下地層５２が形成され、この下地層５２を覆うように最上層５３が形成される。下地層５２はメッキにより形成したニッケル（Ｎｉ）層が好ましく、最上層５３はハンダ層またはスズ（Ｓｎ）層が好ましい。これらについても実施例１と同じである。
これによって、第一入力端子６０２、第二入力端子６０５、第一出力端子６０３および第二出力端子６０６は、それぞれ磁性体６０７の底面に折り曲げられた領域部にも最上層５３として、例えばハンダ層が形成されているために多連チョークコイルをプリント基板等に対して、より確実に実装することができる。また、これによりリードレス構造となるので高密度で実装することもできる。
本実施例の多連チョークコイルは、第一コイル６０１および第二コイル６０４は金属平板を打ち抜き折り曲げて構成されている。したがって、導線を巻き、導線の先端部に端子を取り付けて構成される従来のコイルに比べて、高周波領域で必要とされるインダクタンス値および低い直流抵抗値を確保しやすく、この結果大電流に対応することが容易になる。
また、コイルの巻回数を多くしなくても必要とされるインダクタンス値を確保できるため、小型で低背構成の多連チョークコイルを実現することができる。
また、第一コイル６０１および第二コイル６０４は磁性体６０７の内部に埋設され、その磁性体６０７は絶縁性に優れ、コイル間やコイル部６３４の間でのショート不良発生を防止でき、高信頼性の多連チョークコイルを実現できる。特に、金属磁性粉末の主成分を鉄（Ｆｅ）、ニッケル（Ｎｉ）、コバルト（Ｃｏ）のうちから選択された一種類以上を含んだ磁性体６０７とすることによって、大電流に対応可能な高飽和磁束密度と高透磁率の磁気特性を有する磁性体６０７を得ることができ、インダクタンス値の大きな多連チョークコイルを実現することができる。
上記構成の多連チョークコイルについて、以下その動作を説明する。
第一コイル６０１および第二コイル６０４は、巻回数が同数で、巻回方向は逆である。したがって、第一入力端子６０２および第二入力端子６０５から電流を流すと、生じた磁界によりそれぞれのコイル内を貫く磁束の向きは逆向きとなる。図３０は、図２６に示す本実施例の多連チョークコイルのＢ４−Ｂ４線に沿った断面図で、それぞれのコイル内を貫く磁束の向きを矢印で示している。第一コイル６０１および第二コイル６０４のそれぞれのコイル内の磁束の向きが逆向きであり、正結合構成である。
一方、図３１は、同様に図２６に示す多連チョークコイルのＢ４−Ｂ４線に沿った断面図で、それぞれのコイル内を貫く磁束の向きを矢印で示している。この場合には、第一コイル６０１は第一入力端子６０２から、第二コイル６０４は第二出力端子６０６から電流を入力しており、第一コイル６０１のコイル内の磁束の向きと、第二コイル６０４のコイル内の磁束の向きとが同じ向きであり、負結合構成である。
上記構成の多連チョークコイルについて、以下その動作を説明する。
図３０に示すように、第一コイル６０１に電流を流すと磁束が生じるが、その磁束は第一コイル６０１のコイル内を貫き、第一コイル６０１の外側を通り、再び第一コイル６０１のコイル内に戻る磁気回路を構成する。第二コイル６０４に電流を流した時も同様に磁気回路を構成する。
このとき、第一コイル６０１および第二コイル６０４は、一部がかみ合うように配置されているため、第一コイル６０１および第二コイル６０４に電流を流すことで生じた磁気回路の磁束の中で重なり合う磁束が存在する。特に、この磁束の重なりが強いのはそれぞれのコイルの中心付近である。
すなわち、第一コイル６０１に電流を流すことで生じる磁束の中には第二コイル６０４のコイル内を貫く磁束があり、同様に第二コイル６０４に電流を流すことで生じる磁束の中にも第一コイル６０１のコイル内を貫く磁束がある。そして、この第一コイル６０１のコイル内を貫く磁束の向きと、第二コイル６０４に電流を流した時の第一コイル６０１のコイル内を貫く磁束の向きとが同じであるため、これらが重畳されて第一コイル６０１のコイル内を貫く磁束が大きくなる。また、第二コイル６０４についても同様に重畳されるため、第一コイル６０１のコイル内を貫く磁束が大きくなる。
これによって、多連チョークコイルに大きな磁界が発生することとなり、インダクタンス値がより大きくなる。したがって、正結合構成とした多連チョークコイルを、実施例１の図６に示した電源回路のチョークコイル６３として用いると、正結合の多連チョークコイルはインダクタンス値が大きくできるので、リップル電流を抑制でき、高周波帯域で大電流に対応できる電源回路を実現できる。
また、図３１に示す構成の多連チョークコイルでも、第一コイル６０１に電流を流すと磁束が生じるが、その磁束は第一コイル６０１のコイル内を貫き、第一コイル６０１の外側を通り、再び第一コイル６０１のコイル内に戻る磁気回路を構成する。さらに、第二コイル６０４に電流を流した時も同様に磁気回路を構成する。このとき、第一コイル６０１および第二コイル６０４は一部のコイルがかみ合うように配置されているため、第一コイル６０１および第二コイル６０４に電流を流すことで生じた磁気回路の磁束の内で重なり合う磁束が存在する。特に、この磁束の重なりが強いのはそれぞれコイルの中心付近となる。
図３１に示すように、第一コイル６０１に電流を流すことで生じる磁束の中には、第二コイル６０４のコイル内を貫く磁束があり、同様に第二コイル６０４に電流を流すことで生じる磁束の中にも第一コイル６０１のコイル内を貫く磁束がある。
そして、第二コイル６０４に電流を流して生じるコイル内を貫く磁束の向きと、第一コイル６０１に電流を流したときに第二コイル６０４のコイル内を貫く磁束の向きとが反対であるため、第二コイル６０４のコイル内を貫く磁束が小さくなる。また、同様に第一コイル６０１に電流を流して生じるコイル内を貫く磁束の向きと、第二コイル６０４に電流を流したときに第一コイル６０１のコイル内を貫く磁束の向きとが異なるため、第二コイル６０４のコイル内を貫く磁束が小さくなる。これによって、多連チョークコイルに発生する磁界を小さくすることが可能となり、磁束が飽和するのを抑制できる。
したがって、負結合構成の多連チョークコイルを、同様に実施例１の図６に示す電源回路のチョークコイル６３として用いると、磁束の飽和を抑制できるのでチョークコイル６３の直流重畳特性を高めることができ、より大電流に対応できる電源回路を実現できる。
また、多連チョークコイルのインダクタンス値は、第一コイル６０１と第二コイル６０４との結合状態により影響される。この第一コイル６０１および第二コイル６０４の結合は、第一コイル６０１および第二コイル６０４に電流を流すことで生じる磁気回路の磁束の重なりの程度で変わり、この重なりは第一コイル６０１および第二コイル６０４の配置によって変えることができる。
そのため、多連チョークコイルの第一コイル６０１のコイルの中心点と第二コイル６０４のコイルの中心点との距離を変化させれば、磁束の重なりの程度を変えることができ、結果として第一コイル６０１および第二コイル６０４の巻回数を変えなくても、多連チョークコイルのインダクタンス値を変化させることが可能となる。これによって、設計上必要とされるインダクタンス値を簡単に得ることができる。
以下、第一コイル６０１のコイルの中心点と第二コイル６０４のコイルの中心点との距離を変化させたときの中心点との距離Ｒと結合との関係について、具体例をもとに説明する。以下では、第一コイル６０１および第二コイル６０４のサイズは、外形を８．０ｍｍ、内径を４．０ｍｍ、板厚を０．５ｍｍとし、磁性体６０７のサイズは縦１０ｍｍ、横１６ｍｍ、高さ３．５ｍｍとする。
図３２Ａは、第一コイル６０１の中心点と第二コイル６０４の中心点との距離ＲをＲ＝６ｍｍとした構成の多連チョークコイルの断面図である。図３２Ｂは同様に中心点間の距離ＲをＲ＝７ｍｍとした場合、図３２Ｃは中心点間の距離ＲをＲ＝８ｍｍとした場合の断面図である。これらの図の基本的の構成は図２６に示した構成であり、Ｂ４−Ｂ４線に沿うような断面形状を示している。また、図３２Ｄは、中心点間の距離ＲをＲ＝０ｍｍにした場合の断面図である。この場合には、全体をより小型化できるので、磁性体６０７のサイズは図３２Ａから図３２Ｃまでに示す構成に比べて小さくしている。
図３２Ａに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１がかみ合っている。また、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の中心点６４３、６４４とがすべて同一線上になるよう配置されている。これは、第一コイル６１０と第二コイル６０４ともに、コイル部の外径が８ｍｍ、内径が４ｍｍとし、コイルの中心点間の距離を６ｍｍとしていることによる。
また、図３２Ｂに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１がかみ合っている。また、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の外周部６４５、６４６とが同一線上になるよう配置されている。これは、第一コイル６１０と第二コイル６０４ともに、コイル部の外径が８ｍｍ、内径が４ｍｍとし、コイルの中心点間の距離を７ｍｍとしていることによる。
また、図３２Ｃに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１の一部が重なるように設けられている。その重なりの程度は、第一コイル６０１のコイル部を構成する２つの円弧状部６３１のそれぞれの左側のコイル断面の外周部６４７、６４８と第二コイル６０４のコイル部を構成する２つの円弧状部６３１のそれぞれの右側のコイル断面の外周部６４５、６４６とが同一線上になるよう配置されている。これは、第一コイル６１０と第二コイル６０４ともに、コイル部の外径が８ｍｍ、内径が４ｍｍとし、コイルの中心点間の距離を８ｍｍとしていることによる。
さらに、図３２Ｄに示す構成の多連チョークコイルでは、２つのコイルのかみ合わせ部分については、第一コイル６０１のコイル部を構成する２つの円弧状部６３１と第二コイル６０４のコイル部を構成する２つの円弧状部６３１とがまったく重なるよう配置されている。すなわち、第一コイル６０１のコイル部を構成する２つの円弧状部６３１の中心点６４９、６５０と第二コイル６０４のコイル部を構成する２つの円弧状部６３１の中心点６５１、６５２とが同一線上になるよう配置されている。なお、第一コイル６０１のコイルの中心軸は、これらの２つの円弧状部６３１の中心点６４９、６５０を通る線であり、同様に第二コイル６０４のコイルの中心軸は２つの円弧状部６３１の中心点６５１、６５２を通る線である。これは、第一コイル６０１と第二コイル６０４ともに、コイル部の外径が８ｍｍ、内径が４ｍｍとし、コイルの中心点間の距離を０ｍｍとしていることによる。
図３２Ａに示す多連チョークコイルの構成の場合、第一コイル６０１に電流を流したとき発生する第二コイル６０４のコイル内の磁束は第二コイル６０４の円弧状部６３１に遮られることはない。同様に、第二コイル６０４に電流を流したとき発生する第一コイル６０１内の磁束は第一コイル６０１の円弧状部６３１に遮られることはない。したがって、この構成の多連チョークコイルでは、第一コイル６０１および第二コイル６０４によって磁路がふさがれることがなく、この結果それぞれのコイル内で結合する有効断面積を大きくすることができる。
なお、この構成の多連チョークコイルは上記のようにかみ合うコイルの外径と内径とがまったく同じである場合だけでなく、かみ合うコイルの外径と内径の差がそれぞれ同一の場合であっても成立する。例えば、第一コイル６０１のコイル部の外径を９ｍｍ、内径を７ｍｍとし、第二コイル６０４のコイル部の外径を８ｍｍ、内径を６ｍｍとした場合、第一コイル６０１のコイルの中心点と第二コイル６０４のコイルの中心点との距離を６．５ｍｍとすれば、上記のような高結合の多連チョークコイルを実現することができる。
なお、図３２Ａに示す多連チョークコイルの構成においては、第一コイル６０１の中心点と第二コイルの６０４の中心点との距離を、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の中心点６４３、６４４とがすべて同一線上になるように設定したが、必ずしもこのように設定する必要はなく、コイル内で結合する有効断面積を充分に確保できる程度に一致させておけばよい。
図３２Ｂに示す多連チョークコイルの構成では、第一コイル６０１に電流を流したときに発生する第二コイル６０４のコイル内の磁束は、第二コイル６０４のコイル部の円弧状部６３１によって一部遮られる。同様に、第二コイル６０４に電流を流したときに発生する第一コイル６０１のコイル内の磁束は、第一コイル６０１のコイル部の円弧状部６３１によって一部遮られる。この結果、この構成の多連チョークコイルは、第一コイル６０１および第二コイル６０４によってそれぞれ磁路が塞がれる部分が生じる。したがって、図３２Ａに示す構成の多連チョークコイルと比較して結合を抑制することが可能となる。
図３２Ｃに示す多連チョークコイルの構成では、第一コイル６０１に電流を流したときに発生する第二コイル６０４のコイル内の磁束は、第二コイル６０４のコイル部の円弧状部６３１によって一部遮られる。同様に、第二コイル６０４に電流を流したときに発生する第一コイル６０１のコイル内の磁束は、第一コイル６０１のコイル部の円弧状部６３１によって一部遮られる。この結果、この構成の多連チョークコイルは、第一コイル６０１および第二コイル６０４によってそれぞれ磁路が塞がれる部分が生じる。したがって、図３２Ａや図３２Ｂに示す構成の多連チョークコイルと比較して、さらに結合を抑制することが可能となる。
図３２Ｄに示す多連チョークコイルの構成では、第一コイル６０１と第二コイル６０４のコイル部の中心軸が同じとなるように配置されているので、より結合を強くすることができるだけでなく、小型化も可能となる。
上記したように、第一コイル６０１のコイルの中心点と第二コイル６０４のコイルの中心点との距離Ｒを変化させることで、結合度合いだけでなく、コイル内で結合する有効断面積も調節することができるため、多連チョークコイルの全体の結合をより自由に調節することができる。これによって、設計上必要とされるインダクタンス値を有する多連チョークコイルを容易に実現できる。
【実施例６】  図３３Ａと図３３Ｂとは、本発明の実施例９にかかる多連チョークコイルのコイル部の構成を示す断面図である。２つの端子一体型のコイル７１１、７１２を縦方向に配置して磁性体７１３の内部に埋設した構成である。なお、これらの図においては、磁界の向きを破線の矢印で示し、電流の向きを実線の矢印で示している。
図３３Ａに示す構成の多連チョークコイルは、２つの端子一体型のコイル７１１、７１２のそれぞれのコイル部７１５、７１６を縦方向に配置し、かつ電流を流した時に発生するコイル内の磁界の向きが同じ方向になるように端子から電流を入力する構成としている。この構成は正結合である。この構成により、発生する磁束の向きが同じとなるため、それぞれの磁束が重畳されるためインダクタンス値を大きくでき、多連チョークコイルの小型化を図ることができる。
なお、３つ以上の端子一体型のコイルについても同様な配置を行い、同様に電流を流した時に発生するコイル内の磁界の向きが同じ方向になるよう端子から電流を入力すれば同様の効果が得られる。
図３３Ｂに示す構成の多連チョークコイルは、２つの端子一体型のコイル７１１、７１２を同様に縦方向に配置し、かつ電流を流した時に発生するコイル内の磁界の向きがそれぞれ逆方向になるように端子から電流を入力するように構成している。この構成は負結合である。この構成により、発生する磁束が互いに打ち消しあうため、磁束の飽和を抑制することができ、多連チョークコイルの直流重畳特性を高めることができる。
なお、３つ以上の端子一体型のコイルについても同様な配置を行い、同様に電流を流した時に発生するコイル内の磁界の向きが交互に異なる方向になるように端子から電流を入力すれば同様の効果が得られる。
このような正結合構成と負結合構成の多連チョークコイルについて、２つの端子一体型のコイル７１１、７１２のコイル部の中心点間距離Ｓとインダクタンス値の関係について説明する。図３４は、中心点間距離Ｓとインダクタンス値Ｌとの関係である。この結果は、端子一体型のコイル７１１、７１２のサイズを内径４．２ｍｍ、外径７．９ｍｍ、高さは１．７ｍｍ、巻回数は３ターンとし、また磁性体７１３からなるコアは透磁率μ＝２６、サイズが縦、横および高さがそれぞれ１０ｍｍ、１０ｍｍ、３．５ｍｍとして求めた。また、インダクタンス値ＬはＬ＝０．５９５μＨとした。
中心点間距離ＳがＳ＝３．５ｍｍの場合、正結合構成の多連チョークコイルのインダクタンス値ＬはＬ＝０．７４７μＨで、負結合構成の多連チョークコイルのインダクタンス値Ｌは正結合構成の場合より２４．９％小さいＬ＝０．５６０μＨであった。
同様に、中心点間距離ＳをＳ＝２．７ｍｍにした場合、正結合構成の多連チョークコイルのインダクタンス値ＬはＬ＝０．７９４μＨで、負結合構成の多連チョークコイルのインダクタンス値Ｌは正結合構成の場合より４１．０％小さいＬ＝０．４６８μＨであった。
以上の結果より、中心点間距離Ｓが同じであれば、正結合構成の多連チョークコイルの方が負結合構成の多連チョークコイルより大きなインダクタンス値Ｌとなることが見出された。
一方、正結合構成で中心点間距離Ｓを変化させた場合、例えばＳ＝３．５ｍｍではＬ＝０．７４７μＨであり、Ｓ＝２．７ｍｍではＬ＝０．７９４μＨであった。この値は、Ｓ＝３．５ｍｍの場合のインダクタンス値Ｌより６．３％大きい。同様に、負結合構成で中心点間距離Ｓを変化させた場合、例えばＳ＝３．５ｍｍではＬ＝０．５６０μＨであり、Ｓ＝２．７ｍｍではＬ＝０．４６８μＨであった。この値は、Ｓ＝３．５ｍｍの場合のインダクタンス値Ｌよりも１６．５％小さい。
以上の結果より、正結合構成の場合には、中心点間距離Ｓが短くなるようにそれぞれのコイルを配置するとインダクタンス値Ｌが大きくできる。また、負結合構成の場合には、中心点間距離Ｓが短くなるようにそれぞれのコイルを配置するとインダクタンス値が小さくできる。したがって、端子一体型のコイル７１１、７１２の巻回数を変えなくても、中心点間距離Ｓを調整することで、多連チョークコイルのインダクタンス値Ｌをある程度任意に設定することができる。
なお、２つの端子一体型のコイル７１１、７１２の場合について説明したが、３個以上の端子一体型のコイルを用いた場合でも同様に中心点間距離をそれぞれ調整すれば、多連チョークコイルのインダクタンス値を比較的容易にかえることができる。
図３５は、本実施例にかかる多連チョークコイルの変形例を示す断面図である。この変形例の多連チョークコイルは、端子一体型のコイルを正結合および負結合に配置した多連チョークコイルのうち、巻回数が（Ｎ＋０．５、ただしＮは一以上の自然数）ターンである端子一体型のコイル７２１、７２２の配置構成を示す断面図である。なお、端子一体型コイル７２１、７２２は縦方向に積層されて磁性体７２３中に埋設されている。図３５においては、端子一体型のコイル７２１、７２２はそれぞれ巻回数が２．５ターンであり、コイル７２１の２ターン分である右側部分上にコイル７２２の２．５ターン分が積層されている。また、コイル７２１の２．５ターン分である左側部分上にコイル７２２の２ターン分が積層されている。この構造により、無駄な空間をなくし、コイルを高密度に積層することができるので、小型で低背構成の多連チョークコイルを実現できる。
以下、このような本実施例の多連チョークコイルのコイルの配置と入力端子および出力端子の表出方向について説明する。
図３６Ａは、直方体形状の磁性体７３０の内部に、図３６Ｂに示す端子一体型のコイル７３１と、図３６Ｃに示す端子一体型のコイル７３２とを縦方向に配置した構成を示す透視斜視図である。また、図３６Ｄは、その配線図である。２つのコイル７３１、７３２は、それぞれ巻回数が１．５ターンであり、それぞれ入力端子７３３、７３５と、それぞれ出力端子７３４、７３６とを有している。
図３６Ａからわかるように、コイル７３１の入力端子７３３とコイル７３２の入力端子７３５とが同じ面から表出され、コイル７３１の出力端子７３４とコイル７３２の出力端子７３６とが上記の面に対向する面から表出されている。
この配置により、入力端子７３３、７３５と出力端子７３４、７３６を各々同じ面から表出できるため、多連チョークコイルをプリント基板などへ実装する際に半導体集積回路等との回路構成での配置が容易となり実装密度を向上できる。
また、入力側にＩＮ、出力側にＯＵＴなどの表示を設けることも容易に行うことができる。なお、この変形例では、２つのコイル７３１、７３２の巻回数を１．５ターンとしたが、巻回数は２．５ターン、３．５ターン等にしても同様の効果が得られる。
なお、必ずしも全ての入力端子または出力端子を１つの面から表出させる必要はなく、入力端子と出力端子の少なくとも２つを１つの面から表出させるようにしてもよい。また、全ての入力端子と出力端子を同一面から表出する際には、入力端子と出力端子とを交互に表出するようにしてもよい。
また、図３７Ａは、さらに別の構成からなる多連チョークコイルの透視斜視図である。この多連チョークコイルは、図３７Ｂに示す端子一体型のコイル７４１と、図３７Ｃに示す端子一体型のコイル７４２とを縦方向に配置した構成である。また、図３７Ｄは、その配線図である。この多連チョークコイルの場合には、一方のコイル７４１の入力端子７４３と出力端子７４４とを磁性体７４０の同じ面から表出し、かつもう一方のコイル７４２の入力端子７４５と出力端子７４６とを上述の面に対向する面から表出した構成である。
この構成においても、コイルは２つには限定されず、３つ以上のコイルを同様に積層してもよい。
図３８Ａは、また別の構成からなる多連チョークコイルの透視斜視図である。この多連チョークコイルは、図３８Ｂに示す端子一体型のコイル７５１と、図３８Ｃに示す端子一体型のコイル７５２とを縦方向に配置した構成である。また、図３８Ｄは、その配線図である。この多連チョークコイルでは、それぞれ巻回数が１．５ターンのコイル７５１、７５２が磁性体７５０の内部に図３８Ｄに示す配線構成となるように埋設されている。すなわち、コイル７５１は入力端子７５５と出力端子７５６とを有し、コイル７５２は入力端子７５３と出力端子７５４とを有する。コイル７５１とコイル７５２とは、それぞれの入力端子７５３、７５５およびそれぞれの出力端子７５４、７５６を各々異なる面に表出するように配置されている。
この構造により、入力端子と出力端子の面積を大きくしても端子同士が接触し難くなる。したがって、プリント基板上への実装や放熱性をより改善することもでき、さらに端子の抵抗値を低くすることもできるため大電流化に対応した多連チョークコイルを実現することができる。
また、この構造によれば端子のハンダ付け箇所が均一に分散されるので、実装強度も大きくすることができる。
この構成の多連チョークコイルでは、コイルは２つに限定されることはなく、３つ以上のコイルを同様に重ねてもよい。その際には、複数の端子が同じ面に表出するように配置することもできる。
なお、磁性体は直方体形状として説明したが、向きの判別が容易なように面取りをしてもよいし、磁性体の上部に入力端子や出力端子を表示する表示を設けてもよい。
以上のように、本実施例の多連チョークコイルは高周波帯域で必要なインダクタンス値を確保するとともに、小さな直流抵抗値を保持し、かつ大電流に対応でき、小型化も可能である。したがって、実施例１の図６で説明したような電源回路に用いると、小型で高性能の電源回路を実現できる。この電源回路をパソコンや携帯電話のような電子機器に搭載すると小型化が可能となり好ましい。
【実施例７】  本発明の実施例７の多連チョークコイルについて、図３９から図４１を参照しながら説明する。本実施例の多連チョークコイルの基本的な構成は実施例１から実施例６までに説明した多連チョークコイルと同様である。なお、図３９から図４１においては多連チョークコイルの外観形状を示しており、端子一体型コイルについては入力端子と出力端子のみを図示している。
図３９に示す多連チョークコイルでは、すべての入力端子１５１は直方体形状とした磁性体７の一つの面から、また出力端子（図示せず）はその一つの面に対向する面からすべて表出させた構成としていることが特徴である。これによって、多連チョークコイルをプリント基板などへ実装する際に、半導体集積回路等に近接して配置することも可能となりプリント基板の実装密度を高めることができる。また、磁性体７の上部表面には、入力端子１５１を示す表示として、例えばＩＮ−１、ＩＮ−２、ＩＮ−３等が、また出力端子を示す表示として、例えばＯＵＴ−１、ＯＵＴ−２、ＯＵＴ３等が印刷等により表示された表示部１２１も設けられている。これにより、多連チョークコイルを、例えばプリント基板上へ実装する場合や実装後に正しく実装されたかどうかの確認を容易に行える。
なお、入力端子と出力両端子を一つの面からすべて表出させた構成としてもよい。例えば、図４０に示すように、入力端子１６１と出力端子１６２とを交互に配置して表出させるようにしてもよい。この場合、磁性体７の上部表面には、入力端子１６１を示す表示として、例えばＩＮ−１、ＩＮ−２、ＩＮ−３等が、また、出力端子１６２を示す表示として、例えばＯＵＴ−１、ＯＵＴ−２、ＯＵＴ−３等が、それぞれ対応する位置に印刷等により表示された表示部１２１も設けられている。これにより、多連チョークコイルを、例えばプリント基板上へ実装する場合や実装後に正しく実装されたかどうかの確認を容易に行える。
また、必ずしも全ての入力端子１６１と出力端子１６２とを一つの面から表出させる必要はなく、二つ以上の入力端子と出力端子とから選択された少なくとも二つの端子を一つの面から表出させてもよい。
また、巻数がＮターン（Ｎは１以上の自然数）からなる端子一体型のコイルの場合には、入力端子と出力端子が上下に同方向に突出する構成となるので、このまま上下セットで入力端子と出力端子とを磁性体の一つの面に並べて配置しても良い。
さらに、少なくとも二つの端子をそれぞれ異なる方向へ表出するようなコイルの配置も可能である。例えば、図４１に示す多連チョークコイルは、３つの出力端子１７２がそれぞれ異なる面から表出されており、３つの入力端子１７１がすべて同じ面から表出された構成である。なお、この多連チョークコイルの場合にも、磁性体７の上部表面には、入力端子１７１を示す表示として、例えばＩＮ−１、ＩＮ−２、ＩＮ−３等が、また、出力端子１７２を示す表示として、例えばＯＵＴ−１、ＯＵＴ−２、ＯＵＴ−３等が、それぞれ対応する位置に印刷等により表示された表示部１２１も設けられている。これにより、多連チョークコイルを、例えばプリント基板上へ実装する場合や実装後に正しく実装されたかどうかの確認を容易に行える。
上記の構成では端子一体型コイルを３個用いた場合について説明しているが、端子一体型コイルの個数は特に限定されず、また端子取り出し方向についても限定されず、端子取り出し方向に対応した面上に表出させるようにすればよい。
このように、任意の面から端子を表出させた端子一体型のコイルの配置の場合は、端子間の距離を大きくすることが可能となる。これにより、端子面積を大きくでき、したがって放熱特性をさらに改善できる。また、端子の抵抗値を低くすることもできるため、大電流化に対応した多連チョークコイルを実現することができる。また、このような構成とすることにより、端子のハンダ付け部分が底面とその近傍部分に分散されるので、実装強度も各方向からの力に対して大きくすることができる。なお、本実施例において磁性体は直方体形状としたが、向きの判別が容易なように一部の辺で角を落としてもよいし、それぞれの端子に表示部をさらに設けてもよい。
【産業上の利用可能性】  本発明の多連チョークコイルは、金属平板をエッチングまたは打ち抜き等により形成した打ち抜き平板を折り曲げて端子一体型のコイルを作製し、この端子一体型のコイルを複数個所定の位置関係を有して磁性体の内部に埋設した構成からなり、高周波帯域で使用が可能で、必要なインダクタンス値の確保と小さな直流抵抗値を保持することができるので、各種の電子機器、特に携帯電話等の形態機器分野に有用である。
図面の参照符号の一覧表
１，７１，１３１，６０１  第一コイル
２，７２，６０２  第一入力端子
３，７３，６０３  第一出力端子
４，７４，１３２，６０４  第二コイル
５，７５，６０５  第二入力端子
６，７６，６０６  第二出力端子
７，６０７，７１３，７２３，７３０，７４０，７５０  磁性体
３１，６３１  円弧状部
３２，１３４，１３５，１３６，６３５  端部
３３，６３３  連接部
３４，６３４，７１５，７１６  コイル部
５０，５０５，５０６，５０７，５０８，５０９，５１０，７１１，７１２，７２１，７２２，７３１，７３２，７４１，７４２，７５１，７５２  コイル
５１，６３２  絶縁膜
５２  下地層
５３  最上層
６１  入力電力
６２  スイッチング素子
６３  チョークコイル
６４  コンデンサ
６５  負荷
７７，１３３  第三コイル
７８  第三入力端子
７９  第三出力端子
１２１  表示部
５０１  右コイル（端子一体型コイル）
５０２，５０４  中央コイル（端子一体型コイル）
５０３  左コイル（端子一体型コイル）
６４１，６４２，６４３，６４４，６４９，６５０，６５１，６５２  中心点
６４５，６４６，６４７，６４８  外周部
２０，１５１，１６１，１７１，７３３，７３５，７４３，７４５，７５３，７５５，５０５２，５０６２，５０７２  入力端子
３０，１６２，１７２，７３４，７３６，７４４，７４６，７５４，７５６，５０５３，５０６３，５０７３  出力端子
【図１】
2004055841.tif 000004
【図２】
2004055841.tif 000005
【図３】
2004055841.tif 000006
【図４】
2004055841.tif 000007
【図５】
2004055841.tif 000008
【図６】
2004055841.tif 000009
【図７】
2004055841.tif 000010
【図８】
2004055841.tif 000011
【図９】
2004055841.tif 000012
【図１０】
2004055841.tif 000013
【図１１】
2004055841.tif 000014
2004055841.tif 000015
2004055841.tif 000016
【図１４】
2004055841.tif 000017
【図１５】
2004055841.tif 000018
【図１６】
2004055841.tif 000019
2004055841.tif 000020
【図１８】
2004055841.tif 000021
2004055841.tif 000022
2004055841.tif 000023
2004055841.tif 000024
2004055841.tif 000025
2004055841.tif 000026
2004055841.tif 000027
2004055841.tif 000028
【図２５】
2004055841.tif 000029
【図２６】
2004055841.tif 000030
【図２７】
2004055841.tif 000031
【図２８】
2004055841.tif 000032
【図２９】
2004055841.tif 000033
【図３０】
2004055841.tif 000034
【図３１】
2004055841.tif 000035
2004055841.tif 000036
2004055841.tif 000037
2004055841.tif 000038
【図３４】
2004055841.tif 000039
【図３５】
2004055841.tif 000040
2004055841.tif 000041
2004055841.tif 000042
2004055841.tif 000043
【図３９】
2004055841.tif 000044
【図４０】
2004055841.tif 000045
【図４１】
2004055841.tif 000046
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
あらかじめ設定した展開形状からなる金属平板を折り曲げて形成した端子一体型のコイルを設定された位置関係を有して複数個配置したコイル群と、前記コイル群をその内部に埋設した磁性体とからなることを特徴とする多連チョークコイル。
【請求項２】
前記コイル群は、前記コイル群を構成する複数の前記コイルの中心軸が平行になるように前記コイルを並べるとともに、複数の前記コイルのうちから少なくとも一つ選択されたコイルの中心点と、前記選択されたコイル以外のコイルの中心点とが段違いになるように配置されていることを特徴とする請求項1に記載の多連チョークコイル。
【請求項３】
前記コイル群のうちから少なくとも一つ選択されたコイルの中心点と、前記選択されたコイル以外の複数の前記コイルのうちから少なくとも一つ選択されたコイルの中心点との距離を変化させて所定のインダクタンス値を得ることを特徴とする請求項２に記載の多連チョークコイル。
【請求項４】
前記コイル群のうちから少なくとも一つ選択されたコイルの中心点と、前記選択されたコイル以外の複数の前記コイルのうちから少なくとも一つ選択されたコイルの中心点との高さ位置を変えて所定のインダクタンス値を得ることを特徴とする請求項２に記載の多連チョークコイル。
【請求項５】
前記コイル群のうちから少なくとも一つ選択されたコイルと、前記選択されたコイルの両隣のコイルとがＶ字状または逆Ｖ字状に配置されており、前記選択されたコイルに電流を流したときに生じる前記コイル内を貫く磁束の向きと、前記両隣に配置されたコイルに電流を流したときに生じる前記コイル内を貫く磁束の向きとが互いに異なる方向としたことを特徴とする請求項２に記載の多連チョークコイル。
【請求項６】
前記コイル群のうちから少なくとも一つ選択されたコイルと、前記選択されたコイルの両隣のコイルとがＶ字状または逆Ｖ字状に配置されており、前記選択されたコイルに電流を流したときに生じる磁束の向きと、前記両隣に配置されたコイルに電流を流したときに生じる磁束の向きとが同じ方向としたことを特徴とする請求項２に記載の多連チョークコイル。
【請求項７】
前記コイル群を構成する前記コイルの巻回数が（Ｎ＋０．５）ターン（ただし、Ｎは１以上の整数）からなり、前記コイル群のうちから選択されたコイルのＮターン部と前記選択されたコイルに隣接するコイルの（Ｎ＋０．５）ターン部とが積層された配置構成からなることを特徴とする請求項２に記載の多連チョークコイル。
【請求項８】
前記選択されたコイルの中心点と、前記両隣に配置されたコイルの中心点とのそれぞれの距離を変化させて所定のインダクタンス値を得ることを特徴とする請求項５または６に記載の多連チョークコイル。
【請求項９】
前記コイル群は、前記コイル群を構成する複数の前記コイルの中心点が同一平面上になるように前記コイルを配置したことを特徴とする請求項１に記載の多連チョークコイル。
【請求項１０】
複数の前記コイルのうち、隣接する２つのコイルの中心点間の距離を変化させて所定のインダクタンス値を得ることを特徴とする請求項９に記載の多連チョークコイル。
【請求項１１】
前記コイル群は、複数の前記コイルのそれぞれに電流を流したときに生じる前記コイル内の磁束の向きが交互に異なるように配置されたことを特徴とする請求項９に記載の多連チョークコイル。
【請求項１２】
前記コイル群は、複数の前記コイルのそれぞれに電流を流したときに生じる前記コイル内の磁束の向きが同じ方向となるように配置されたことを特徴とする請求項９に記載の多連チョークコイル。
【請求項１３】
前記コイル群は、前記コイル群を構成する複数の前記コイルの中心軸が平行になるように前記コイルを並べるとともに、複数の前記コイルのうちから少なくとも一つ選択されたコイルの中心点と前記選択されたコイルに隣接するコイルの中心点との距離が前記選択されたコイルの外径と前記隣接するコイルの外径との和の１／２以下で、前記選択されたコイルの少なくとも１ターン分が前記隣接するコイルとかみ合うように配置されたことを特徴とする請求項１に記載の多連チョークコイル。
【請求項１４】
前記選択されたコイルおよび前記隣接するコイルの巻回数がＮターン（ただし、Ｎは２以上の整数）からなり、前記選択されたコイルの（Ｎ−１）ターン分が前記選択されたコイルにかみ合うように配置されたことを特徴とする請求項１３に記載の多連チョークコイル。
【請求項１５】
前記選択されたコイルの外径と内径との差と、前記隣接するコイルの外径と内径との差が同一で、前記選択されたコイルの中心点と前記隣接するコイルの中心点との距離が前記選択されたコイルの外径と前記隣接するコイルの内径の和の１／２に一致するように前記コイル群が配置されたことを特徴とする請求項１３に記載の多連チョークコイル。
【請求項１６】
前記コイル群の内で少なくとも一つ選択されたコイルの中心点と前記選択されたコイルに隣接するコイルの中心点との距離を変化させて所定のインダクタンス値を得ることを特徴とする請求項１３に記載の多連チョークコイル。
【請求項１７】
前記コイル群の内で少なくとも一つ選択されたコイルに電流を流したときのコイル内の磁束の向きと、前記選択されたコイルに隣接するコイルに電流を流したときの磁束の向きとが同じ方向となるように前記コイル群を配置したことを特徴とする請求項１３に記載の多連チョークコイル。
【請求項１８】
前記コイル群の内で少なくとも一つ選択されたコイルに電流を流したときのコイル内の磁束の向きと、前記選択されたコイルに隣接するコイルに電流を流したときの磁束の向きが異なるように前記コイル群を配置したことを特徴とする請求項１３に記載の多連チョークコイル。
【請求項１９】
前記コイル群は、複数の前記コイルがすべて一直線上に配置されていることを特徴とする請求項９または１３に記載の多連チョークコイル。
【請求項２０】
複数の前記コイルのうちから選択された少なくとも一つのコイルは、一直線上に配置された複数の他のコイルからずれた位置に配置されていることを特徴とする請求項１、２、９または１３に記載の多連チョークコイル。
【請求項２１】
前記コイル群は、選択された二つ以上の入力端子と出力端子のうち少なくとも一方が同じ表面に表出するように配置されていることを特徴とする請求項１、２、９または１３に記載の多連チョークコイル。
【請求項２２】
前記コイル群は、前記コイル群を構成する複数の前記コイルを前記磁性体の内部に縦方向に埋設されていることを特徴とする請求項１に記載の多連チョークコイル。
【請求項２３】
複数の前記コイル間の間隔を変化させて所定のインダクタンス値を得ることを特徴とする請求項２２に記載の多連チョークコイル。
【請求項２４】
複数の前記コイルに電流を流したときに生じる前記コイル内の磁束の向きが同じ方向になるように前記コイル群を配置したことを特徴とする請求項２２に記載の多連チョークコイル。
【請求項２５】
複数の前記コイルに電流を流したときに生じる前記コイル内の磁束の向きが交互に異なる方向になるように前記コイル群を配置したことを特徴とする請求項２２に記載の多連チョークコイル。
【請求項２６】
複数の前記コイルの巻回数が（Ｎ＋０．５）ターン（ただし、Ｎは１以上の整数）からなり、上下に位置するそれぞれのコイルの０．５ターン部分が同一平面となる配置構成としたことを特徴とする請求項２２に記載の多連チョークコイル。
【請求項２７】
複数の前記コイルのすべての入力端子と出力端子との少なくとも一方を同じ表面に表出させたことを特徴とする請求項２２に記載の多連チョークコイル。
【請求項２８】
前記磁性体が、フェライト磁性体、フェライト磁性粉末と絶縁性樹脂との複合体、および金属磁性粉末と絶縁性樹脂との複合体のうちから選択された少なくとも１種類から形成されたことを特徴とする請求項１、２、９、１３または２２に記載の多連チョークコイル。
【請求項２９】
前記コイルの表面に絶縁膜が形成されていることを特徴とする請求項１、２、９、１３または２２に記載の多連チョークコイル。
【請求項３０】
前記コイル群は、少なくとも２つの端子がそれぞれ異なる面から表出されていることを特徴とする請求項１、２、９、１３または２２に記載の多連チョークコイル。
【請求項３１】
前記コイル群は、少なくとも１つの端子が底面とその周囲の面の少なくとも２面に渡って表出されていることを特徴とする請求項１、２、９、１３または２２に記載の多連チョークコイル。
【請求項３２】
前記コイル群は、少なくとも表面に露出する端子部分が下地層としてニッケル（Ｎｉ）またはニッケル（Ｎｉ）を含む層からなり、最上層はハンダ層またはスズ（Ｓｎ）層が形成されていることを特徴とする請求項１、２、９、１３または２２に記載の多連チョークコイル。
【請求項３３】
前記磁性体には、入力端子と出力端子の少なくとも一方を示す表示部が設けられていることを特徴とする請求項１、２、９、１３または２２に記載の多連チョークコイル。
【請求項３４】
前記磁性体が直方体形状に形成されていることを特徴とする請求項１、２、９、１３または２２に記載の多連チョークコイル。
【請求項３５】
請求項１、２、９、１３または２２に記載の多連チョークコイルを搭載したことを特徴とする電子機器。
【手続補正２】
【補正対象書類名】明細書
【補正対象項目名】全文
【補正方法】変更
【補正の内容】
【発明の詳細な説明】
【技術分野】
【０００１】
本発明は、各種電子機器に用いられる多連チョークコイルおよびそれを用いた電子機器、特に電源機器に関する。
【背景技術】
【０００２】
チョークコイルなどのインダクタにおいては、電子機器の小型、軽量化に対応するために小型化、薄型化が要望されている。さらに、またＣＰＵなどのＬＳＩの高速化、高集積化に対して、インダクタは高周波域で数Ａ〜数十Ａの大電流で使用することが要望されている。
【０００３】
従って、小型化とともに発熱を抑えるための低抵抗化と、高周波帯域において損失が小さく、かつ大電流でも直流重畳によるインダクタンス値の低下が少ないインダクタを安価に供給することが望まれている。
【０００４】
最近では、ＤＣ／ＤＣコンバータなどにおいては、高周波帯域で大電流化を達成するための電源回路として、マルチフェーズ方式と呼ばれる回路方式が採用されている。この回路方式は複数個のＤＣ／ＤＣコンバータを位相制御しながら、スイッチを用いて順次並列に作動させる方式である。この方式は、リップル電流の低減と、高周波帯域で大電流化を高効率で実現できる特徴を有している。
【０００５】
しかし、上記回路構成のみでは必ずしも高周波帯域で大電流化を実現するのに充分ではなく、このような電源回路機器に用いるチョークコイルについても小型化、高周波帯域で大電流化を実現することが要求されている。
【０００６】
このような課題に対して、例えば特開２００２−２４６２４２号公報に示されたチョークコイルは、ポリウレタン等の絶縁被膜を有する導線をコイル状に巻き回して形成した空芯コイルを磁性体中に埋設した構成からなる。この磁性体としては、２種類以上の樹脂材で表面を被覆した磁性材粉を用いて固めたものである。また、磁性体には折り曲げ加工された金属端子が装着されており、空芯コイルと金属端子とは溶接、ハンダあるいは導電性接着剤等で電気的に接続されている。
【発明の開示】
【発明が解決しようとする課題】
【０００７】
しかしながら、上記従来のチョークコイルの構成においては、金属端子の後付けが必要となり、直流抵抗値を小さくすることが難しい、また、上記コイルをマルチフェーズ数に応じて複数個並べると設置スペースが大きくなり、小型化が困難となる。さらに、マルチフェーズで用いる場合に、複数のコイル間のインダクタンスのばらつきのために特性を充分発揮できないという課題もある。
【０００８】
また、ポリウレタン等の絶縁被膜を有する導線をコイル状に巻き回して形成する空芯コイルをマルチフェーズ方式に用いる際に、複数個の空芯コイルを、例えば縦方向に一列に配置すると、全体の高さが高くなり薄型化ができない。さらに、このような空芯コイルでは、インダクタンス値を大きくするために巻回数を増やす必要があり、チョークコイル自体も大きくなるという課題もある。
【課題を解決するための手段】
【０００９】
本発明はこれらの課題を解決し、直流重畳特性に優れ、高周波帯域でインダクタンス値を確保しつつ、大電流で作動可能で、かつ小型化を図ることのできる多連チョークコイルを提供することを目的とする。
【００１０】
本発明の多連チョークコイルは、あらかじめ設定した展開形状からなる金属平板を折り曲げて形成した端子一体型のコイルを設定された位置関係を有して複数個配置したコイル群と、これらのコイル群をその内部に埋設した磁性体とからなる構成を有する。この構成により、複数の端子一体型のコイルのコイル部は絶縁性を有する磁性体中に埋設されるので、高周波帯域での特性が良好で、インダクタンス値のばらつきも小さく、かつショート発生が少なく生産性に優れた多連チョークコイルが得られる。
【００１１】
また、本発明の多連チョークコイルは、上記構成においてコイル群を構成する複数のコイルの中心軸が平行になるようにコイルを並べるとともに、複数のコイルのうちから少なくとも一つ選択されたコイルの中心点と、選択されたコイル以外のコイルの中心点とが段違いになるように配置された構成としてもよい。これによって小型で、高結合が可能で、かつ大電流に対応できる多連チョークコイルを実現できる。
【００１２】
さらに、上記構成において、コイル群のうちから少なくとも一つ選択されたコイルの中心点と、この選択されたコイル以外の複数のコイルのうちから少なくとも一つ選択されたコイルの中心点との距離を変化させて所定のインダクタンス値を得る構成としてもよい。また、コイル群のうちから少なくとも一つ選択されたコイルの中心点と、この選択されたコイル以外の複数のコイルのうちから少なくとも一つ選択されたコイルの中心点との高さ位置を変えて所定のインダクタンス値を得る構成としてもよい。この構成とすることにより、コイルのターン数が同じであってもインダクタンス値の異なる小型、低背構成の多連チョークコイルを容易に実現できる。
【００１３】
さらに、上記構成において、コイル群のうちから少なくとも一つ選択されたコイルと、この選択されたコイルの両隣のコイルとがＶ字状または逆Ｖ字状に配置されており、上記選択されたコイルに電流を流したときに生じるコイル内を貫く磁束の向きと、両隣に配置されたコイルに電流を流したときに生じるコイル内を貫く磁束の向きとが互いに異なる方向とした構成してもよい。このような構成とすることにより、インダクタンス値をより大きくしながら、小型の多連チョークコイルを実現できる。
【００１４】
さらに、上記構成において、コイル群のうちから少なくとも一つ選択されたコイルと、この選択されたコイルの両隣のコイルとがＶ字状または逆Ｖ字状に配置されており、上記選択されたコイルに電流を流したときに生じる磁束の向きと、両隣に配置されたコイルに電流を流したときに生じる磁束の向きとが同じ方向とした構成としてもよい。この構成とすることにより、直流重畳特性に優れ、かつ小型で低背構成の多連チョークコイルを実現できる。
【００１５】
さらに、上記構成において、コイル群を構成するコイルの巻回数が（Ｎ＋０．５）ターン（ただし、Ｎは１以上の整数）からなり、上記コイル群のうちから選択されたコイルのＮターン部とこの選択されたコイルに隣接するコイルの（Ｎ＋０．５）ターン部とが積層された配置構成としてもよい。この構成とすることにより、小型で低背構成の多連チョークコイルを実現できる。
【００１６】
さらに、上記構成において、選択されたコイルの中心点とその両隣に配置されたコイルの中心点とのそれぞれの距離を変化させて所定のインダクタンス値を得るようにしてもよい。このような構成とすることにより、コイルのターン数が同じであってもインダクタンス値の異なる小型の多連チョークコイルを実現できる。
【００１７】
また、本発明の多連チョークコイルは、上記構成においてコイル群を構成する複数のコイルの中心点が同一平面上になるようにコイルを配置した構成からなる。これによって、複数のコイル間でインダクタンス値のばらつきが小さく、低背で、大電流化と高周波化に対応できる多連チョークコイルを実現できる。
【００１８】
さらに、上記構成において、複数のコイルのうち、隣接する２つのコイルの中心点間の距離を変化させて所定のインダクタンス値を得るようにしてもよい。これにより、同一巻回数のコイルを使用してもインダクタンス値の異なる多連チョークコイルを容易に実現できる。
【００１９】
さらに、上記構成において、コイル群は複数のコイルのそれぞれに電流を流したときに生じるコイル内の磁束の向きが交互に異なるように配置してもよい。これにより、それぞれの磁束が重畳されてインダクタンス値の大きな多連チョークコイルを得ることができる。
【００２０】
さらに、上記構成において、コイル群は複数のコイルのそれぞれに電流を流したときに生じるコイル内の磁束の向きが同じ方向となるように配置してもよい。これにより、磁束が飽和することを抑制できるので、直流重畳特性に優れた多連チョークコイルを得ることができる。
【００２１】
また、本発明の多連チョークコイルは、上記構成においてコイル群を構成する複数のコイルの中心軸が平行になるようにコイルを並べるとともに、複数のコイルのうちから少なくとも一つ選択されたコイルの中心点と選択されたコイルに隣接するコイルの中心点との距離が選択されたコイルの外径と隣接するコイルの外径との和の１／２以下で、選択されたコイルの少なくとも１ターン分が隣接するコイルとかみ合うように配置された構成からなる。この構成とすることにより、小型で、高結合が可能で、かつ大電流化に対応できる多連チョークコイルを実現できる。
【００２２】
さらに、上記構成において、選択されたコイルおよび隣接するコイルの巻回数がＮターン（ただし、Ｎは２以上の整数）からなり、選択されたコイルの（Ｎ−１）ターン分が選択されたコイルにかみ合うように配置してもよい。これにより、小型で、高結合が可能で、かつ大電流化に対応できる多連チョークコイルを実現できる。
【００２３】
さらに、上記構成において、選択されたコイルの外径と内径との差と隣接するコイルの外径と内径との差が同一で、選択されたコイルの中心点と隣接するコイルの中心点との距離が選択されたコイルの外径と隣接するコイルの内径の和の１／２に一致するようにコイル群を配置してもよい。これにより、より小型で、高結合が可能で、かつ大電流化に対応できる多連チョークコイルを実現できる。
【００２４】
さらに、上記構成において、コイル群の内で少なくとも一つ選択されたコイルの中心点と選択されたコイルに隣接するコイルの中心点との距離を変化させて所定のインダクタンス値を得るようにしてもよい。これにより、コイルのターン数が同じであっても異なるインダクタンス値が得られるので、所定のインダクタンス値をより自由に設定することができる。
【００２５】
さらに、上記構成において、コイル群の内で少なくとも一つ選択されたコイルに電流を流したときのコイル内の磁束の向きと、選択されたコイルに隣接するコイルに電流を流したときの磁束の向きとが、同じ方向となるようにコイル群を配置してもよい。これにより、直流重畳特性に優れ、小型で低背構成とすることができる。
【００２６】
さらに、上記構成において、コイル群の内で少なくとも一つ選択されたコイルに電流を流したときのコイル内の磁束の向きと、選択されたコイルに隣接するコイルに電流を流したときの磁束の向きとが、異なるようにコイル群を配置してもよい。これにより、小型形状を保持しながらインダクタンス値をより大きくすることができる。
【００２７】
さらに、上記構成において、コイル群は複数のコイルをすべて一直線上に配置した構成としてもよい。このようにすれば、インダクタンス値を高精度に制御することが可能である。
【００２８】
さらに、上記説明した多連チョークコイルにおいて、複数のコイルのうちから選択された少なくとも一つのコイルは、一直線上に配置された複数の他のコイルからずれた位置に配置してもよい。これにより、磁性体内で複数のコイルを効率よく充填して配置することができるので多連チョークコイル全体形状をさらに小型化することが可能となる。
【００２９】
さらに、上記説明した多連チョークコイルにおいて、コイル群は選択された二つ以上の入力端子と出力端子のうち少なくとも一方が同じ表面に露出するように配置してもよい。これにより、半導体集積回路等との回路配置が容易となり、多連チョークコイルの実装やその確認作業を容易に行うことができる。
【００３０】
また、本発明の多連チョークコイルは、コイル群を構成する複数のコイルを磁性体の内部に縦方向に埋設した構成からなる。この構成とすることにより、作動領域を高周波領域にすることができ、かつインダクタンス値および直流抵抗値を小さくすることが可能で、しかも大電流に対応でき、小型化可能な多連チョークコイルを実現できる。
【００３１】
さらに、上記構成において、複数のコイル間の間隔を変化させて所定のインダクタンス値を得るようにしてもよい。これにより、同じターン数でもインダクタンス値を変えることができるので要望に応じたインダクタンス値を容易に実現できる。
【００３２】
さらに、上記構成において、複数のコイルに電流を流したときに生じるコイル内の磁束の向きが同じ方向になるようにコイル群を配置してもよい。これにより、リップル電流を小さくすることができる。
【００３３】
さらに、上記構成において、複数のコイルに電流を流したときに生じるコイル内の磁束の向きが交互に異なる方向になるようにコイル群を配置してもよい。これにより、直流重畳特性を改善することができる。
【００３４】
さらに、上記構成において、複数のコイルの巻回数が（Ｎ＋０．５）ターン（ただし、Ｎは１以上の整数）からなり、上下に位置するコイルの０．５ターン部分が同一平面となる配置構成としてもよい。これにより、全体の高さを小さくすることができる。
【００３５】
さらに、上記構成において、複数のコイルのすべての入力端子と出力端子との少なくとも一方を同じ表面に露出させてもよい。これにより、実装性を改善することができる。
【００３６】
また、上記の多連チョークコイルにおいて、磁性体がフェライト磁性体、フェライト磁性粉末と絶縁性樹脂との複合体、および金属磁性粉末と絶縁性樹脂との複合体のうちから選択された少なくとも１種類から形成されたものであってもよい。これにより、絶縁性を有する磁性体の内部にコイル群を埋設するのでショート発生等を低減でき、かつ高周波帯域に対応できる多連チョークコイルを実現できる。
【００３７】
また、上記の多連チョークコイルにおいて、コイルの表面に絶縁膜が形成されている構成としてもよい。これにより、コイルを構成する金属平板を折り曲げて密着させても、金属平板間でショート等が生じることがなく占積率を大きくすることもできる。
【００３８】
また、上記の多連チョークコイルにおいて、コイル群は少なくとも２つの端子がそれぞれ異なる面から表出されている構成としてもよい。これにより、端子の幅を広く取ることができるので放熱性を改善できる。さらに、端子部分での接続強度を大きくできるので信頼性を改善することもできる。
【００３９】
また、上記の多連チョークコイルにおいて、コイル群は少なくとも１つの端子が底面とその周囲の面の少なくとも２面に渡って表出されている構成としてもよい。これにより、実装密度と信頼性とを改善することができる。
【００４０】
また、上記の多連チョークコイルにおいて、コイル群は少なくとも表面に露出する端子部分が下地層としてニッケル（Ｎｉ）またはニッケル（Ｎｉ）を含む層からなり、最上層がハンダ層またはスズ（Ｓｎ）層が形成されていてもよい。これにより、ハンダ付けを確実に、かつ信頼性よく行うことができる。
【００４１】
また、上記の多連チョークコイルにおいて、磁性体には入力端子と出力端子の少なくとも一方を示す表示部が設けられていてもよい。これにより、実装作業や実装前後の検査が容易に行える。
【００４２】
また、上記の多連チョークコイルにおいて、磁性体が直方体形状に形成されていてもよい。これにより、自動実装を容易に行なうことができる。
【００４３】
また、上記の多連チョークコイルを電源機器に搭載することで、小型化と大電流での作動が可能な電源機器を実現でき、種々の電子機器の小型、薄型化を可能とすることができる。
【発明の効果】
【００４４】
本発明の多連チョークコイルは、金属平板をエッチングまたは打ち抜き等により形成した打ち抜き平板を折り曲げて端子一体型のコイルを作製し、この端子一体型のコイルを複数個所定の位置関係を有して磁性体の内部に埋設した構成からなり、高周波帯域で使用が可能で、必要なインダクタンス値の確保と小さな直流抵抗値を保持することができるので、各種の電子機器、特に携帯電話等の形態機器分野に有用である。
【発明を実施するための最良の形態】
【００４５】
以下、図面を参照しながら本発明の実施の形態について詳細に説明する。なお、以下の図面においては、同じ構成要素については同じ符号を付しているので説明を省略する場合がある。
【００４６】
（実施の形態１）
図１は、本発明の実施の形態１の多連チョークコイルの透視斜視図である。また、図２は、この多連チョークコイルの配線図である。第一コイル１は、第一入力端子２と第一出力端子３とが一体に形成されて構成されている。第二コイル４も同様に、第二入力端子５と第二出力端子６とが一体に形成されている。第一コイル１と第二コイル４とは同方向に巻回されており、それらの巻回数はともに１．５ターンである。これによって、第一コイル１の第一入力端子２および第二コイル４の第二入力端子５から電流を流した場合、第一コイル１および第二コイル４のコイル内の磁束の向きは同一方向となる。
【００４７】
また、第一コイル１の中心軸と第二コイル４の中心軸とが平行で、かつ第一コイル１は上段に位置し、第二コイル４は下段に位置するように配置されている。なお、それぞれの中心軸とは、リング状のコイルの中心を通る軸線をいう。また、第一コイル１と第二コイル４とは同じ巻回数であるので、その中心点の高さ位置も異なることになる。
【００４８】
さらに、第一コイル１と第二コイル４とは、磁性体７の内部に埋設され、磁性体７は全体がほぼ直方体形状に形成されている。したがって、本実施の形態の多連チョークコイルは、全体がほぼ直方体形状となるため自動実装する際に取り扱いやすく、実装時のチャッキングミス等が生じ難くなる。
【００４９】
また、図３および図４は、第一コイル１と第二コイル４との作製方法と構成を説明するための図で、図３は打ち抜き平板の形状を示す平面図であり、図４はこれを折り畳んで端子一体型コイル、すなわち第一コイル１と第二コイル４とを作製した状態を示す斜視図である。
【００５０】
ここで、第一コイル１、第二コイル４の具体的構成について、図３および図４を用いて説明する。まず、第一コイル１と第二コイル４となる端子一体型コイルの作製方法とその構造について説明する。図３は、端子一体型コイルとなる前の打ちぬき平板の形状を示す平面図である。打ちぬき平板は、金属平板をエッチングまたは打ち抜きにより形成したリング状の３つの円弧状部３１、これらの円弧状部３１間を連接する連接部３３および二つの円弧状部から延長される２つの端部３２からなる。なお、金属平板としては、銅や銀等の低抵抗で、熱伝導率の大きな材料が主として用いられる。また、打ち抜き平板はエッチングや打ち抜き加工により形成する方法に限定されず、さらに切断加工やプレス成型加工等の加工方法で形成してもよい。
【００５１】
また、３つの円弧状部３１の表面には、絶縁膜５１が形成されている。この絶縁膜５１は、例えばポリイミド等の絶縁性の樹脂を塗布すれば容易に形成できる。これにより、上記の円弧状部３１を折りたたんで上下に重ねあわせてコイル部３４を形成するときに、コイル間の短絡を防止する。また、連接部３３には絶縁膜５１を設けていないので、連接部３３を折り曲げても絶縁膜５１が破れや剥離がおこることがなく、このような絶縁膜５１に起因する特性劣化を防止できる。
【００５２】
この打ち抜き平板の３つの円弧状部３１は、図４に示すように連接部３３にて互いに中心点が重なるように折り曲げられてコイル部３４となる。また、円弧状部３１を折り曲げることにより、２つの端部３２はコイル部３４の中心に対して放射状に設けられたものとなり、端子一体型のコイルを形成する。
【００５３】
これによって、第一コイル１と第二コイル４とは、コイル部３４において絶縁膜５１により絶縁処理が施されたコイル構成を実現できる。したがって、それぞれのコイル間や円弧状部３１間には隙間を設けずに積層することが可能となる。この結果、占積率の大きな多連チョークコイルを実現できる。
【００５４】
つぎに、磁性体７は、例えば軟性磁性体合金粉末にシリコーン樹脂を３．３重量部加えて混合し、メッシュを通して整粒粉末とした複合磁性体を用いることができる。このような複合磁性体は、軟性磁性体合金粉末の粒をシリコーン樹脂が覆う構造となっている。軟性磁性体合金粉末は、例えば水アトマイズ法にて作製した平均粒径１３μｍの鉄（Ｆｅ）−ニッケル（Ｎｉ）を５０：５０の割合とした軟性磁性体合金粉末を用いることができる。
【００５５】
なお、本実施の形態の多連チョークコイルの磁性体７は金属磁性粉末として軟性磁性体合金粉末、絶縁性樹脂としてシリコーン樹脂を用いてその複合体としたが、これに限定されることはない。例えば、フェライト磁性粉末と絶縁樹脂との複合体、あるいは上記以外の金属磁性粉末と絶縁性樹脂との複合体としてもよく、さらには複合体ではなくフェライト磁性体のみとしてもよい。金属磁性粉末を用いる場合よりも抵抗は高くなるが、抵抗が高いことで逆に渦電流の発生を防ぐことができ、高周波帯域で良好な特性を得ることができる。
【００５６】
また、金属磁性粉末として、その組成が鉄（Ｆｅ）、ニッケル（Ｎｉ）、コバルト（Ｃｏ）を合計で９０重量％以上含み、かつこの金属磁性粉末の充填率が６５体積％から９０体積％としたものを用いてもよい。このような磁性粉末を用いると、飽和磁束密度が高く、かつ透磁率の高い複合体からなる磁性体７を得ることができる。また、この金属磁性粉末の平均粒径を１μｍ〜１００μｍとすると、渦電流の低減にも効果的である。
【００５７】
このような磁性体７は絶縁性に優れるので、複数のコイル間やコイル部３４の間でのショート等を防止することができ、高信頼性の多連チョークコイルを実現できる。また、このような磁性体７を用いることで、多連チョークコイルに電流を流すことで磁性体７に発生する渦電流を抑制することもできるため、高周波帯域に対応できる多連チョークコイルを実現することもできる。さらに、この多連チョークコイルを用いて電源回路機器等を構成した場合に、他の部品等との絶縁性を保つこともできる。
【００５８】
図５は、図１に示す多連チョークコイルのＡ１−Ａ１線に沿った断面図を示す。端子一体型コイルと磁性体７とを用いて、図１および図５に示す多連チョークコイルを製造する方法について説明する。なお、まず、金型に磁性体７を入れ、上記端子一体型コイルを２個それぞれ設定された位置関係を有するように配置する。その後、さらに磁性体７を金型に入れてプレス成形を行う。このプレス成形時の圧力は、例えば３ｔｏｎ／ｃｍ2を加える。また、金型より取り出した後、１５０℃にて１時間程度加熱処理をして硬化させる。さらに、その後それぞれの端部３２を磁性体７の側面部から底面部まで表面にそって折り曲げ、第一入力端子２、第二入力端子５、第一出力端子３および第二出力端子６を形成する。
【００５９】
また、第一入力端子２、第一出力端子３、第二入力端子５および第二出力端子６が磁性体７の表面に露出する部分には、下地層５２が形成され、その下地層５２を覆うように最上層５３が形成される。下地層５２はニッケル（Ｎｉ）層が、最上層５３はハンダ層またはスズ（Ｓｎ）層が好ましい。なお、磁性体７中に埋設されているコイル部３４の表面には絶縁膜５１が形成されている。
【００６０】
上記のように、多連チョークコイルの表面に露出した端子には、その底面部まで含めて最上層５２としてハンダ層が形成されており、これにより多連チョークコイルを基板等により確実に実装することができる。また、端子が多連チョークコイルの側面でなく下面に折り曲げられるため、多連チョークコイルを基板等に実装する際の実装占有面積を小さくできる。さらに、端子には下地層５２としてＮｉ層が形成され、その上に最上層５３として本実施の形態ではハンダ層が形成されているため、Ｎｉ層の酸化を防ぎ、かつハンダ付け性を良好にできる。
【００６１】
例えば、従来構成の多連チョークコイルの場合、チョークコイルの片方の端子の基板等への実装が不十分な状態で使用された場合には、発熱により基板等から端子がはずれてしまう場合や、多連チョークコイルが基板等から倒立する等の現象が生じる場合もあった。しかし、本実施の形態の多連チョークコイルの場合には、ハンダ付け性に優れた端子領域が側面部から底面部にかけて形成されているので、このような不良発生を確実に防止することができる。
【００６２】
また、第一コイル１と第二コイル４とは、金属平板を打ち抜き、折り曲げて構成されているので、導線を巻いて構成されるコイルに比べて、高周波帯域で使用しても小さな直流抵抗と充分なインダクタンス値を保持し、かつ大電流を流すことが可能である。また、コイルの巻き数を多くしなくても、充分なインダクタンス値を確保できるため、小型で、低背構成の多連チョークコイルを実現できる。
【００６３】
さらに、第一コイル１と第二コイル４とは磁性体７の内部に埋設されており、その磁性体７は絶縁性に優れたものであるため、複数のコイル間やコイル部３４の間でのショート等の不良発生を防止できる。特に、磁性体７の金属磁性粉末の主成分として、鉄（Ｆｅ）、ニッケル（Ｎｉ）およびコバルト（Ｃｏ）のうち、少なくとも一種類以上含む材料を用いることで、大電流に対応可能な高飽和磁束密度と高透磁率を満たす磁気特性を有する磁性体７を得ることができ、大きなインダクタンス値の多連チョークコイルを実現できる。
【００６４】
以下、本実施の形態の多連チョークコイルの動作について説明する。第一コイル１と第二コイル４とは、巻き数が同数で巻き方向も同一としてある。第一入力端子２と第二入力端子５とから電流を流すと磁界が生じるが、それぞれのコイル内を貫く磁束の向きは同一方向となる。また、第一コイル１と第二コイル４とは磁気結合するように段違いに配置されている。
【００６５】
第一コイル１に電流を流すと磁束が生じるが、その磁束は第一コイル１のコイル内の中心を貫き、第一コイル１の外側を通り、再び第一コイル１のコイル内の中心に戻るように磁気回路を構成する。第二コイル４に電流を流した時も同様に、磁束は第二コイル４のコイル内の中心を貫き、第二コイル４の外側を通り、再び第二コイル４のコイル内の中心に戻るように磁気回路を構成する。このとき第一コイル１および第二コイル４は段違いに配置されているため、第一コイル１に電流を流すことで生じた磁気回路の磁束の中で、第二コイル４に電流を流すことで生じた磁気回路の磁束と重ねあう磁束が存在する。また、第二コイル４に電流を流した時も同様に、磁気回路の磁束の中で、第一コイル１に電流を流すことで生じた磁気回路の磁束と重ねあう磁束が存在する。
【００６６】
これによって、第一コイル１と第二コイル４とに結合が生じる。また、第一コイル１と第二コイル４とは段違いに配置されているため、第一コイル１で生じる磁気回路の磁束と第二コイル４で生じる磁気回路の磁束との重なりがより増大し、高結合を実現することができる。
【００６７】
多連チョークコイルの場合、そのインダクタンス値は第一コイル１と第二コイル４との結合にも影響を受ける。第一コイル１と第二コイル４との結合は、第一コイル１に電流を流すことで生じた磁気回路の磁束と第二コイル４に電流を流すことで生じた磁気回路の磁束との重なりの程度で変わる。この重なりは、第一コイル１や第二コイル４の配置によって変わる。そのため、第一コイル１の中心点と第二コイル４の中心点との距離を変化させれば、磁束の重なりにも変化が生じる。したがって、第一コイル１や第二コイル４のターン数を変えなくても多連チョークコイルのインダクタンス値を変化させることが可能となる。すなわち、第一コイル１の中心点と第二コイル４の中心点との距離を適当に変化させることで、所定のインダクタンス値を容易に得ることができる。
【００６８】
また同様に、第一コイル１の中心点と第二コイル４の中心点との高さ位置を変化させても同様に磁束の重なりに変化が生じる。したがって、この方法によっても、第一コイル１や第二コイル４のターン数を変えずに多連チョークコイルのインダクタンス値を変化させることが可能となる。特に、コイルの高さ位置を変えれば、より小型で低背構成を実現しやすくなる。
【００６９】
上記したように、本実施の形態の多連チョークコイルは小型で、高結合が可能で、かつ大電流に対応できる多連チョークコイルを実現できる。特に、本実施の形態の多連チョークコイルは、図６にその回路図を示すように複数個のＤＣ／ＤＣコンバータを並列に接続した構成の電源回路に用いるのが好ましい。
【００７０】
図６は、マルチフェーズ方式を用いた電源回路の回路図を示す。入力電力６１がスイッチング素子６２に入力され、チョークコイル６３とコンデンサ６４とで積分回路を構成し、出力には負荷６５が接続される。なお、スイッチング周波数としては、例えば５００ｋＨｚを用いる。図６に示す電源回路は、複数個のＤＣ／ＤＣコンバータを位相制御し並列に作動させることによって、より高周波で、かつ大電流化を高効率で実現できる。しかし、従来構成では、出力としてリップル電流が生じることがあった。目標とする直流電流を出力として得るためにも、このリップル電流はできるだけ小さい方がよく、リップル電流の低減化にはチョークコイル６３のインダクタンス値を大きくすることが効果的である。
【００７１】
一方、大電流に対応した電源回路とするためには、大電流を流した時にチョークコイル６３の磁束が飽和するのを防ぐことが必要であり、そのためにはチョークコイル６３のインダクタンス値は小さいほうが好ましい。インダクタンス値を小さくすると、チョークコイル６３の直流重畳特性を高めることができるので、より大電流に対応することができる。また、上記の電源回路が、例えばノートパソコン等の電子機器に搭載されることを想定すると、チョークコイル６３は小型であることも必要である。
【００７２】
そこで、本実施の形態の多連チョークコイルを、図６に示す電源回路のチョークコイル６３として用いると、高周波帯域で使用可能で、かつ大電流化を高効率で実現できる。また、本実施の形態の多連チョークコイルは、各コイルの中心点の距離や高さ位置を変化させることで所定のインダクタンス値を得ることができるため、リップル電流の抑制をする場合や大電流に対応する場合等、比較的自由に対応することができる。
【００７３】
なお、本実施の形態の多連チョークコイルは、端子一体型コイルを二連としたが、三連、四連以上としてもよい。これらの端子一体型コイルを一直線上に配置してもよい。また、直線上に配置した複数の端子一体型のコイルを二列、三列以上に平面に並べても配置してもよく、あるは積み上げた配置でもよい。さらに、コイルの巻き数は１．５ターンには限定されない。さらに、各コイルの巻き数および巻き方向を同一とする必要も特にない。
【００７４】
以上のように、本実施の形態の多連チョークコイルは、小型で、高結合が可能で、かつ大電流に対応できる多連チョークコイルを実現することができるため、携帯電話等の電子機器に搭載した場合、特に有効である。
【００７５】
（実施の形態２）
本発明の実施の形態２の多連チョークコイルについて、図７から図１０を参照しながら説明する。本実施の形態の多連チョークコイルの基本的な構成は、本発明の実施の形態１の多連チョークコイルと同様であるが、本実施の形態では端子一体型コイルを一つ増やしてＶ字状に配置したことが特徴である。
【００７６】
図７は、本実施の形態の多連チョークコイルの透視斜視図である。また、図８は、この多連チョークコイルの配線図である。第一コイル７１は、第一入力端子７２と第一出力端子７３とが一体に形成されている。第二コイル７４は、同様に第二入力端子７５と第二出力端子７６とが一体に形成されている。また、第三コイル７７も第三入力端子７８と第三出力端子７９とが一体に形成されている。それぞれのコイルは同一方向に巻回されており、巻回数はすべて１．５ターンである。これによって、第一コイル７１、第二コイル７４および第三コイル７７にそれぞれの入力端子から電流を流した場合は、第一コイル７１、第二コイル７４および第三コイル７７のコイル内を貫通する磁束の向きは同一方向となる。
【００７７】
また、第一コイル７１の中心軸、第二コイル７４の中心軸および第三コイル７７の中心軸が平行で、かつ、第一コイル７１および第三コイル７７は上段に位置し、第二コイル７４は下段になるように配置されている。これにより、第一コイル７１、第二コイル７４および第三コイル７７はＶ字状に配置されることになる。第一コイル７１、第二コイル７４および第三コイル７７は磁性体７の内部に埋設され、磁性体７は直方体になるよう形成されている。また、第一コイル７１、第二コイル７４および第三コイル７７は、本発明の実施の形態１の多連チョークコイルで用いた端子一体型コイルと同様に、金属平板を打ち抜き折り畳んで形成した端子一体型のコイルであり、その製造方法については同じであるので説明を省略する。
【００７８】
図９および図１０は、図７に示す本実施の形態の多連チョークコイルのＢ１−Ｂ１線に沿った断面図である。なお、これらの図は構成的には同一であるが、図９に示す矢印Ｃ１、Ｃ２、Ｃ３および図１０に示す矢印Ｄ１、Ｄ２、Ｄ３の一部でその向きが異なる。これらの矢印Ｃ１、Ｃ２、Ｃ３、Ｄ１、Ｄ２、Ｄ３は、第一コイル７１、第二コイル７４および第三コイル７７のコイル内を貫通する磁束の向きを示している。
【００７９】
図９の場合、第一コイル７１および第三コイル７７はそれぞれ第一入力端子７２、第三入力端子７８から、また第二コイル７４は第二出力端子７６から、それぞれ電流を入力した時の磁束の向きを示している。したがって、第一コイル７１と第三コイル７７とのコイル内を貫通する磁束の向きと、第二コイル７４のコイル内を貫通する磁束の向きとが逆向きとなる。この状態を正結合とよぶ。
【００８０】
一方、図１０の場合、第一コイル７１、第二コイル７４および第三コイル７７は、それぞれ第一入力端子７２、第二入力端子７５および第三入力端子７８から電流を入力した時の磁束の向きを示している。したがって、第一コイル７１、第二コイル７４および第三コイル７７のそれぞれのコイル内を貫通する磁束の向きが同一方向である。この状態を負結合とよぶ。
【００８１】
上記構成の多連チョークコイルについて、以下その動作を説明する。
【００８２】
図９において、第一コイル７１に電流を流すと磁束が生じるが、その磁束は第一コイル７１のコイル内の中心を貫き、第一コイル７１の外側を通り、再び第一コイル７１のコイル内の中心に戻るように磁気回路を構成する。第二コイル７４と第三コイル７７とに電流を流した時も同様に磁気回路を構成する。このとき、第一コイル７１、第二コイル７４および第三コイル７７はＶ字状に配置されているため、第一コイル７１、第二コイル７４および第三コイル７７に電流を流すことで生じた磁気回路の磁束の中で重なり合う磁束が存在する。特に、この磁束の重なりが強いのはそれぞれコイルの中心付近である。
【００８３】
すなわち、第一コイル７１に電流を流すことで生じる磁束の中には、第二コイル７４のコイル内の中心を貫く磁束があり、同様に第三コイル７７に電流を流すことで生じる磁束の中にも、第二コイル７７のコイル内の中心を貫く磁束がある。そして、この第二コイル７４のコイル内の中心を貫く磁束の向きと、第二コイル７４に電流を流した時の第二コイル７４のコイル内の中心を貫く磁束の向きとが同じであるため、第二コイル７４内の中心を貫く磁束が大きくなる。
【００８４】
また、第二コイル７４に電流を流すことで生じる磁束の中には、第一コイル７１および第三コイル７７のコイル内の中心を貫く磁束がある。そして、この第一コイル７１および第三コイル７７のコイル内の中心を貫く磁束の向きと、第一コイル７１および第三コイル７７に電流を流した時の第一コイル７１のコイル内および第三コイル７７のコイル内の中心を貫く磁束の向きとが同じであるため、第一コイル７１のコイル内のおよび第三コイル７７のコイル内の中心を貫く磁束が大きくなる。
【００８５】
これによって、多連チョークコイルに大きな磁界が発生することとなり、インダクタンス値がより大きくなる。したがって、この正結合の多連チョークコイルを図６に示す電源回路のチョークコイル６３として用いると、正結合の多連チョークコイルはインダクタンス値が大きいことからリップル電流を抑制し、高周波帯域で使用可能で、かつ大電流に対応できる電源回路を実現できる。
【００８６】
図１０に示す構成の場合、第一コイル７１に電流を流すと磁束が生じるが、その磁束は第一コイル７１のコイル内の中心を貫き、第一コイル７１の外側を通り、再び第一コイル７１のコイル内の中心に戻るように磁気回路を構成する。第二コイル７４および第三コイル７７に電流を流した時も同様に磁気回路を構成する。このとき、第一コイル７１、第二コイル７４および第三コイル７７はＶ字状に配置されているため、第一コイル７１、第二コイル７４および第三コイル７７に電流を流すことで生じた磁気回路の磁束の内で重なり合う磁束が存在する。特に、この磁束の重なりが強いのはそれぞれコイルの中心付近である。
【００８７】
第一コイル７１に電流を流すことで生じる磁束の中には、第二コイル７４のコイル内の中心を貫く磁束がある。同様に、第三コイル７７に電流を流すことで生じる磁束の中にも、第二コイル７４のコイル内の中心を貫く磁束がある。そして、この第二コイル７４のコイル内の中心を貫く磁束の向きと、第二コイル７４に電流を流した時の第二コイル７４のコイル内の中心を貫く磁束の向きとが反対方向であるため、第二コイル７４のコイル内の中心を貫く磁束が小さくなる。
【００８８】
また、第二コイル７４に電流を流すことで生じる磁束の中には、第一コイル７１および第三コイル７７のコイル内の中心を貫く磁束がある。そして、この第一コイル７１および第三コイル７７のコイル内の中心を貫く磁束の向きと、第一コイル７１および第三コイル７７に電流を流した時の第一コイル７１のコイル内および第三コイル７７のコイル内の中心を貫く磁束の向きとが異なるため、第一コイル７１のコイル内および第三コイル７７のコイル内の中心を貫く磁束が小さくなる。
【００８９】
この結果、多連チョークコイルに発生する磁界が小さくなり、インダクタンス値を小さくすることができる。したがって、このような負結合の多連チョークコイルを図６に示す電源回路のチョークコイル６３として用いると、インダクタンス値が小さくなるためチョークコイル６３の直流重畳特性を高めることができ、より大電流に対応できる電源回路を実現できる。
【００９０】
本実施の形態の多連チョークコイルのインダクタンス値は、第一コイル７１、第二コイル７４および第三コイル７７の結合によって影響を受ける。すなわち、第一コイル７１、第二コイル７４および第三コイル７７の結合は、第一コイル７１、第二コイル７４および第三コイル７７に電流を流すことで生じる磁気回路の磁束の重なりの程度で変わる。この重なりは、第一コイル７１、第二コイル７４および第三コイル７７の配置によって変わる。そのため、第２コイル７４を基準として、その両端のコイルである第一コイル７１の中心点と第三コイル７７の中心点との距離をそれぞれ変化させることで、磁束の重なりを変化させることができる。この磁束の重なりの変化により、第一コイル７１、第二コイル７４および第三コイル７７のターン数を変えることなく、多連チョークコイルのインダクタンス値を変化させることが可能となる。
【００９１】
ここで、正結合又は負結合している本実施の形態の多連チョークコイルの第一コイル７１の中心点と第二コイル７４の中心点との距離または高さ位置とインダクタンス値との関係を求めた結果を図１１から図１３Ｂまでに示す。
【００９２】
図１１は、本実施の形態で用いた端子一体型コイルのコイル部３４とその周囲の磁性体７の領域部分を抽出して示した透視斜視図である。磁性体７であるコアは、縦１０ｍｍ、横１０ｍｍ、高さ３．５ｍｍの直方体であり、端子一体型コイルのコイル部３４は、内径４．２ｍｍ、外形７．９ｍｍ、高さ１．７ｍｍおよび透磁率μ＝２６とした。なお、図７から図１０までにおいては、巻き数１．５ターンとしているが、上記関係についてはその巻き数を３ターンとして求めた。
【００９３】
また、図１２Ａと図１２Ｂとは、図１１に示す端子一体型コイルのコイル部３４を用いた場合の多連チョークコイルの配置構成の透視斜視図（図１２（Ａ））と断面図（図１２（Ｂ））である。これらは、第二コイル７４を基準とした第一コイル７１および第３コイル７７間のそれぞれの距離Ｄとインダクタンス値との関係、および第二コイル７４を基準とした第一コイル７１および第３コイル７７の高さ位置Ｈとインダクタンス値との関係をそれぞれ求めるための構成を説明する図である。
【００９４】
図１３Ａは、高さ位置ＨをＨ＝２．７ｍｍと一定にして、第一コイル７１の中心点と第二コイル７４の中心点との距離Ｄ（これは第三コイル７７の中心点と第二コイル７４の中心点との距離Ｄと等しい）を変化させたときのインダクタンス値Ｌを求めた結果である。この結果から、コイルを正結合の配置とした場合には、負結合の配置とした場合に比べてインダクタンス値を大きくすることができる。また、距離Ｄを変化させることで、インダクタンス値Ｌを可変できることがわかった。
【００９５】
図１３Ｂは、距離Ｄを一定として、高さ位置Ｈを変化させた場合のインダクタンス値Ｌとの関係を示す図である。この図からわかるように、高さ位置Ｈを変化させることで、インダクタンス値Ｌを可変できることも見出された。なお、このときには、距離ＤはＤ＝６．５ｍｍで一定とした。
【００９６】
これによって、第一コイル７１の中心点と第三コイル７７の中心点の位置を変えて距離Ｄ、高さ位置Ｈを変化させることで、所望のインダクタンス値Ｌを得る多連チョークコイルを実現できる。なお、本実施の形態では、第一コイル７１の中心点と第二コイルとの７４の中心点との距離と、第三コイル７７の中心点と第二コイル７４の中心点との距離とは同じとしたが、本発明はこれに限定されない。これらの距離はそれぞれ異なっていてもよい。また、本実施の形態では第一コイル７１と第三コイル７７との高さ位置を同じとしたが、必ずしも同じである必要はなく異なっていてもよい。
【００９７】
これらの結果から、インダクタンス値が大きくなるように第二コイル７４を基準として、第一コイル７１の中心点と第三コイル７７の中心点との距離を設計に応じた配置構成とした多連チョークコイルを、実施の形態１の多連チョークコイルと同様に図６に示す電源回路のチョークコイル６３に用いると、リップル電流を抑制し、高周波帯域で大電流に対応できる電源回路を実現できる。
【００９８】
一方、インダクタンス値を抑制するように第一コイル７１の中心点と第三コイル７７の中心点との距離を同様に設計に応じた配置構成とした多連チョークコイルを、実施の形態１の多連チョークコイルと同様に図６に示す電源回路のチョークコイル６３に用いると、チョークコイル６３の直流重畳特性を高めることができ、より大電流に対応できる電源回路を実現することもできる。
【００９９】
なお、本実施の形態の多連チョークコイルでは、コイルを三連としたが、四連以上として一直線上に増やしても良い。また、直線上に配置した複数の端子一体型のコイルを二列、三列以上と平面に並べても良く、積層するようにしてもよい。さらに、コイルの巻き数は１．５ターンに限定されることもない。また、各コイルの巻回数および巻回方向を同一としなくてもよい。さらに、本実施の形態では、各コイルの配置をＶ字状としたが、逆Ｖ字状に配置してもよい。
【０１００】
さらに、図１４に示すように、一直線上に設置した複数の端子一体型のコイル１２１、１２１からずれた位置に端子一体型コイル１２２を配置することもできる。これによって、磁性体７内のコイルの充填率を高め、多連チョークコイル全体をより小型化することが可能である。
【０１０１】
以上のように、本実施の形態の多連チョークコイルは、小型化、高結合が可能で、大電流に対応できる多連チョークコイルを実現することができるため、携帯電話等の電子機器に用いると大きな効果を発揮する。
【０１０２】
（実施の形態３）
本発明の実施の形態３の多連チョークコイルについて図１５と図１６を参照しながら説明する。本実施の形態の多連チョークコイルの基本的な構成は、実施の形態１の多連チョークコイルと同様である。
【０１０３】
図１５は、本実施の形態の多連チョークコイルの透視斜視図である。第一コイル１３１、第二コイル１３２および第三コイル１３３は、実施の形態１の多連チョークコイルで用いたコイルと同様に、金属平板を打ち抜き折り畳んで形成した端子一体型のコイルからなる。それぞれのコイルの巻回数はともに２．５ターンである。
【０１０４】
図１６は、図１５に示す多連チョークコイルのＢ２−Ｂ２線に沿った断面図である。第一コイル１３１の中心軸、第二コイル１３２の中心軸および第三コイル１３３の中心軸が平行で、かつ、第一コイル１３１および第三コイル１３３は上段に位置し、第二コイル１３２は下段になるように配置されている。また、第一コイルの端部１３４、第二コイルの端部１３５および第三コイルの端部１３６は同一平面になるように配置されている。第一コイル１３１、第二コイル１３２および第三コイル１３３のコイル部は磁性体７の内部に埋設されている。
【０１０５】
上記構成の多連チョークコイルについて、以下その動作を説明する。
【０１０６】
本実施の形態の多連チョークコイルが、コイルの結合により小型化、高結合が可能で、大電流に対応できることについては実施の形態１と同様である。本実施の形態の多連チョークコイルでは、コイルのターン数および配置に特徴をもたせることで、さらに小型、低背構成を実現することができる。
【０１０７】
図１６に示すように、２ターン分の高さを有する第二コイル１３２の右側部分の上に、３ターン分の高さを有する第一コイル１３１の左側部分が積層されている。また、３ターン分の高さを有する第二コイル１３２の左側部分の上に、２ターン分の高さを有する第三コイル１３３の右側部分が積層されている。第一コイル１３１、第二コイル１３２および第三コイル１３３が、それぞれ２．５ターンとしてあるので、このようなコイル配置が可能となる。したがって、第一コイル１３１および第三コイル１３３を上段に、第二コイルを下段に配置する構成したときに無駄な空間を作らずに、充填度を大きくしたコイルの積層構成が容易に実現できる。これによって、さらに小型で低背構成の多連チョークコイルを実現できる。
【０１０８】
このような多連チョークコイルを図６に示す電源回路のチョークコイル６３として用いると、設計上要求されるインダクタンス値を容易に確保しながら、小型化することができ、小型で高性能の電源回路機器を実現できる。
【０１０９】
（実施の形態４）
本発明の実施の形態４にかかる多連チョークコイルの構成を図１７Ａ、図１７Ｂおよび図１８を用いて説明する。図１７Ａは、本実施の形態の多連チョークコイルの透視斜視図であり、図１７Ｂは、その配線図である。図１８は、図１７Ａに示す多連チョークコイルのＡ２−Ａ２線に沿った断面図である。
【０１１０】
まず、端子一体型のコイル５０は実施の形態１の図３と図４とに示された作製方法とおなじように作製すればよいので、説明を省略する。なお、端子一体型のコイル５０の巻回数は特に整数とする必要はなく、１．５ターン、１．７５ターン等と自由に設定できる。また、コイルのサイズやインダクタンス値等に関しても同様である。本実施の形態では、これらのコイルを単に端子一体型コイル５０として、以下説明する。したがって、これらに接続されている端子についても、単に入力端子２０および出力端子３０として説明する。また、磁性体７も実施の形態１で説明した材料と同じものを同じ製造方法で作製することができるので、説明は省略する。
【０１１１】
本実施の形態の多連チョークコイルは、磁性体７の中に複数の端子一体型のコイル５０を配置することによって構成されている。多連チョークコイルは、まず金型に端子一体型のコイル５０をそれぞれ所定の位置関係として配置し、端部を除く部分を磁性体７で覆いプレス成型を行なう。このプレス成型条件も実施の形態１と同じようにすればよいので、説明を省略する。
【０１１２】
磁性体７から突出した端部は外層の表面へと表出され折り曲げられ、その露出部には銅や銀からなる端子の酸化の防止と半田等の接続信頼性の向上のためにニッケル（Ｎｉ）またはニッケル（Ｎｉ）を含む合金からなる下地層５２が形成される。さらに、そのＮｉまたはＮｉを含む合金の下地層５２上にハンダまたはスズ（Ｓｎ）あるいは鉛（Ｐｂ）の最上層５３が形成されている。
【０１１３】
この表出された全ての端部は、多連チョークコイルの底面および底面に隣接する面に沿って折り曲げられて入力端子２０と出力端子３０とが形成される。これにより、実質的にリードレス構造となるのでリード付き構成の従来の多連チョークコイルに比べて高密度な実装が可能となる。上記の製造方法についても実施の形態１と基本的には同じである。
【０１１４】
なお、磁性体７は直方体形状とすることが好ましいことは、実施の形態１の場合と同じである。これにより、自動実装のための吸着やプリント基板上への位置合せ等も容易にできるようになる。なお、実装の向きや端子の極性を表示してもよいし、面取りをしてもよい。さらに、多角形や円柱形状でも、上面が平坦形状であれば特に制約はない。
【０１１５】
以下、磁性体７の中に埋設する複数のコイルの配置構成について説明する。本実施の形態では、図１７Ａに示すように、コイルのサイズ、巻数とも同じ２つのコイルを同じ平面で、かつ、それぞれのコイルの中心にて発生する磁束が逆向きに発生するように配置している。図１７Ｂはその配線図であり、それぞれの端子一体型のコイル５０、５０の入力端子２０と出力端子３０とには、それぞれ電源接続部Ｉ１、Ｉ２、Ｏ１、Ｏ２を表示してある。
【０１１６】
以上の構成とした場合、生じる磁界がどのようになるかを説明する。図１９Ａと図１９Ｂとは、図１７Ａに示すＢ３−Ｂ３線に沿った断面図で、電流を流した際にそれぞれのコイル内を貫く磁束の向きがそれぞれ交互に異なる。したがって、それぞれのコイル内を貫通する磁束は重畳されるように磁気回路が形成されている。この結果、それぞれのコイルのインダクタンス値が大きくなる。このような磁束の結合を生ずるコイルの向きの配置は正結合構成である。
【０１１７】
一方、図１７Ａと同じようにコイルのサイズや巻回数が同じ２つのコイルを同じ平面に配置するが、それぞれに電流を流した際にコイル内を貫く磁束の向きが同一になるように配置する多連チョークコイル構成もある。図２０Ａは、同じ巻回方向の端子一体型コイル５０を同じ平面に配置した多連チョークコイルの透視斜視図である。また、図２０Ｂはその配線図を示す。それぞれの端子一体型のコイル５０、５０の入力端子２０と出力端子３０とには、それぞれ電源接続部Ｉ１、Ｉ２、Ｏ１、Ｏ２を示してある。
【０１１８】
図２１Ａと図２１Ｂとは、この多連チョークコイルの断面図で、電流を流した際にそれぞれのコイル内を貫く磁束がすべて同一方向である。したがって、それぞれのコイル内を貫く磁束はコイルの外側を通り元に戻るが、この場合の磁束の結合は弱く、多連チョークコイル全体で発生する磁束が打ち消し合う方向にそれぞれ磁気回路が形成されている。つまり、磁束の飽和を抑制する効果が得られる。すなわち、このコイルの配置構成は負結合である。
【０１１９】
以上、述べたように、正結合と負結合の配置では、それぞれ異なった特性が得られる。以下、正結合をしている２つのコイルの中心点間距離Ｒとインダクタンス値Ｌとの関係、および負結合の配置をとっている場合の２つのコイルの中心点間距離Ｒとインダクタンス値Ｌとの関係を求めた結果について説明する。
【０１２０】
図２２Ａは、一個のコイル部３４とその周囲を取り囲む磁性体７の一部とを示す透視斜視図である。コイル部３４のサイズは内径４．２ｍｍ、外径７．９ｍｍ、高さ１．７ｍｍで、その巻数は３ターンとした。また、磁性体７からなるコアは、透磁率μ＝２６、サイズが１０ｍｍ×１０ｍｍ×３．５ｍｍとし、これらから得られるインダクタンス値ＬはＬ＝０．５９５μＨである。
【０１２１】
図２２Ｂと図２２Ｃとは、図２２Ａに示す単位構成のコイル部３４と磁性体７とを２つ同一平面上に配置した構成を示す透視斜視図と平面図である。このような構成の多連チョークコイルにおいて、正結合構成と負結合構成との構成の違いをパラメータとして、中心点間距離Ｒとインダクタンス値Ｌを比較した結果を図２２Ｄに示している。
【０１２２】
２つのコイル５０、５０の中心点間の距離Ｒを１０ｍｍとしたとき、正結合構成ではインダクタンス値Ｌが０．５７９μＨ、負結合構成ではインダクタンス値Ｌは正結合構成のインダクタンス値Ｌの−１．４％小さい０．５７１μＨとなった。同様に、中心点間距離Ｒを９．２ｍｍとしたとき、正結合構成ではインダクタンス値Ｌが０．５８３μＨとなり、負結合構成ではそれよりも−２．７％小さい０．５６７μＨとなった。
【０１２３】
すなわち、正結合構成においては、中心点間距離Ｒを小さくするにつれて、そのインダクタンス値Ｌは大きくなる。一方、負結合構成においては、中心点間距離Ｒを小さくするにつれて、そのインダクタンス値Ｌも小さくなる。つまり、正結合構成では、中心点間距離Ｒを小さくすればインダクタンス値Ｌを大きくすることができ、各コイルの巻回数を増やさなくても、大きなインダクタンス値を得ることができる。さらに、コイルの中心点間距離Ｒが小さいほど、インダクタンス値Ｌを大きくすることができるので、多連チョークコイルの小型化を図るうえでも好ましい。
【０１２４】
一方、負結合構成では、コイルの中心点間距離Ｒが小さいほど、インダクタンス値Ｌも小さくなる。負結合構成においては、それぞれのコイルで発生する直流磁界成分が打ち消し合うので、大電流を流しても磁束が飽和することを防止しやすい。すなわち、負結合構成では、複数のコイルを内蔵したチョークコイルとすることで、コイル１つからなるチョークコイルを複数組み合わせて使用する場合よりも、小型化が可能であるだけでなく、直流重畳特性も大幅に改善することができる。
【０１２５】
つぎに、３つの端子一体型のコイルを磁性体７中に配置した多連チョークコイル（以下、３連チョークコイルとよぶ）について説明する。
【０１２６】
図２３Ａは、３つの端子一体型のコイル５０１、５０２、５０３を一直線上に配置した構成を示す透視斜視図である。なお、これらの端子一体型コイルのそれぞれを区別して、以下では右コイル５０１、中央コイル５０２および左コイル５０３とよぶ。図２３Ｂは、このような配置構成で、かつ、それぞれが正結合構成となるように配置した３連チョークコイルの配線図を示す。また、図２３Ｃは、同様に３つの端子一体型のコイル５０１、５０３、５０４を一直線上に配置し、負結合構成の３連チョークコイルの透視斜視図である。同様に、これらの端子一体型コイル５０１、５０３、５０４のそれぞれを区別して、以下では右コイル５０１、中央コイル５０４および左コイル５０３とよぶ。この構成では、中央コイル５０４も含めて、右コイル５０１と左コイル５０３ともに同じ巻回方向である。図２３Ｄは、この多連チョークコイルの配線図を示す。なお、図２３Ｂおよび図２３Ｄにおいて、入力端子２０と出力端子３０との電源接続部を、それぞれＩ１、Ｉ２、Ｉ３、Ｏ１、Ｏ２、Ｏ３と表示している。
【０１２７】
表１は、本実施の形態におけるコイルの正結合構成と負結合構成との違いによる各コイルのインダクタンス値Ｌの結果を示す。
【０１２８】
【表１】
2004055841.tif 000047
表１からわかるように、３つのコイルの平均インダクタンス値は正結合構成の方が、負結合構成の配置の場合よりも大きくなる。中央コイル５０２のみをみると、負結合構成では０．５７０４μＨで、正結合構成の場合の０．５８７０μＨよりも−２．８％小さい。
【０１２９】
以上、述べたように、３つの端子一体型のコイル５０１、５０２、５０３を用いた３連チョークコイルにおいても、２つの端子一体型のコイル５０を用いた場合と同様、正結合構成または負結合構成、あるいはコイルの中心点間距離Ｒによって、インダクタンス値Ｌを任意に調節可能であり、多連チョークコイルの使用目的に合せてインダクタンス値Ｌを設定できるので最適な設計が容易に行なえる。
【０１３０】
なお、本実施の形態では、２連および３連構成について説明したが,本発明はこれに限定されない。さらに端子一体型のコイルを４連以上として、一直線上に配置してもよい。また、直線上の複数の端子一体型のコイルを並べて２列以上に配置してもよい。
【０１３１】
しかも、一直線上に配置した複数の端子一体型のコイルからはずれた位置に、少なくとも一個の端子一体型コイルを配置してもよい。図２４Ａは、同じ巻回数の３つの端子一体型のコイル５０５、５０６、５０７を同一平面上でＶ字型に配置して、負結合構成とした多連チョークコイルの透視斜視図である。また、図２４Ｂはその側面図で、図２４Ｃは配線図である。端子一体型のコイル５０５、５０６、５０７は、それぞれ入力端子５０５２、５０６２、５０７２と出力端子５０５３、５０６３、５０７３とが同じ方向に表出するような構成としてある。このようなコイルも実施の形態１と同じように金属平板をエッチングまたは打ち抜き加工して作製することができる。このように、複数のコイルを交互に配置することにより、磁性体７内の端子一体型のコイル５０５、５０６、５０７の充填率を大きくでき、全体を小型化することも可能である。
【０１３２】
また、図２３Ａに示すような構成の多連チョークコイルでは、異なる巻回数のコイルの組み合わせも可能である。例えば、図２５は、端子一体型のコイルの中心点を一直線上になるように配置した構成の多連チョークコイルの断面図である。この構成の場合、巻回数２ターンの端子一体型のコイル５０９、５１０と巻回数３ターンの端子一体型のコイル５０８とを、それぞれのコイル５０８、５０９、５１０の中心点を一直線上に並べて配置している。
【０１３３】
このように本実施の形態によれば、巻回数やサイズによらず、複数のコイルを正結合構成または負結合構成とすることや、それぞれのコイルの中心点間距離を調整して磁性体７の中に埋設させることで、設計に対応して高精度にインダクタンス値を制御できるだけでなく、小型で低背構成の多連チョークコイルを実現できる。
【０１３４】
これらの構成からなる多連チョークコイルを実施の形態１の図６で説明した電源回路のチョークコイルとして用いると、例えば、正結合構成の配置をとっている複数の端子一体型のコイルを内蔵した多連チョークコイルでは、大きなインダクタンス値を得ることができる。したがって、これをチョークコイル６３として用いると、リップル電流を抑制できる電源回路が可能である。
【０１３５】
また、例えば負結合構成の配置をとっている複数の端子一体型のコイルを内蔵した多連チョークコイルでは、インダクタンス値を小さくすることが容易に行なえるので、より大電流に対応した電源回路を実現できる。なお、このような電源回路はパソコンや携帯電話などの電源回路として用いることが好ましい。
【０１３６】
（実施の形態５）
図２６は、本発明の実施の形態５にかかる多連チョークコイルの透視斜視図である。本実施の形態では、端子一体型のコイルを２個用いて磁性体６０７中に埋設している。第一コイル６０１は、第一入力端子６０２と第一出力端子６０３とが一体に形成されている。第二コイル６０４は、第二入力端子６０５と第二出力端子６０６とが同様に一体に形成されている。それぞれのコイルの巻回方向は異なるが、巻回数はともに２．０ターンである。これにより、第一コイル６０１および第二コイル６０４に、それぞれの第一入力端子６０２と第二入力端子６０５とから電流を流した場合、第一コイル６０１および第二コイル６０４のそれぞれのコイル内の磁束の向きは異なる方向となる。
【０１３７】
また、第一コイル６０１の中心軸と第二コイル６０４の中心軸とが平行で、かつ、第一コイル６０１の２ターン分で第二コイル６０４の１ターン分をかみ合わせた配置としている。第一コイル６０１と第二コイル６０４とは、磁性体６０７の内部に埋設され、磁性体６０７は直方体形状に形成されている。このような配置により、第一コイル６０１および第二コイル６０４は磁気結合することができる。
【０１３８】
このように、本実施の形態の多連チョークコイルは直方体形状であるため、多連チョークコイルを自動実装する際に取り扱いやすい。
【０１３９】
ここで、第一コイル６０１および第二コイル６０４となる端子一体型のコイルの製造方法とその具体的構成を図２７と図２８とを用いて説明する。
【０１４０】
まず、図２７に示すように、金属平板をエッチングまたは打ち抜いて形成された２つの円弧状部６３１、この２つの円弧状部６３１をつなぐ連接部６３３および２つの円弧状部６３１の一端部から延長されたそれぞれの端部６３５からなる打ち抜き平板を作製する。なお、金属平板は銅や銀等の低抵抗で、高熱伝導性の材料であれば特に限定されない。
【０１４１】
さらに、２つの円弧状部６３１の表面には絶縁膜６３２を形成する。これにより、打ち抜き平板の２つの円弧状部６３１を折り畳んで上下に重ね合わせて構成されるコイル部６３４において、コイルとなる円弧状部６３１間の短絡を防止できる。なお、連接部６３３の表面には絶縁膜６３２は形成しない。このように、連結部６３３を除いた領域に絶縁膜６３２を設けているので、連接部６３３を折曲しても絶縁膜６３２の破れや剥離等が発生せず、このような絶縁膜６３２に起因するコイルの特性劣化を抑制できる。
【０１４２】
この打ち抜き平板は、図２８に示すように２つの円弧状部６３１の連接部６３３にて互いに中心点が重なるように折り曲げられて、２つの円弧状部６３１はコイル部６３４となる。また、２つの端部６３５はコイル部６３４の中心に対して放射状に設けられたものとなり、端子一体型のコイルが形成される。なお、本実施の形態では、第一コイル６０１と第二コイル６０４とは、第一コイル６０１の２ターン分で第二コイル６０４の１ターン分をかみ合わせる構成としているので、それぞれのコイル部６３４については円弧状部６３１の厚み分だけ隙間を設けて積層している。
【０１４３】
このような打ち抜き平板を用いることにより、円弧状部６３１が積層されてなるコイル部６３４には絶縁膜６３２による絶縁処理が施されているため、円弧状部６３１間に隙間を設けることなく積み上げることが可能となり、占積率の高い多連チョークコイルを実現することができる。
【０１４４】
なお、図２７および図２８では、端子一体型のコイルとして２ターンの場合を示しているが、打ち抜き平板状態で円弧状部６３１の数をさらに増加させていけば３ターン以上でも容易に作製できることは明らかである。
【０１４５】
なお、磁性体６０７としては、実施の形態１で説明した材料および製造方法により作製できるので説明を省略する。
【０１４６】
図２６に示す多連チョークコイルの製造方法についても、実施の形態１と同じ製造方法により作製できるので、同様に説明を省略する。
【０１４７】
図２９は、図２６に示す多連チョークコイルのＡ３−Ａ３線に沿った断面図を示す。第一コイル６０１の第一入力端子６０２および第一出力端子６０３は、磁性体６０７の側面から底面に沿うように形成されている。また、第一入力端子６０２および第一出力端子６０３が磁性体６０７の表面に露出する部分には下地層５２が形成され、この下地層５２を覆うように最上層５３が形成される。下地層５２はメッキにより形成したニッケル（Ｎｉ）層が好ましく、最上層５３はハンダ層またはスズ（Ｓｎ）層が好ましい。これらについても実施の形態１と同じである。
【０１４８】
これによって、第一入力端子６０２、第二入力端子６０５、第一出力端子６０３および第二出力端子６０６は、それぞれ磁性体６０７の底面に折り曲げられた領域部にも最上層５３として、例えばハンダ層が形成されているために多連チョークコイルをプリント基板等に対して、より確実に実装することができる。また、これによりリードレス構造となるので高密度で実装することもできる。
【０１４９】
本実施の形態の多連チョークコイルは、第一コイル６０１および第二コイル６０４は金属平板を打ち抜き折り曲げて構成されている。したがって、導線を巻き、導線の先端部に端子を取り付けて構成される従来のコイルに比べて、高周波領域で必要とされるインダクタンス値および低い直流抵抗値を確保しやすく、この結果大電流に対応することが容易になる。
【０１５０】
また、コイルの巻回数を多くしなくても必要とされるインダクタンス値を確保できるため、小型で低背構成の多連チョークコイルを実現することができる。
【０１５１】
また、第一コイル６０１および第二コイル６０４は磁性体６０７の内部に埋設され、その磁性体６０７は絶縁性に優れ、コイル間やコイル部６３４の間でのショート不良発生を防止でき、高信頼性の多連チョークコイルを実現できる。特に、金属磁性粉末の主成分を鉄（Ｆｅ）、ニッケル（Ｎｉ）、コバルト（Ｃｏ）のうちから選択された一種類以上を含んだ磁性体６０７とすることによって、大電流に対応可能な高飽和磁束密度と高透磁率の磁気特性を有する磁性体６０７を得ることができ、インダクタンス値の大きな多連チョークコイルを実現することができる。
【０１５２】
上記構成の多連チョークコイルについて、以下その動作を説明する。
【０１５３】
第一コイル６０１および第二コイル６０４は、巻回数が同数で、巻回方向は逆である。したがって、第一入力端子６０２および第二入力端子６０５から電流を流すと、生じた磁界によりそれぞれのコイル内を貫く磁束の向きは逆向きとなる。図３０は、図２６に示す本実施の形態の多連チョークコイルのＢ４−Ｂ４線に沿った断面図で、それぞれのコイル内を貫く磁束の向きを矢印で示している。第一コイル６０１および第二コイル６０４のそれぞれのコイル内の磁束の向きが逆向きであり、正結合構成である。
【０１５４】
一方、図３１は、同様に図２６に示す多連チョークコイルのＢ４−Ｂ４線に沿った断面図で、それぞれのコイル内を貫く磁束の向きを矢印で示している。この場合には、第一コイル６０１は第一入力端子６０２から、第二コイル６０４は第二出力端子６０６から電流を入力しており、第一コイル６０１のコイル内の磁束の向きと、第二コイル６０４のコイル内の磁束の向きとが同じ向きであり、負結合構成である。
【０１５５】
上記構成の多連チョークコイルについて、以下その動作を説明する。
【０１５６】
図３０に示すように、第一コイル６０１に電流を流すと磁束が生じるが、その磁束は第一コイル６０１のコイル内を貫き、第一コイル６０１の外側を通り、再び第一コイル６０１のコイル内に戻る磁気回路を構成する。第二コイル６０４に電流を流した時も同様に磁気回路を構成する。
【０１５７】
このとき、第一コイル６０１および第二コイル６０４は、一部がかみ合うように配置されているため、第一コイル６０１および第二コイル６０４に電流を流すことで生じた磁気回路の磁束の中で重なり合う磁束が存在する。特に、この磁束の重なりが強いのはそれぞれのコイルの中心付近である。
【０１５８】
すなわち、第一コイル６０１に電流を流すことで生じる磁束の中には第二コイル６０４のコイル内を貫く磁束があり、同様に第二コイル６０４に電流を流すことで生じる磁束の中にも第一コイル６０１のコイル内を貫く磁束がある。そして、この第一コイル６０１のコイル内を貫く磁束の向きと、第二コイル６０４に電流を流した時の第一コイル６０１のコイル内を貫く磁束の向きとが同じであるため、これらが重畳されて第一コイル６０１のコイル内を貫く磁束が大きくなる。また、第二コイル６０４についても同様に重畳されるため、第一コイル６０１のコイル内を貫く磁束が大きくなる。
【０１５９】
これによって、多連チョークコイルに大きな磁界が発生することとなり、インダクタンス値がより大きくなる。したがって、正結合構成とした多連チョークコイルを、実施の形態１の図６に示した電源回路のチョークコイル６３として用いると、正結合の多連チョークコイルはインダクタンス値が大きくできるので、リップル電流を抑制でき、高周波帯域で大電流に対応できる電源回路を実現できる。
【０１６０】
また、図３１に示す構成の多連チョークコイルでも、第一コイル６０１に電流を流すと磁束が生じるが、その磁束は第一コイル６０１のコイル内を貫き、第一コイル６０１の外側を通り、再び第一コイル６０１のコイル内に戻る磁気回路を構成する。さらに、第二コイル６０４に電流を流した時も同様に磁気回路を構成する。このとき、第一コイル６０１および第二コイル６０４は一部のコイルがかみ合うように配置されているため、第一コイル６０１および第二コイル６０４に電流を流すことで生じた磁気回路の磁束の内で重なり合う磁束が存在する。特に、この磁束の重なりが強いのはそれぞれコイルの中心付近となる。
【０１６１】
図３１に示すように、第一コイル６０１に電流を流すことで生じる磁束の中には、第二コイル６０４のコイル内を貫く磁束があり、同様に第二コイル６０４に電流を流すことで生じる磁束の中にも第一コイル６０１のコイル内を貫く磁束がある。
【０１６２】
そして、第二コイル６０４に電流を流して生じるコイル内を貫く磁束の向きと、第一コイル６０１に電流を流したときに第二コイル６０４のコイル内を貫く磁束の向きとが反対であるため、第二コイル６０４のコイル内を貫く磁束が小さくなる。また、同様に第一コイル６０１に電流を流して生じるコイル内を貫く磁束の向きと、第二コイル６０４に電流を流したときに第一コイル６０１のコイル内を貫く磁束の向きとが異なるため、第二コイル６０４のコイル内を貫く磁束が小さくなる。これによって、多連チョークコイルに発生する磁界を小さくすることが可能となり、磁束が飽和するのを抑制できる。
【０１６３】
したがって、負結合構成の多連チョークコイルを、同様に実施の形態１の図６に示す電源回路のチョークコイル６３として用いると、磁束の飽和を抑制できるのでチョークコイル６３の直流重畳特性を高めることができ、より大電流に対応できる電源回路を実現できる。
【０１６４】
また、多連チョークコイルのインダクタンス値は、第一コイル６０１と第二コイル６０４との結合状態により影響される。この第一コイル６０１および第二コイル６０４の結合は、第一コイル６０１および第二コイル６０４に電流を流すことで生じる磁気回路の磁束の重なりの程度で変わり、この重なりは第一コイル６０１および第二コイル６０４の配置によって変えることができる。
【０１６５】
そのため、多連チョークコイルの第一コイル６０１のコイルの中心点と第二コイル６０４のコイルの中心点との距離を変化させれば、磁束の重なりの程度を変えることができ、結果として第一コイル６０１および第二コイル６０４の巻回数を変えなくても、多連チョークコイルのインダクタンス値を変化させることが可能となる。これによって、設計上必要とされるインダクタンス値を簡単に得ることができる。
【０１６６】
以下、第一コイル６０１のコイルの中心点と第二コイル６０４のコイルの中心点との距離を変化させたときの中心点との距離Ｒと結合との関係について、具体例をもとに説明する。以下では、第一コイル６０１および第二コイル６０４のサイズは、外形を８．０ｍｍ、内径を４．０ｍｍ、板厚を０．５ｍｍとし、磁性体６０７のサイズは縦１０ｍｍ、横１６ｍｍ、高さ３．５ｍｍとする。
【０１６７】
図３２Ａは、第一コイル６０１の中心点と第二コイル６０４の中心点との距離ＲをＲ＝６ｍｍとした構成の多連チョークコイルの断面図である。図３２Ｂは同様に中心点間の距離ＲをＲ＝７ｍｍとした場合、図３２Ｃは中心点間の距離ＲをＲ＝８ｍｍとした場合の断面図である。これらの図の基本的の構成は図２６に示した構成であり、Ｂ４−Ｂ４線に沿うような断面形状を示している。また、図３２Ｄは、中心点間の距離ＲをＲ＝０ｍｍにした場合の断面図である。この場合には、全体をより小型化できるので、磁性体６０７のサイズは図３２Ａから図３２Ｃまでに示す構成に比べて小さくしている。
【０１６８】
図３２Ａに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１がかみ合っている。また、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の中心点６４３、６４４とがすべて同一線上になるよう配置されている。これは、第一コイル６１０と第二コイル６０４ともに、コイル部の外径が８ｍｍ、内径が４ｍｍとし、コイルの中心点間の距離を６ｍｍとしていることによる。
【０１６９】
また、図３２Ｂに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１がかみ合っている。また、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の外周部６４５、６４６とが同一線上になるよう配置されている。これは、第一コイル６１０と第二コイル６０４ともに、コイル部の外径が８ｍｍ、内径が４ｍｍとし、コイルの中心点間の距離を７ｍｍとしていることによる。
【０１７０】
また、図３２Ｃに示す構成の多連チョークコイルでは、２つのコイルのかみ合わせ部分については、第一コイル６０１のコイル部を構成する２つの円弧状部６３１の間に第二コイル６０４のコイル部を構成する円弧状部６３１の一部が重なるように設けられている。その重なりの程度は、第一コイル６０１のコイル部を構成する２つの円弧状部６３１のそれぞれの左側のコイル断面の外周部６４７、６４８と第二コイル６０４のコイル部を構成する２つの円弧状部６３１のそれぞれの右側のコイル断面の外周部６４５、６４６とが同一線上になるよう配置されている。これは、第一コイル６１０と第二コイル６０４ともに、コイル部の外径が８ｍｍ、内径が４ｍｍとし、コイルの中心点間の距離を８ｍｍとしていることによる。
【０１７１】
さらに、図３２Ｄに示す構成の多連チョークコイルでは、２つのコイルのかみ合わせ部分については、第一コイル６０１のコイル部を構成する２つの円弧状部６３１と第二コイル６０４のコイル部を構成する２つの円弧状部６３１とがまったく重なるよう配置されている。すなわち、第一コイル６０１のコイル部を構成する２つの円弧状部６３１の中心点６４９、６５０と第二コイル６０４のコイル部を構成する２つの円弧状部６３１の中心点６５１、６５２とが同一線上になるよう配置されている。なお、第一コイル６０１のコイルの中心軸は、これらの２つの円弧状部６３１の中心点６４９、６５０を通る線であり、同様に第二コイル６０４のコイルの中心軸は２つの円弧状部６３１の中心点６５１、６５２を通る線である。これは、第一コイル６０１と第二コイル６０４ともに、コイル部の外径が８ｍｍ、内径が４ｍｍとし、コイルの中心点間の距離を０ｍｍとしていることによる。
【０１７２】
図３２Ａに示す多連チョークコイルの構成の場合、第一コイル６０１に電流を流したとき発生する第二コイル６０４のコイル内の磁束は第二コイル６０４の円弧状部６３１に遮られることはない。同様に、第二コイル６０４に電流を流したとき発生する第一コイル６０１内の磁束は第一コイル６０１の円弧状部６３１に遮られることはない。したがって、この構成の多連チョークコイルでは、第一コイル６０１および第二コイル６０４によって磁路がふさがれることがなく、この結果それぞれのコイル内で結合する有効断面積を大きくすることができる。
【０１７３】
なお、この構成の多連チョークコイルは上記のようにかみ合うコイルの外径と内径とがまったく同じである場合だけでなく、かみ合うコイルの外径と内径の差がそれぞれ同一の場合であっても成立する。例えば、第一コイル６０１のコイル部の外径を９ｍｍ、内径を７ｍｍとし、第二コイル６０４のコイル部の外径を８ｍｍ、内径を６ｍｍとした場合、第一コイル６０１のコイルの中心点と第二コイル６０４のコイルの中心点との距離を６．５ｍｍとすれば、上記のような高結合の多連チョークコイルを実現することができる。
【０１７４】
なお、図３２Ａに示す多連チョークコイルの構成においては、第一コイル６０１の中心点と第二コイルの６０４の中心点との距離を、第一コイル６０１のコイル部を構成する２つの円弧状部６３１のそれぞれの左側のコイル断面の中心点６４１、６４２と第二コイル６０４のコイル部を構成する２つの円弧状部６３１のそれぞれの右側のコイル断面の中心点６４３、６４４とがすべて同一線上になるように設定したが、必ずしもこのように設定する必要はなく、コイル内で結合する有効断面積を充分に確保できる程度に一致させておけばよい。
【０１７５】
図３２Ｂに示す多連チョークコイルの構成では、第一コイル６０１に電流を流したときに発生する第二コイル６０４のコイル内の磁束は、第二コイル６０４のコイル部の円弧状部６３１によって一部遮られる。同様に、第二コイル６０４に電流を流したときに発生する第一コイル６０１のコイル内の磁束は、第一コイル６０１のコイル部の円弧状部６３１によって一部遮られる。この結果、この構成の多連チョークコイルは、第一コイル６０１および第二コイル６０４によってそれぞれ磁路が塞がれる部分が生じる。したがって、図３２Ａに示す構成の多連チョークコイルと比較して結合を抑制することが可能となる。
【０１７６】
図３２Ｃに示す多連チョークコイルの構成では、第一コイル６０１に電流を流したときに発生する第二コイル６０４のコイル内の磁束は、第二コイル６０４のコイル部の円弧状部６３１によって一部遮られる。同様に、第二コイル６０４に電流を流したときに発生する第一コイル６０１のコイル内の磁束は、第一コイル６０１のコイル部の円弧状部６３１によって一部遮られる。この結果、この構成の多連チョークコイルは、第一コイル６０１および第二コイル６０４によってそれぞれ磁路が塞がれる部分が生じる。したがって、図３２Ａや図３２Ｂに示す構成の多連チョークコイルと比較して、さらに結合を抑制することが可能となる。
【０１７７】
図３２Ｄに示す多連チョークコイルの構成では、第一コイル６０１と第二コイル６０４のコイル部の中心軸が同じとなるように配置されているので、より結合を強くすることができるだけでなく、小型化も可能となる。
【０１７８】
上記したように、第一コイル６０１のコイルの中心点と第二コイル６０４のコイルの中心点との距離Ｒを変化させることで、結合度合いだけでなく、コイル内で結合する有効断面積も調節することができるため、多連チョークコイルの全体の結合をより自由に調節することができる。これによって、設計上必要とされるインダクタンス値を有する多連チョークコイルを容易に実現できる。
【０１７９】
（実施の形態６）
図３３Ａと図３３Ｂとは、本発明の実施の形態９にかかる多連チョークコイルのコイル部の構成を示す断面図である。２つの端子一体型のコイル７１１、７１２を縦方向に配置して磁性体７１３の内部に埋設した構成である。なお、これらの図においては、磁界の向きを破線の矢印で示し、電流の向きを実線の矢印で示している。
【０１８０】
図３３Ａに示す構成の多連チョークコイルは、２つの端子一体型のコイル７１１、７１２のそれぞれのコイル部７１５、７１６を縦方向に配置し、かつ電流を流した時に発生するコイル内の磁界の向きが同じ方向になるように端子から電流を入力する構成としている。この構成は正結合である。この構成により、発生する磁束の向きが同じとなるため、それぞれの磁束が重畳されるためインダクタンス値を大きくでき、多連チョークコイルの小型化を図ることができる。
【０１８１】
なお、３つ以上の端子一体型のコイルについても同様な配置を行い、同様に電流を流した時に発生するコイル内の磁界の向きが同じ方向になるよう端子から電流を入力すれば同様の効果が得られる。
【０１８２】
図３３Ｂに示す構成の多連チョークコイルは、２つの端子一体型のコイル７１１、７１２を同様に縦方向に配置し、かつ電流を流した時に発生するコイル内の磁界の向きがそれぞれ逆方向になるように端子から電流を入力するように構成している。この構成は負結合である。この構成により、発生する磁束が互いに打ち消しあうため、磁束の飽和を抑制することができ、多連チョークコイルの直流重畳特性を高めることができる。
【０１８３】
なお、３つ以上の端子一体型のコイルについても同様な配置を行い、同様に電流を流した時に発生するコイル内の磁界の向きが交互に異なる方向になるように端子から電流を入力すれば同様の効果が得られる。
【０１８４】
このような正結合構成と負結合構成の多連チョークコイルについて、２つの端子一体型のコイル７１１、７１２のコイル部の中心点間距離Ｓとインダクタンス値の関係について説明する。図３４は、中心点間距離Ｓとインダクタンス値Ｌとの関係である。この結果は、端子一体型のコイル７１１、７１２のサイズを内径４．２ｍｍ、外径７．９ｍｍ、高さは１．７ｍｍ、巻回数は３ターンとし、また磁性体７１３からなるコアは透磁率μ＝２６、サイズが縦、横および高さがそれぞれ１０ｍｍ、１０ｍｍ、３．５ｍｍとして求めた。また、インダクタンス値ＬはＬ＝０．５９５μＨとした。
【０１８５】
中心点間距離ＳがＳ＝３．５ｍｍの場合、正結合構成の多連チョークコイルのインダクタンス値ＬはＬ＝０．７４７μＨで、負結合構成の多連チョークコイルのインダクタンス値Ｌは正結合構成の場合より２４．９％小さいＬ＝０．５６０μＨであった。
【０１８６】
同様に、中心点間距離ＳをＳ＝２．７ｍｍにした場合、正結合構成の多連チョークコイルのインダクタンス値ＬはＬ＝０．７９４μＨで、負結合構成の多連チョークコイルのインダクタンス値Ｌは正結合構成の場合より４１．０％小さいＬ＝０．４６８μＨであった。
【０１８７】
以上の結果より、中心点間距離Ｓが同じであれば、正結合構成の多連チョークコイルの方が負結合構成の多連チョークコイルより大きなインダクタンス値Ｌとなることが見出された。
【０１８８】
一方、正結合構成で中心点間距離Ｓを変化させた場合、例えばＳ＝３．５ｍｍではＬ＝０．７４７μＨであり、Ｓ＝２．７ｍｍではＬ＝０．７９４μＨであった。この値は、Ｓ＝３．５ｍｍの場合のインダクタンス値Ｌより６．３％大きい。同様に、負結合構成で中心点間距離Ｓを変化させた場合、例えばＳ＝３．５ｍｍではＬ＝０．５６０μＨであり、Ｓ＝２．７ｍｍではＬ＝０．４６８μＨであった。この値は、Ｓ＝３．５ｍｍの場合のインダクタンス値Ｌよりも１６．５％小さい。
【０１８９】
以上の結果より、正結合構成の場合には、中心点間距離Ｓが短くなるようにそれぞれのコイルを配置するとインダクタンス値Ｌが大きくできる。また、負結合構成の場合には、中心点間距離Ｓが短くなるようにそれぞれのコイルを配置するとインダクタンス値が小さくできる。したがって、端子一体型のコイル７１１、７１２の巻回数を変えなくても、中心点間距離Ｓを調整することで、多連チョークコイルのインダクタンス値Ｌをある程度任意に設定することができる。
【０１９０】
なお、２つの端子一体型のコイル７１１、７１２の場合について説明したが、３個以上の端子一体型のコイルを用いた場合でも同様に中心点間距離をそれぞれ調整すれば、多連チョークコイルのインダクタンス値を比較的容易にかえることができる。
【０１９１】
図３５は、本実施の形態にかかる多連チョークコイルの変形例を示す断面図である。この変形例の多連チョークコイルは、端子一体型のコイルを正結合および負結合に配置した多連チョークコイルのうち、巻回数が（Ｎ＋０．５、ただしＮは一以上の自然数）ターンである端子一体型のコイル７２１、７２２の配置構成を示す断面図である。なお、端子一体型コイル７２１、７２２は縦方向に積層されて磁性体７２３中に埋設されている。図３５においては、端子一体型のコイル７２１、７２２はそれぞれ巻回数が２．５ターンであり、コイル７２１の２ターン分である右側部分上にコイル７２２の２．５ターン分が積層されている。また、コイル７２１の２．５ターン分である左側部分上にコイル７２２の２ターン分が積層されている。この構造により、無駄な空間をなくし、コイルを高密度に積層することができるので、小型で低背構成の多連チョークコイルを実現できる。
【０１９２】
以下、このような本実施の形態の多連チョークコイルのコイルの配置と入力端子および出力端子の表出方向について説明する。
【０１９３】
図３６Ａは、直方体形状の磁性体７３０の内部に、図３６Ｂに示す端子一体型のコイル７３１と、図３６Ｃに示す端子一体型のコイル７３２とを縦方向に配置した構成を示す透視斜視図である。また、図３６Ｄは、その配線図である。２つのコイル７３１、７３２は、それぞれ巻回数が１．５ターンであり、それぞれ入力端子７３３、７３５と、それぞれ出力端子７３４、７３６とを有している。
【０１９４】
図３６Ａからわかるように、コイル７３１の入力端子７３３とコイル７３２の入力端子７３５とが同じ面から表出され、コイル７３１の出力端子７３４とコイル７３２の出力端子７３６とが上記の面に対向する面から表出されている。
【０１９５】
この配置により、入力端子７３３、７３５と出力端子７３４、７３６を各々同じ面から表出できるため、多連チョークコイルをプリント基板などへ実装する際に半導体集積回路等との回路構成での配置が容易となり実装密度を向上できる。
【０１９６】
また、入力側にＩＮ、出力側にＯＵＴなどの表示を設けることも容易に行うことができる。なお、この変形例では、２つのコイル７３１、７３２の巻回数を１．５ターンとしたが、巻回数は２．５ターン、３．５ターン等にしても同様の効果が得られる。
【０１９７】
なお、必ずしも全ての入力端子または出力端子を１つの面から表出させる必要はなく、入力端子と出力端子の少なくとも２つを１つの面から表出させるようにしてもよい。また、全ての入力端子と出力端子を同一面から表出する際には、入力端子と出力端子とを交互に表出するようにしてもよい。
【０１９８】
また、図３７Ａは、さらに別の構成からなる多連チョークコイルの透視斜視図である。この多連チョークコイルは、図３７Ｂに示す端子一体型のコイル７４１と、図３７Ｃに示す端子一体型のコイル７４２とを縦方向に配置した構成である。また、図３７Ｄは、その配線図である。この多連チョークコイルの場合には、一方のコイル７４１の入力端子７４３と出力端子７４４とを磁性体７４０の同じ面から表出し、かつもう一方のコイル７４２の入力端子７４５と出力端子７４６とを上述の面に対向する面から表出した構成である。
【０１９９】
この構成においても、コイルは２つには限定されず、３つ以上のコイルを同様に積層してもよい。
【０２００】
図３８Ａは、また別の構成からなる多連チョークコイルの透視斜視図である。この多連チョークコイルは、図３８Ｂに示す端子一体型のコイル７５１と、図３８Ｃに示す端子一体型のコイル７５２とを縦方向に配置した構成である。また、図３８Ｄは、その配線図である。この多連チョークコイルでは、それぞれ巻回数が１．５ターンのコイル７５１、７５２が磁性体７５０の内部に図３８Ｄに示す配線構成となるように埋設されている。すなわち、コイル７５１は入力端子７５５と出力端子７５６とを有し、コイル７５２は入力端子７５３と出力端子７５４とを有する。コイル７５１とコイル７５２とは、それぞれの入力端子７５３、７５５およびそれぞれの出力端子７５４、７５６を各々異なる面に表出するように配置されている。
【０２０１】
この構造により、入力端子と出力端子の面積を大きくしても端子同士が接触し難くなる。したがって、プリント基板上への実装や放熱性をより改善することもでき、さらに端子の抵抗値を低くすることもできるため大電流化に対応した多連チョークコイルを実現することができる。
【０２０２】
また、この構造によれば端子のハンダ付け箇所が均一に分散されるので、実装強度も大きくすることができる。
【０２０３】
この構成の多連チョークコイルでは、コイルは２つに限定されることはなく、３つ以上のコイルを同様に重ねてもよい。その際には、複数の端子が同じ面に表出するように配置することもできる。
【０２０４】
なお、磁性体は直方体形状として説明したが、向きの判別が容易なように面取りをしてもよいし、磁性体の上部に入力端子や出力端子を表示する表示を設けてもよい。
【０２０５】
以上のように、本実施の形態の多連チョークコイルは高周波帯域で必要なインダクタンス値を確保するとともに、小さな直流抵抗値を保持し、かつ大電流に対応でき、小型化も可能である。したがって、実施の形態１の図６で説明したような電源回路に用いると、小型で高性能の電源回路を実現できる。この電源回路をパソコンや携帯電話のような電子機器に搭載すると小型化が可能となり好ましい。
【０２０６】
（実施の形態７）
本発明の実施の形態７の多連チョークコイルについて、図３９から図４１を参照しながら説明する。本実施の形態の多連チョークコイルの基本的な構成は実施の形態１から実施の形態６までに説明した多連チョークコイルと同様である。なお、図３９から図４１においては多連チョークコイルの外観形状を示しており、端子一体型コイルについては入力端子と出力端子のみを図示している。
【０２０７】
図３９に示す多連チョークコイルでは、すべての入力端子１５１は直方体形状とした磁性体７の一つの面から、また出力端子（図示せず）はその一つの面に対向する面からすべて表出させた構成としていることが特徴である。これによって、多連チョークコイルをプリント基板などへ実装する際に、半導体集積回路等に近接して配置することも可能となりプリント基板の実装密度を高めることができる。また、磁性体７の上部表面には、入力端子１５１を示す表示として、例えばＩＮ−１、ＩＮ−２、ＩＮ−３等が、また出力端子を示す表示として、例えばＯＵＴ−１、ＯＵＴ−２、ＯＵＴ３等が印刷等により表示された表示部１２１も設けられている。これにより、多連チョークコイルを、例えばプリント基板上へ実装する場合や実装後に正しく実装されたかどうかの確認を容易に行える。
【０２０８】
なお、入力端子と出力両端子を一つの面からすべて表出させた構成としてもよい。例えば、図４０に示すように、入力端子１６１と出力端子１６２とを交互に配置して表出させるようにしてもよい。この場合、磁性体７の上部表面には、入力端子１６１を示す表示として、例えばＩＮ−１、ＩＮ−２、ＩＮ−３等が、また、出力端子１６２を示す表示として、例えばＯＵＴ−１、ＯＵＴ−２、ＯＵＴ−３等が、それぞれ対応する位置に印刷等により表示された表示部１２１も設けられている。これにより、多連チョークコイルを、例えばプリント基板上へ実装する場合や実装後に正しく実装されたかどうかの確認を容易に行える。
【０２０９】
また、必ずしも全ての入力端子１６１と出力端子１６２とを一つの面から表出させる必要はなく、二つ以上の入力端子と出力端子とから選択された少なくとも二つの端子を一つの面から表出させてもよい。
【０２１０】
また、巻数がNターン（Nは１以上の自然数）からなる端子一体型のコイルの場合には、入力端子と出力端子が上下に同方向に突出する構成となるので、このまま上下セットで入力端子と出力端子とを磁性体の一つの面に並べて配置しても良い。
【０２１１】
さらに、少なくとも二つの端子をそれぞれ異なる方向へ表出するようなコイルの配置も可能である。例えば、図４１に示す多連チョークコイルは、３つの出力端子１７２がそれぞれ異なる面から表出されており、３つの入力端子１７１がすべて同じ面から表出された構成である。なお、この多連チョークコイルの場合にも、磁性体７の上部表面には、入力端子１７１を示す表示として、例えばＩＮ−１、ＩＮ−２、ＩＮ−３等が、また、出力端子１７２を示す表示として、例えばＯＵＴ−１、ＯＵＴ−２、ＯＵＴ−３等が、それぞれ対応する位置に印刷等により表示された表示部１２１も設けられている。これにより、多連チョークコイルを、例えばプリント基板上へ実装する場合や実装後に正しく実装されたかどうかの確認を容易に行える。
【０２１２】
上記の構成では端子一体型コイルを３個用いた場合について説明しているが、端子一体型コイルの個数は特に限定されず、また端子取り出し方向についても限定されず、端子取り出し方向に対応した面上に表出させるようにすればよい。
【０２１３】
このように、任意の面から端子を表出させた端子一体型のコイルの配置の場合は、端子間の距離を大きくすることが可能となる。これにより、端子面積を大きくでき、したがって放熱特性をさらに改善できる。また、端子の抵抗値を低くすることもできるため、大電流化に対応した多連チョークコイルを実現することができる。また、このような構成とすることにより、端子のハンダ付け部分が底面とその近傍部分に分散されるので、実装強度も各方向からの力に対して大きくすることができる。なお、本実施の形態において磁性体は直方体形状としたが、向きの判別が容易なように一部の辺で角を落としてもよいし、それぞれの端子に表示部をさらに設けてもよい。
【産業上の利用可能性】
【０２１４】
本発明の多連チョークコイルは、金属平板をエッチングまたは打ち抜き等により形成した打ち抜き平板を折り曲げて端子一体型のコイルを作製し、この端子一体型のコイルを複数個所定の位置関係を有して磁性体の内部に埋設した構成からなり、高周波帯域で使用が可能で、必要なインダクタンス値の確保と小さな直流抵抗値を保持することができるので、各種の電子機器、特に携帯電話等の形態機器分野に有用である。
【図面の簡単な説明】
【０２１５】
【図１】本発明の実施の形態１にかかる多連チョークコイルの透視斜視図
【図２】同実施の形態にかかる多連チョークコイルの配線図
【図３】同実施の形態にかかる多連チョークコイルに用いる端子一体型コイルとなる前の打ち抜き平板の形状を示す平面図
【図４】同実施の形態にかかる多連チョークコイルに用いる端子一体型コイルの斜視図
【図５】同実施の形態にかかる多連チョークコイルの図１に示すＡ１−Ａ１線に沿った断面図
【図６】同実施の形態にかかる多連チョークコイルを用いるマルチフェーズ方式による電源回路の回路図
【図７】本発明の実施の形態２にかかる多連チョークコイルの透視斜視図
【図８】同実施の形態にかかる多連チョークコイルの配線図
【図９】同実施の形態にかかる多連チョークコイルの図７に示すＢ１−Ｂ１線に沿った断面図
【図１０】同実施の形態にかかる多連チョークコイルの図７に示すＢ１−Ｂ１線に沿った断面図
【図１１】同実施の形態にかかる多連チョークコイルにおいて、コイルの中心点間距離または高さ位置とインダクタンス値との関係を求めるための基本構成を示す図で、端子一体型コイルのコイル部と周囲の磁性体領域部の斜視図
【図１２】Ａは、同実施の形態にかかる多連チョークコイルにおいて、コイルの中心点間距離および高さ位置とインダクタンス値とのそれぞれの関係を求めるための多連チョークコイルの配置構成を示す透視斜視図、Ｂは、同実施の形態にかかる多連チョークコイルにおいて、コイルの中心点間距離および高さ位置とインダクタンス値とのそれぞれの関係を求めるための多連チョークコイルの配置構成を示す断面図
【図１３】Ａは、同実施の形態にかかる多連チョークコイルにおいて、コイルの中心点間距離とインダクタンス値との関係を示す図、Ｂは、同実施の形態にかかる多連チョークコイルにおいて、コイルの中心点間の高さ位置とインダクタンス値との関係を示す図
【図１４】同実施の形態にかかる多連チョークコイルの変形例を示す図で、一直線上に配置した複数の端子一体型コイルからずれた位置に別の端子一体型コイルを配置した構成を示す斜視図
【図１５】本発明の実施の形態３にかかる多連チョークコイルの透視斜視図
【図１６】同実施の形態にかかる多連チョークコイルの図１５に示すＢ２−Ｂ２線に沿った断面図
【図１７】Ａは、本発明の実施の形態４にかかる多連チョークコイルで、正結合構成の場合の透視斜視図、Ｂは、同実施の形態にかかる正結合構成の多連チョークコイルの配線図
【図１８】同実施の形態にかかる多連チョークコイルの図１７Ａに示すＡ２−Ａ２線に沿った断面図
【図１９】Ａは、同実施の形態にかかる多連チョークコイルの図１７Ａに示すＢ３−Ｂ３線に沿った断面図、Ｂは、同実施の形態にかかる多連チョークコイルの図１７Ａに示すＢ３−Ｂ３線に沿った断面図
【図２０】Ａは、同実施の形態にかかる多連チョークコイルで、負結合構成の場合の透視斜視図、Ｂは、同実施の形態にかかる負結合構成の多連チョークコイルの配線図
【図２１】Ａは、同実施の形態にかかる多連チョークコイルで、２つのコイル内を貫く磁束の向きを同一とした構成の多連チョークコイルの断面図、Ｂは、同実施の形態にかかる多連チョークコイルで、２つのコイル内を貫く磁束の向きを同一とした構成の多連チョークコイルの断面図
【図２２】Ａは、同実施の形態にかかる多連チョークコイルにおいて、コイルの中心点間距離とインダクタンス値との関係を求めるための基本構成を示す図で、端子一体型コイルのコイル部と周囲の磁性体領域部の斜視図、Ｂは、同実施の形態にかかる多連チョークコイルにおいて、コイルの中心点間距離とインダクタンス値との関係を求めるための多連チョークコイルの配置構成を示す透視斜視図、Ｃは、同実施の形態にかかる多連チョークコイルにおいて、コイルの中心点間距離とインダクタンス値との関係を求めるための多連チョークコイルの配置構成を示す平面図、Ｄは、同実施の形態にかかる多連チョークコイルにおいて、コイルの中心点間距離とインダクタンス値との関係を示す図
【図２３】Ａは、同実施の形態にかかる多連チョークコイルの変形例で、３連チョークコイルを正結合構成とした場合の透視斜視図、Ｂは、同変形例の正結合構成の３連チョークコイルの配線図、Ｃは、同実施の形態にかかる多連チョークコイルの別の変形例で、３連チョークコイルを負結合構成とした場合の透視斜視図、Ｄは、同変形例の負結合構成の３連チョークコイルの配線図
【図２４】Ａは、同実施の形態にかかる多連チョークコイルのさらに別の変形例で、端子一体型コイルを同一平面上でＶ字型に配置し、負結合構成とした多連チョークコイルの透視斜視図、Ｂは、この別の変形例の多連チョークコイルの側面図、Ｃは、この別の変形例の多連チョークコイルの配線図
【図２５】同実施の形態にかかる多連チョークコイルのさらにまた別の変形例で、端子一体型コイルの中心点を一直線上に配置した多連チョークコイルの断面図
【図２６】本発明の実施の形態５にかかる多連チョークコイルの透視斜視図
【図２７】同実施の形態にかかる多連チョークコイルで、端子一体型コイルを作成するための打ち抜き平板の形状を示す平面図
【図２８】同実施の形態にかかる多連チョークコイルで、折り曲げて端子一体型コイルとした形状を示す斜視図
【図２９】同実施の形態にかかる多連チョークコイルの図２６に示すＡ３−Ａ３線に沿った断面図
【図３０】同実施の形態にかかる多連チョークコイルの図２６に示すＢ４−Ｂ４線に沿った断面図で、正結合構成の場合を示す図
【図３１】同実施の形態にかかる多連チョークコイルの図２６に示すＢ４−Ｂ４線に沿った断面図で、負結合構成の場合の図
【図３２】Ａは、同実施の形態にかかる多連チョークコイルにおいて、コイルの中心点間距離と結合との関係を説明するための図で、中心点間距離Ｒ＝６ｍｍとした構成の多連チョークコイルの断面図、Ｂは、同実施の形態にかかる多連チョークコイルにおいて、中心点間距離Ｒ＝７ｍｍとした構成の多連チョークコイルの断面図、Ｃは、同実施の形態にかかる多連チョークコイルにおいて、中心点間距離Ｒ＝８ｍｍとした構成の多連チョークコイルの断面図、Ｄは、同実施の形態にかかる多連チョークコイルにおいて、中心点間距離Ｒ＝０ｍｍとした構成の多連チョークコイルの断面図
【図３３】Ａは、本発明の実施の形態6にかかる多連チョークコイルのコイル部の構成を示す断面図、Ｂは、同実施の形態にかかる多連チョークコイルで、同様にコイル部の構成を示す断面図
【図３４】同実施の形態にかかる多連チョークコイルで、コイル部の中心点間距離Ｓとインダクタンス値との関係を示す図
【図３５】同実施の形態にかかる多連チョークコイルの変形例の多連チョークコイルの断面図
【図３６】Ａは、同実施の形態にかかる多連チョークコイルの別の変形例の多連チョークコイルの透視斜視図、Ｂは、上記別の変形例の多連チョークコイルに用いる端子一体型コイルの斜視図、Ｃは、上記別の変形例の多連チョークコイルに用いる端子一体型コイルの斜視図、Ｄは、上記別の変形例の多連チョークコイルの配線図
【図３７】Ａは、同実施の形態にかかる多連チョークコイルのさらに別の変形例の多連チョークコイルの透視斜視図、Ｂは、上記さらに別の変形例の多連チョークコイルに用いる端子一体型コイルの斜視図、Ｃは、上記さらに別の変形例の多連チョークコイルに用いる端子一体型コイルの斜視図、Ｄは、上記さらに別の変形例の多連チョークコイルの配線図
【図３８】Ａは、同実施の形態にかかる多連チョークコイルのまたさらに別の変形例の多連チョークコイルの透視斜視図、Ｂは、上記またさらに別の変形例の多連チョークコイルに用いる端子一体型コイルの斜視図、Ｃは、上記またさらに別の変形例の多連チョークコイルに用いる端子一体型コイルの斜視図、Ｄは、上記またさらに別の変形例の多連チョークコイルの配線図
【図３９】本発明の実施の形態7にかかる多連チョークコイルの外観斜視図
【図４０】本発明の実施の形態7にかかる多連チョークコイルの別の構成を示す外観斜視図
【図４１】本発明の実施の形態7にかかる多連チョークコイルのさらに別の構成を示す外観斜視図
【符号の説明】
【０２１６】
１，７１，１３１，６０１  第一コイル
２，７２，６０２  第一入力端子
３，７３，６０３  第一出力端子
４，７４，１３２，６０４  第二コイル
５，７５，６０５  第二入力端子
６，７６，６０６  第二出力端子
７，６０７，７１３，７２３，７３０，７４０，７５０  磁性体
３１，６３１  円弧状部
３２，１３４，１３５，１３６，６３５  端部
３３，６３３  連接部
３４，６３４，７１５，７１６  コイル部
５０，５０５，５０６，５０７，５０８，５０９，５１０，７１１，７１２，７２１，７２２，７３１，７３２，７４１，７４２，７５１，７５２  コイル
５１，６３２  絶縁膜
５２  下地層
５３  最上層
６１  入力電力
６２  スイッチング素子
６３  チョークコイル
６４  コンデンサ
６５  負荷
７７，１３３  第三コイル
７８  第三入力端子
７９  第三出力端子
１２１  表示部
５０１  右コイル（端子一体型コイル）
５０２，５０４  中央コイル（端子一体型コイル）
５０３  左コイル（端子一体型コイル）
６４１，６４２，６４３，６４４，６４９，６５０，６５１，６５２  中心点
６４５，６４６，６４７，６４８  外周部
２０，１５１，１６１，１７１，７３３，７３５，７４３，７４５，７５３，７５５，５０５２，５０６２，５０７２  入力端子
３０，１６２，１７２，７３４，７３６，７４４，７４６，７５４，７５６，５０５３，５０６３，５０７３  出力端子
【手続補正３】
【補正対象書類名】図面
【補正対象項目名】全図
【補正方法】変更
【補正の内容】
【図１】
2004055841.tif 000048
【図２】
2004055841.tif 000049
【図３】
2004055841.tif 000050
【図４】
2004055841.tif 000051
【図５】
2004055841.tif 000052
【図６】
2004055841.tif 000053
【図７】
2004055841.tif 000054
【図８】
2004055841.tif 000055
【図９】
2004055841.tif 000056
【図１０】
2004055841.tif 000057
【図１１】
2004055841.tif 000058
【図１２】
2004055841.tif 000059
【図１３】
2004055841.tif 000060
【図１４】
2004055841.tif 000061
【図１５】
2004055841.tif 000062
【図１６】
2004055841.tif 000063
【図１７】
2004055841.tif 000064
【図１８】
2004055841.tif 000065
【図１９】
2004055841.tif 000066
【図２０】
2004055841.tif 000067
【図２１】
2004055841.tif 000068
【図２２】
2004055841.tif 000069
【図２３】
2004055841.tif 000070
【図２４】
2004055841.tif 000071
【図２５】
2004055841.tif 000072
【図２６】
2004055841.tif 000073
【図２７】
2004055841.tif 000074
【図２８】
2004055841.tif 000075
【図２９】
2004055841.tif 000076
【図３０】
2004055841.tif 000077
【図３１】
2004055841.tif 000078
【図３２】
2004055841.tif 000079
【図３３】
2004055841.tif 000080
【図３４】
2004055841.tif 000081
【図３５】
2004055841.tif 000082
【図３６】
2004055841.tif 000083
【図３７】
2004055841.tif 000084
【図３８】
2004055841.tif 000085
【図３９】
2004055841.tif 000086
【図４０】
2004055841.tif 000087
【図４１】
2004055841.tif 000088
【国際調査報告】
2004055841.tif 000089
2004055841.tif 000090
2004055841.tif 000091
2004055841.tif 000092